(57)【要約】      （修正有）【課題】使用する袋のサイズ、大きさが限定されてしまうのを緩和でき、袋の口が入り込んでいる状態を把握しやすく、押動時の操作性のよい係止具を提供する。【解決手段】袋の口を封止する係止具であって、断面略Ｃ字状８のレール形状の雌部５の第２部材６と、断面略Ｉ字状９のレール形状の雄部３の第１部材４とで構成され、断面略Ｃ字状８の間から露出した断面略Ｉ字状９上面１０に指を接して押動させると、雌部５と雄部３とが摺動し、レール形状の雄部３の第１部材４が押動されると、容積部１１内に挿入後の口径を拡げた袋の口が第２部材６の先端によって開口部側へ移動し、第１部材４と第２部材６との間に袋の口が挟まれ、第１部材４と第２部材６との間に該開口部から挿入した袋の口が挟まれることによって、袋の口が封止され、第１部材４と第２部材６とが係止される。【選択図】図５
2019202818.tif 000002
【特許請求の範囲】
【請求項１】
袋の口を封止する係止具であって、
断面略Ｃ字状のレール形状の雌部の第1部材と、
断面略Ｉ字状のレール形状の雄部の第２部材とで構成され、
または、
断面略Ｃ字状のレール形状の雌部の第２部材と、
断面略Ｉ字状のレール形状の雄部の第１部材とで構成され、
該レール形状は長手方向に直線状に配置され、
該レール形状の雌部と該レール形状の雄部とは係合して摺動し、
該断面略Ｃ字状の間から露出した該断面略Ｉ字状上面に指を接して押動させると、レール形状の雌部とレール形状の雄部とが摺動し、
該袋の口が収容可能な容積部を第１部材の長手方向の前半側に設け、
該容積部は開口部を備え、第１部材の長手方向の先端に該開口部を設け、
該開口部は、口径を絞った該袋の口を出入し、
開口したままの該開口部を含めた容積部は、容積部内に挿入後の口径を拡げた該袋の口を掛止し、
該レール形状の雄部の第1部材が、第１部材の長手方向の前半側から後半側の方向へ、
または、
該レール形状の雄部の第２部材が、第１部材の長手方向の後半側から前半側の方向へ押動されると、
該容積部内に挿入後の口径を拡げた袋の口が第２部材の先端によって開口部側へ移動し、該開口したままの開口部が該移動した袋の口によって覆われて塞がれ、第１部材と第２部材との間に袋の口が挟まれ、
挟まれることによって、
袋の口が封止され、
および、
第１部材と第２部材とが係止されることを特徴とする係止具。
【請求項２】
前記容積部内に挿入後の口径を拡げた前記袋の口の短手方向の長さより、前記断面略Ｃ字状の間から露出した断面略Ｉ字状上面の短手方向の長さが大きいことを特徴とする請求項１の係止具。
【請求項３】
前記袋の口が収容可能な中空部を前記容積部内に設け、
開口したままの前記開口部を含めた容積部は、容積部内の該中空部に挿入後の口径を拡げた該袋の口を掛止し、
該中空部の短手方向の最大長さより、前記断面略Ｃ字状の間から露出した断面略Ｉ字状上面の短手方向の長さが大きいことを特徴とする請求項１の係止具。
【請求項４】
前記断面略Ｃ字状の間から露出した断面略Ｉ字状上面の短手方向の長さが１０ｍｍ以上としてあることを特徴とする請求項１の係止具。
【請求項５】
前記レール形状の雌部の第1部材の長手方向の前半側、
または、
前記レール形状の雌部の第２部材の長手方向の前半側に前記レール形状の雌部を配したことを特徴とする請求項１〜４のいずれかの係止具。
【請求項６】
前記レール形状の雌部の第1部材の長手方向の中間側、
または、
前記レール形状の雌部の第２部材の長手方向の中間側に前記レール形状の雌部を配したことを特徴とする請求項１〜５のいずれかの係止具。
【請求項７】
前記レール形状の雌部の第1部材の長手方向の後半側、
または、
前記レール形状の雌部の第２部材の長手方向の後半側に前記レール形状の雌部を配したことを特徴とする請求項１〜６のいずれかの係止具。
【請求項８】
前記レール形状の雌部の第1部材の長手方向の全長、
または、
前記レール形状の雌部の第２部材の長手方向の全長に前記レール形状の雌部を配したことを特徴とする請求項１〜４のいずれかの係止具。
【請求項９】
前記レール形状の雄部の第1部材が、第１部材の長手方向の前半側から後半側の方向へ、
または、
前記レール形状の雄部の第２部材が、第１部材の長手方向の後半側から前半側の方向へ押動された場合に、第２部材の先端が開口部より突出していることを特徴とする請求項１〜８のいずれかの係止具。
【発明の詳細な説明】
【技術分野】
【０００１】
本発明は、主に、大袋または袋の細部または付属品にて、端部や開口部の閉鎖構成または装置、あるいは、ブラケット、リングまたはロックを有するもので、特には、袋の開口部の閉鎖を構成する係止具に関する。
【背景技術】
【０００２】
合成樹脂製の袋等の開口部の閉鎖を構成するものとして、係止具（特許文献１参照）がある。１件目について記す。図３６にて、実施例３８である、係止具（特許文献１の０２４３項、０２４４項、図６５）について記す。なお、全体概要を説明するため、実施例３７の内容を一部流用して補足等してある。袋の口を封止する係止具であって、該袋の口を収容可能な容積部（４ｚｓ）を有する第１部材（９５ｚｓ）と、該第１部材（９５ｚｓ）と係止する第２部材（９４ｚｓ）とで構成してある。該容積部（４ｚｓ）は開口部（６ｚｓ）を備えてある。該開口部（６ｚｓ）は、口径を絞った該袋の口を出入する。開口したままの該開口部（６ｚｓ）を含めた容積部（４ｚｓ）は、容積部（４ｚｓ）内に挿入後の口径を拡げた該袋の口を掛止する。袋の口は図示していないが、拡がっている袋の口を寄せて指等で縮小させて、口径を絞って、開口部（６ｚｓ）より挿入する。通常、合成樹脂、紙など、軽微な弾力性を有する袋を使用するので、挿入した後の袋の口は、袋の弾性復帰する力により、元の大きさに近い状態などに戻ろうとして、再度、拡がる。拡がるので、開口したままの開口部（６ｚｓ）を含めた容積部（４ｚｓ）に掛止される。開口部（６ｚｓ）から袋の口が脱落して抜き出たり、はみ出したりすることはない。
【０００３】
次に、前記第１部材（９５ｚｓ）の開口部（６ｚｓ）側へ前記第２部材（９４ｚｓ）が押動される。前記第１部材（９５ｚｓ）の先端（８９ｚｓ）に前記開口部（６ｚｓ）を設けてある。該第１部材（９５ｚｓ）の後端側（９３ｚｓ）から第１部材（９５ｚｓ）の先端（８９ｚｓ）側へ前記第２部材（９４ｚｓ）が押動される。押動されると、前記容積部（４ｚｓ）内に挿入後の口径を拡げた袋の口が該押動された第２部材（９４ｚｓ）によって開口部（６ｚｓ）側へ押動される。該押動された袋の口は面積を縮小していく。結果、開口したままの開口部（６ｚｓ）の内側は、押動された袋の口によって覆われる。つまり、実質的には、押動された袋の口によって、開口部（６ｚｓ）は閉じた状態になる。開口部（６ｚｓ）は、そのままの開口した形であるのにもかかわらず、閉口した状態と同等となる。前記開口したままの開口部（６ｚｓ）が該押動された袋の口によって覆われて塞がれる。
【０００４】
また、前記第１部材（９５ｚｓ）の挿通孔（１０９Ａ）（１０９Ｂ）の内径に対して前記第２部材（９４ｚｓ）の外径を大きく設けることにより該第１部材（９５ｚｓ）と第２部材（９４ｚｓ）とが係止する。第２部材（９４ｚｓ）の側面（１１０Ａｚｓ）（１１０Ｂｚｓ）間の外径寸法は、第１部材（９５ｚｓ）のレール状の内面（１１１Ａｚｓ）（１１１Ｂｚｓ）間の寸法より、僅かに長くしてあるので、設けている範囲においては、第２部材（９４ｚｓ）を少しずつ移動させることができ、第１部材（９５ｚｓ）と第２部材（９４ｚｓ）との係止にて、係止する位置が任意に調整できる。第１部材（９５ｚｓ）と第２部材（９４ｚｓ）とが係止して、該開口部（６ｚｓ）から挿入した袋の口が第１部材（９５ｚｓ）と第２部材（９４ｚｓ）とによって封止される。第１部材（９５ｚｓ）に第２部材（９４ｚｓ）が係止されるとほぼ同時に、袋の口が封止される。袋の口は押圧されて圧縮されているので、ストッパーとして作用し、開口したままの開口部（６ｚｓ）から抜け出すことはない。
【０００５】
なお、第２部材（９４ｚｓ）が挿通する挿通孔（１０９Ａ）（１０９Ｂ）を前記第１部材（９５ｚｓ）に設けてある。例えば、挿通孔（１０９Ａ）は断面コ字状としてある。挿通孔（１０９Ａ）（１０９Ｂ）は、レールのような役割を果たし、第２部材（９４ｚｓ）を差し入れ口（１８ｚｓ）から挿入し、第１部材（９５ｚｓ）に沿って案内するように設けてある。一対の断面コ字状により、挿通孔（１０９Ａ）（１０９Ｂ）を構成してある。前記袋の口を押止する押止部（１０４Ａｚｓ）を前記第２部材（９４ｚｓ）に設けてある。第２部材（９４ｚｓ）は平板状としてある。平板状に設けた第２部材（９４ｚｓ）の該平板状の端部を押止部（１０４Ａｚｓ）としてある。
【０００６】
次に、２件目について記す。図３７にて、実施例４７である、係止具（１ｃｃ）（特許文献１の０２８１項〜０２８３項、図１０１〜１０３）について記す。なお、文章の流れ上、文章の記載の順番を一部変更等してある。前記第２部材（９４ｃｃ）の挿通孔（１０９ｃｃ）の内径（Ｗ１ｃｃ）に対して前記第１部材（９５ｃｃ）の外径（Ｗ２ｃｃ）を小さく設けてある。また、特に図示しないが、実施例４６と同様に（実施例４６の図１００）、第１部材（９５ｃｃ）の板厚（Ｗ８ｃｃ）に対応する第２部材（９４ｃｃ）の内径寸法（Ｗ１０ｃｃ）は長く設けてあり、第２部材（９４ｃｃ）内に挿入した第１部材（９５ｃｃ）と、該第２部材（９４ｃｃ）との間に袋の口（２ｃｃ）が挿入できるように隙間（１０２Ａｃｃ）（１０２Ｂｃｃ）は、大きく設けてある。大きく設けてあるので、第２部材（９４ｃｃ）内に挿入した第１部材（９５ｃｃ）と、該第２部材（９４ｃｃ）との隙間（１０２Ａｃｃ）（１０２Ｂｃｃ）に袋の口を挿入することは容易である。
【０００７】
また、前記第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある。例えば、縦寸法１８０ｍｍ、横寸法１８０ｍｍ、厚み０．０２ｍｍの市販の袋を使用する場合、図１０２にて、切り込んだ幅（Ｙ１）は３ｍｍとしてある。また、袋の口の挿入が容易なように、切り込んである入り口も広く設けてある。また、特に図示しないが、実施例４７を次のようにしてもよい。切り込んだ幅（Ｙ１）３ｍｍを、例えば、０．５ｍｍとしてもよい。また、特に図示しないが、他の実施例についても、同様に切り込んでもよい。
【０００８】
作用等について、一部説明する。開口したままの該開口部（６ｃｃ）を含めた容積部（４ｃｃ）は、容積部（４ｃｃ）内に挿入後の口径を拡げた該袋の口を掛止する。前記第１部材（９５ｃｃ）の開口部（６ｃｃ）側へ前記第２部材（９４ｃｃ）が押動される。つまり、該第１部材（９５ｃｃ）の後端側から第１部材（９５ｃｃ）の先端側へ前記第２部材（９４ｃｃ）が押動される。押動されると、前記容積部（４ｃｃ）内に挿入後の口径を拡げた袋の口が該押動された第２部材（９４ｃｃ）によって開口部（６ｃｃ）側へ押動される。前記開口したままの開口部（６ｃｃ）が該押動された袋の口によって覆われて塞がれる。さらに、移動させると、第２部材（９４ｃｃ）の挿通孔（１０９ｃｃ）の一端（１２２）を切り込んで（１２４）ある箇所に袋の口が入り込んでいく。前記寸法の市販の袋に対して、切り込んだ幅（Ｙ１）を対応するように設けてあるので、入り込みは比較的容易であり、動作はスムーズである。
【０００９】
この場合、容積部（４ｃｃ）上方（１２１）と、挿通孔（１０９ｃｃ）の上面（１２３）との間に袋の口が挟まったりすることはない。しかし、容積部（４ｃｃ）上方（１２１）と、挿通孔（１０９ｃｃ）の上面（１２３）との間に袋の口が挟まっても、挟まることにより係止されるので、特に問題はなく、逆に、係止される、という効果がある（効果４７−１）。挿通孔（１０９ｃｃ）の上面（１２３）側については、入り込んだ袋の口の弾性力等によって、切り込んで（１２４）ある箇所が袋の口に押圧され、切り込んで（１２４）ある箇所と袋の口が係止する。つまり、挿通孔（１０９ｃｃ）の上面（１２３）側については、第２部材（９４ｃｃ）の挿通孔（１０９ｃｃ）と、該第２部材（９４ｃｃ）の挿通孔（１０９ｃｃ）内に挿入した第１部材（９５ｃｃ）の容積部（４ｃｃ）との間に、前記開口部（６ｃｃ）から挿入した袋の口が挟まれることによって該第１部材（９５ｃｃ）と第２部材（９４ｃｃ）とが係止する、係止する状態が構成される。袋の口が挟まれることによって該第１部材（９５ｃｃ）と第２部材（９４ｃｃ）とが係止する、という効果がある（効果４７−２）。
【００１０】
次に、３件目について記す。図３８〜図３９にて、実施例４６である、係止具（１ｂｂ）（特許文献１の０２７８項〜０２８０項、図１００）（実施例３５の図７４〜７７）について記す。第１部材（９５ｂｂ）と、第２部材（９４ｂｂ）と、で構成してある。第１部材（９５ｂｂ）は、袋の口を収容可能な容積部（４ｂｂ）を有している。実施例４６の図１００は、実施例３５の図７６、７７と同様、としてあり、寸法、形状等も同じにしてある。ただし、実施例４６は、実施例３５である、係止具（１ｚｐ）を次のように一部変更してある。実施例４６については、特に図示しないが、前記第２部材（９４ｂｂ）の挿通孔（１０９ｂｂ）の内径（Ｗ１ｂｂ）に対して前記第１部材（９５ｂｂ）の外径（Ｗ２）を小さく設けてある。
【００１１】
また、図１００にて、実施例３５と同様に、実施例４６の第１部材（９５ｂｂ）の板厚（Ｗ８ｂｂ）に対応する第２部材（９４ｂｂ）の内径寸法（Ｗ１０）は、図７８にて、実施例３２の第２部材（９４）の内径寸法（Ｗ９）より長く設けてあり、実施例４６の第２部材（９４ｂｂ）内に挿入した第１部材（９５ｂｂ）と、該第２部材（９４ｂｂ）との間に袋の口（２ｂｂ）が挿入できるように隙間（１０２Ａｂｂ）（１０２Ｂｂｂ）は、大きく設けてある。大きく設けてあるので、第２部材（９４ｂｂ）内に挿入した第１部材（９５ｂｂ）と、該第２部材（９４ｂｂ）との隙間（１０２Ａｂｂ）（１０２Ｂｂｂ）に袋の口（２ｂｂ）を挿入することは容易である。そのほかについては、実施例３５と同様にしてとある。
【００１２】
袋の口（２ｂｂ）、第１部材（９５ｂｂ）、第２部材（９４ｂｂ）の作用等について、一部説明する。開口したままの該開口部（６ｂｂ）を含めた容積部（４ｂｂ）は、容積部（４ｂｂ）内に挿入後の口径を拡げた該袋の口を掛止する。次に、方向（Ｍ）に、第２部材（９４ｂｂ）を移動させる。移動させる場合、第１部材（９５ｂｂ）の外径（Ｗ２）より、第２部材（９４ｂｂ）の挿通孔（１０９ｂｂ）の内径（Ｗ１ｂｂ）を大きく設けてあるので、………第１部材（９５）と第２部材（９４）とが、そのままの状態では係止することはなく、………筒状（１９ｚｋ）の内面（１７Ａｚｋ）（１７Ｂｚｋ）と第１部材（９５）の側面（９９Ａ）（９９Ｂ）とを摺接させて移動させる必要はない。よって、この場合の移動が容易になり、負荷も小さく、操作性が向上する、という効果がある（効果４６−１）。また、………第１部材（９５）と第２部材（９４）とが、そのままの状態では係止する構成とはしていないので、筒状（１９ｚｋ）の内面（１７Ａｚｋ）（１７Ｂｚｋ）と第１部材（９５）の側面（９９Ａ）（９９Ｂ）とを摺接させるように寸法、形状等を設定する必要がなく、製造が比較的容易である、という効果がある（効果４６−２）。
【００１３】
引き続き、（方向Ｍ）に、第２部材（９４ｂｂ）を移動させる。第１部材（９５ｂｂ）の開口部（６ｂｂ）側へ第２部材（９４ｂｂ）が押動される。つまり、該第１部材（９５ｂｂ）の後端側から第１部材（９５ｂｂ）の先端側へ前記第２部材（９４ｂｂ）が押動される。押動されると、容積部（４ｂｂ）内に挿入後の口径を拡げた袋の口が該押動された第２部材（９４ｂｂ）によって開口部（６ｂｂ）側へ押動される。前記開口したままの開口部（６ｂｂ）が該押動された袋の口（２ｂｂ）によって覆われて塞がれる。実施例３５と同様に、第２部材（９４ｂｂ）と第１部材（９５ｂｂ）とに、第２部材（９４ｂｂ）の外で袋の口（２ｂｂ）が挟まれた状態となる。さらに、移動させると、第２部材（９４ｂｂ）内に袋の口（２ｂｂ）が入ってその隙間（１０２Ａｂｂ）（１０２Ｂｂｂ）に袋の口（２ｂｂ）が挟まれた状態が構成される。つまり、第２部材（９４ｂｂ）の挿通孔（１０９ｂｂ）と、該第２部材（９４ｂｂ）の挿通孔（１０９ｂｂ）内に挿入した第１部材（９５ｂｂ）の容積部（４ｂｂ）との間に、前記開口部（６ｂｂ）から挿入した袋の口（２ｂｂ）が挟まれることによって該第１部材（９５ｂｂ）と第２部材（９４ｂｂ）とが係止する、係止する状態が構成される。具体的には、開口部（６ｂｂ）の周辺である該容積部（４ｂｂ）の先端側と、挿通孔（１０９ｂｂ）内の端部との間に、袋の口（２ｂｂ）は挟まれる。開口したままの開口部（６ｂｂ）が押動された袋の口（２ｂｂ）によって覆われて塞がれ、該押動された袋の口（２ｂｂ）が挟まれることによって該第１部材（９５ｂｂ）と第２部材（９４ｂｂ）とが係止する。また、実施例３５と同様に、挟まれるので封止される。係止と封止がほぼ同時に実施される。袋の口（２ｂｂ）が挟まれた状態で封止されるので、実施例３２に比較して、封止の確実性が向上する、という効果がある（効果４６−３）。また、第１部材（９５ｂｂ）と第２部材（９４ｂｂ）との係止の解除、および、封止された袋の口（２ｂｂ）を解除する場合は、実施例３５と同様に、袋の口（２ｂｂ）の両端（１０１Ａｂｂ）（１０１Ｂｂｂ）を手で掴んで引っ張ると、隙間（１０２Ａｂｂ）（１０２Ｂｂｂ）に挟まれている部分の袋の口（２ｂｂ）が引っ張られるので、第２部材（９４ｂｂ）に対して第１部材（９５ｂｂ）が（戻り方向Ｍ）方向に移動して、袋の口（２ｂｂ）が封止状態から解除されて、同時に、第１部材（９５ｂｂ）と第２部材（９４ｂｂ）との係止が解除される。つまり、袋の口（２ｂｂ）の両端（１０１Ａｂｂ）（１０１Ｂｂｂ）を手で掴んで引っ張るだけで、袋の口（２ｂｂ）が封止状態から解除されて、同時に、第１部材（９５ｂｂ）と第２部材（９４ｂｂ）との係止が解除される。なお、この場合、筒状の内面と第１部材（９５ｂｂ）の側面とを摺接するように設けていないので、実施例３５に比較して、引っ張る力が小さくて済む、という効果がある（効果４６−４）。
【００１４】
また、第２部材（９４ｂｂ）は合成樹脂等で加工されているので、外的圧力等により、選択する材質によっては、隙間（１０２Ａｂｂ）（１０２Ｂｂｂ）の形状が一時的に変形可能である。よって、第２部材（９４ｂｂ）の挿通孔（１０９ｂｂ）と、第２部材（９４ｂｂ）の挿通孔（１０９ｂｂ）内に挿入した第１部材（９５ｂｂ）との間に、前記開口部（６ｂｂ）から挿入した袋の口（２ｂｂ）が挟まれる場合、袋の口（２ｂｂ）の大きさ、材質、幅等により、第２部材（９４ｂｂ）側等に、一時的に、たわみなどを発生させることも可能である。たわみなどが発生することによって、袋の口（２ｂｂ）の大きさ、材質、幅等を取扱える範囲が拡がる可能性がある、という効果がある（効果４６−５）。また、第１部材（９５ｂｂ）と第２部材（９４ｂｂ）とで構築される関係によっては、挟まれる袋の口（２ｂｂ）を押圧する力は適度な負荷を生じて、係止の確実性を向上させ、かつ、封止の確実性を向上させる、という効果がある（効果４６−６）。
【００１５】
次に、４件目について記す。先に記した３件目の実施例４６である、係止具（１ｂｂ）の説明を補完するため、実施例４６の前身のひとつである実施例３２である、係止具（１ｚｋ）（特許文献１の０２０８項〜０２１７項、図６６〜６９）について記す。図４０〜図４１にて、第２部材（９４）は、扁平なハウジングとしてあり、中空となっている。四角形状としてある。断面ロ字状としてある。前記第２部材（９４）を筒状（１９ｚｋ）としてある。………第１部材（９５）の先端（８９ｚｋ）側の両端に第１突部（９７Ａ）（９７Ｂ）………を設けてある。第１突部（９７Ａ）（９７Ｂ）………は、第２部材（９４）が第１部材（９５）に差し入れられた後、第１部材（９５）と第２部材（９４）とが抜けないようにするための抜け止めとして配してある。………次に、開口部（６ｚｋ）と、袋の口（２ｚｋ）との作用、第１部材（９５）、第２部材（９４）の作用等について説明する。該開口部（６ｚｋ）は、口径を絞った該袋の口を出入する。開口したままの該開口部（６ｚｋ）を含めた容積部（４ｚｋ）は、容積部（４ｚｋ）内に挿入後の口径を拡げた該袋の口を掛止する。前記第１部材（９５）の開口部（６ｚｋ）側へ前記第２部材（９４）が押動される。つまり、該第１部材（９５）の後端側（９３ｚｋ）から第１部材（９５）の先端（８９ｚｋ）側へ前記第２部材（９４）が押動される。押動されると、前記容積部（４ｚｋ）内に挿入後の口径を拡げた袋の口が該押動された第２部材（９４）によって開口部（６ｚｋ）側へ押動される。前記開口したままの開口部（６ｚｋ）が該押動された袋の口によって覆われて塞がれる。第１部材（９５）と第２部材（９４）とが係止して、該開口部（６ｚｋ）から挿入した袋の口（２ｚｋ）が第１部材（９５）と第２部材（９４）とによって封止される。………次に、袋の口を挿入してから封止までの作用についての詳細を一部追記する。図６９にて、係止の状態を構成した第１部材（９５）と第２部材（９４）にて、第１部材（９５）の後端側（９３ｚｋ）に第２部材（９４）を配置してある。図中にて袋の口は図示していないが、図６９にて、拡がっている袋の口を寄せて指等で縮小させて、口径を絞って、開口部（６ｚｋ）より挿入する。通常、合成樹脂、紙など、軽微な弾力性を有する袋を使用するので、挿入した後の袋の口は、袋の弾性復帰する力により、元の大きさに近い状態などに戻ろうとして、再度、拡がる。拡がるので、開口したままの開口部（６ｚｋ）を含めた容積部（４ｚｋ）に掛止される。………図中にて袋の口は図示していないが、次に、図６８〜６９、７８にて、さらに、戻り方向（Ｍ）に、第２部材（９４）を移動させるため、第１部材（９５）を片手で掴んで短手方向に軽く押圧し、少しだけ湾曲させて弾性変形させる、あるいは、長手方向に少し押圧させて、筒状（１９ｚｋ）の内面（１７Ａｚｋ）（１７Ｂｚｋ）と第１部材（９５）の側面（９９Ａ）（９９Ｂ）とを摺接させて移動させる。該第１部材（９５）の後端側（９３ｚｋ）から該第１部材（９５）の先端（８９ｚｋ）側へ前記第２部材（９４）が押動される。前記容積部（４ｚｋ）内に挿入後の口径を拡げた袋の口が該押動された第２部材（９４）によって開口部（６ｚｋ）側へ押動される。該押動された袋の口は面積を縮小していく。結果、開口したままの開口部（６ｚｋ）の内側は、押動された袋の口によって覆われる。つまり、実質的には、押圧された袋の口によって、開口部（６ｚｋ）は閉じた状態になる。開口部（６ｚｋ）は、そのままの開口した形であるのにもかかわらず、閉口した状態と同等となる。次に、第１部材（９５）を片手で掴んで短手方向に押圧するのを解除して、湾曲させて弾性変形するのを停止する、あるいは、長手方向に押圧するのを解除すると、停止して、係止の状態を構成する。第１部材（９５）に第２部材（９４）が係止されるとほぼ同時に、袋の口（２ｚｋ）が封止される。袋の口は押圧されて圧縮されているので、ストッパーとして作用し、開口したままの開口部（６ｚｋ）から抜け出すことはない。
【特許文献１】特願２０１３−３１５９６
【発明の開示】
【発明が解決しようとする課題】
【００１６】
第１の課題を記す。封止性が限定されてしまうという問題がある。以下に説明する。特許文献１の１件目の実施例３８の係止具は、「該開口部（６ｚｓ）から挿入した袋の口」を「第１部材（９５ｚｓ）と第２部材（９４ｚｓ）とによって封止」しようとする場合、「前記第１部材（９５ｚｓ）の開口部（６ｚｓ）側へ前記第２部材（９４ｚｓ）」を押動させるが、第２部材（９４ｚｓ）の側面（１１０Ａｚｓ）（１１０Ｂｚｓ）間の外径寸法は、第１部材（９５ｚｓ）のレール状の内面（１１１Ａｚｓ）（１１１Ｂｚｓ）間の寸法より、僅かに長くしてあるので」その長くして「設けている範囲においては、第２部材（９４ｚｓ）を少しずつ移動させることができ」「位置が任意に調整できる」とある。確かに、その「設けている範囲においては」押動させた場合の第２部材の「位置が任意に調整できる」という長所を有するものの、「設けている範囲」に限定されるので、「任意に調整できる」「位置が」限定されてしまう。つまり、開口部から挿入した袋の口を第１部材と第２部材とによって封止するため、第１部材の開口部側へ第２部材を押動させた場合に、第２部材の押動できる位置が限定されてしまう。第２部材の押動できる位置が限定されてしまうと、袋の口が封止される確実性が限定されて、つまり、封止性が限定されてしまうという問題がある。（課題１−１）。前記問題を解消し、開口部から挿入した袋の口を第１部材と第２部材とによって封止するため、第１部材の開口部側へ第２部材を押動させた場合に、第２部材の押動できる位置が限定されてしまうことにより、封止性が限定されてしまうのを防ぐことができる係止具を提供することを目的とする。
【００１７】
次に、第２の課題を記す。袋のサイズ、大きさが限定されてしまうという問題がある。以下に説明する。特許文献１の２件目の実施例４７の係止具は、「前記第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある。例えば、縦寸法１８０ｍｍ、横寸法１８０ｍｍ、厚み０．０２ｍｍの市販の袋を使用する場合」は「切り込んだ幅（Ｙ１）は３ｍｍとしてある。」あるいは、「また、特に図示しないが」「切り込んだ幅（Ｙ１）３ｍｍを、例えば、０．５ｍｍとしてもよい」とある。また、「前記第１部材（９５ｃｃ）の開口部（６ｃｃ）側へ前記第２部材（９４ｃｃ）」を押動すると「第２部材（９４ｃｃ）の挿通孔（１０９ｃｃ）の一端（１２２）を切り込んで（１２４）ある箇所に袋の口が入り込んでいく。前記寸法の市販の袋に対して、切り込んだ幅（Ｙ１）を対応するように設けてあるので、入り込みは比較的容易であり、動作はスムーズである」と記載されている。確かに、第１部材の開口部側へ第２部材を押動した場合、切り込んである箇所に袋の口が入り込んでも、入り込みは比較的容易であり、動作はスムーズではあるが、「前記寸法の市販の袋に対して、切り込んだ幅（Ｙ１）を対応するように設けてあるので、」袋のサイズ、大きさが限定されてしまうという問題がある。（課題２−１）。前記問題を解消し、使用する袋のサイズ、大きさが限定されてしまうのを緩和することができる係止具を提供することを目的とする。
【００１８】
また、１件目の実施例３８の係止具についても、先に、第１の課題で記したように、第１部材の開口部側へ第２部材を押動させた場合に、第２部材の押動できる位置が限定されてしまうので、つまりは、同様に、使用する袋のサイズ、大きさが限定されてしまうという問題がある。（課題２−２）。前記問題を解消し、使用する袋のサイズ、大きさが限定されてしまうのを緩和することができる係止具を提供することを目的とする。
【００１９】
また、特に図示してないが、特許文献１の３件目の実施例４６である、係止具（１ｂｂ）は、特許文献１の４件目の実施例３２である、係止具（１ｚｋ）、および、特許文献１の実施例３５（特許文献１の図７４〜図７７）と同様に、第１部材（９５ｂｂ）の先端（８９ｂｂ）側の両端に第１突部（９７Ａｂｂ）（９７Ｂｂｂ）を設けてある。よって、第１部材（９５ｂｂ）の開口部（６ｂｂ）側へ第２部材（９４ｂｂ）を押動させても、第２部材（９４ｂｂ）が第１突部（９７Ａｂｂ）（９７Ｂｂｂ）に突き当たるので飛び越えることはなく、開口部（６ｂｂ）から挿入した袋の口を第１部材（９５ｂｂ）と第２部材（９４ｂｂ）とによって封止するため、第１部材（９５ｂｂ）の開口部（６ｂｂ）側へ第２部材（９４ｂｂ）を押動させた場合に、第２部材の押動できる位置が限定されてしまう。よって、該第２部材の押動できる位置が限定されてしまうので、同様に、使用する袋のサイズ、大きさが限定されてしまうという問題がある。（課題２−３）。前記問題を解消し、使用する袋のサイズ、大きさが限定されてしまうのを緩和することができる係止具を提供することを目的とする。
【００２０】
なお、実施例４６の係止具には、「第２部材（９４ｂｂ）は合成樹脂等で加工されているので、外的圧力等により、選択する材質によっては、隙間（１０２Ａｂｂ）（１０２Ｂｂｂ）の形状が一時的に変形可能である。よって、第２部材（９４ｂｂ）の挿通孔（１０９ｂｂ）と、第２部材（９４ｂｂ）の挿通孔（１０９ｂｂ）内に挿入した第１部材（９５ｂｂ）との間に、前記開口部（６ｂｂ）から挿入した袋の口（２ｂｂ）が挟まれる場合、袋の口（２ｂｂ）の大きさ、材質、幅等により、第２部材（９４ｂｂ）側等に、一時的に、たわみなどを発生させることも可能である。たわみなどが発生することによって、袋の口（２ｂｂ）の大きさ、材質、幅等を取扱える範囲が拡がる可能性がある」と記載されているが、選択する材質は合成樹脂等で加工されているので、第２部材（９４ｂｂ）側等に、一時的に、たわみなどを発生しても、限定的であり、袋の口（２ｂｂ）の大きさ、材質、幅等を取扱える範囲が拡がる可能性はあるものの、限定されてしまうと考えられる。
【００２１】
次に、第３の課題を記す。取り外し動作が簡単ではなく、比較的容易であるとは言い難くなる、という問題がある。以下に説明する。先に、第２の課題で記したように、特許文献１の２件目の実施例４７の係止具は、「前記第１部材（９５ｃｃ）の開口部（６ｃｃ）側へ前記第２部材（９４ｃｃ）」を押動した場合、「切り込んで（１２４）ある箇所に袋の口が入り込んで」も「入り込みは比較的容易であり、動作はスムーズである」。しかし、次に、「第１部材（９５ｃｃ）」と「第２部材（９４ｃｃ）」とによって封止した袋の口を解除するため、はずそうとして、「第１部材（９５ｃｃ）の開口部（６ｃｃ）側」とは反対の方向へ「第２部材（９４ｃｃ）」を押動させた場合には、「第２部材（９４ｃｃ）」の「切り込んで（１２４）ある箇所」について、「前記寸法の市販の袋に対して対応するように設けてある」「切り込んだ幅（Ｙ１）が３ｍｍ」、あるいは、「０．５ｍｍ」等の場合、「切り込んで（１２４）ある箇所に袋の口が入り込んで」いたため、取り外し動作は簡単ではなく、比較的容易であるとは言い難くなる。「切り込んで（１２４）ある箇所に入り込んで」いた袋の口を場合によっては指等で調整したのち取り外さなければならないという手間が発生する。合成樹脂製の薄手のビニル袋であったりすると、袋の口の一部が裂けたりする恐れもあり、充分な配慮が必要になる。また、入り込んでいる状態が軽度であっても取り外し動作は、入り込み時と比較すると容易であるとは言い難く、動作はスムーズであるとは必ずしもいえない。つまり、第１部材と第２部材とによって封止した袋の口を解除するため、はずそうとして、第１部材の開口部側とは反対の方向へ第２部材を押動させた場合には、切り込んで（１２４）ある箇所に袋の口が入り込んでいたため、取り外し動作は簡単ではなく、比較的容易であるとは言い難く、また、場合によっては、袋の口の一部が裂けたりする恐れもある、という問題がある。（課題３−１−１）。前記問題を解消し、第１部材と第２部材とによって封止した袋の口を解除するため、はずそうとして、第１部材の開口部側とは反対の方向へ第２部材を押動させた場合に、取り外しは比較的容易であり、動作がスムーズで、また、袋の口の一部が裂けたりする恐れも少ない係止具を提供することを目的とする。
【００２２】
また、特許文献１の１件目の実施例３８の係止具は、「前記第１部材（９５ｚｓ）の開口部（６ｚｓ）側へ前記第２部材（９４ｚｓ）」を押動させた場合、第２部材（９４ｚｓ）を「第１部材（９５ｚｓ）に沿って案内するように設けてある」挿通孔（１０９Ａ）（１０９Ｂ）に案内されて「第２部材（９４ｚｓ）を差し入れ口（１８ｚｓ）から挿入」するように設けてある。さらに、「前記第１部材（９５ｚｓ）の開口部（６ｚｓ）側へ前記第２部材（９４ｚｓ）」を押動すると、案内されて第２部材（９４ｚｓ）が差し入れ第２開口（２９ｚｒ）へ挿入されるように設けてある。よって、袋の口を「開口部（６ｚｓ）より挿入する」場合、「拡がっている袋の口を寄せて指等で縮小させて、口径を絞って」挿入し、「通常、合成樹脂、紙など、軽微な弾力性を有する袋を使用するので、挿入した後の袋の口は、袋の弾性復帰する力により、元の大きさに近い状態などに戻ろうとして、再度、拡がる」が、次に、「前記第１部材（９５ｚｓ）の開口部（６ｚｓ）側へ前記第２部材（９４ｚｓ）」を押動した場合、その拡がった袋の口は、第２部材（９４ｚｓ）に押動されて、差し入れ第２開口（２９ｚｒ）に袋の口が入り込む。なお、先に、第３の課題にて、特許文献１の２件目の実施例４７の係止具の切り込んで（１２４）ある箇所で記したのと同様に、袋の口が入り込んでも、入り込みは比較的容易であり、動作は比較的スムーズではある。しかし、次に、第１部材と第２部材とによって封止した袋の口を解除するため、はずそうとして、第１部材の開口部側とは反対の方向へ第２部材を押動させた場合には、差し入れ第２開口（２９ｚｒ）と第２部材（９４ｚｓ）の間に袋の口の一部が挟まれたりしているので、取り外し動作は簡単ではなく、比較的容易であるとは言い難くなる、という問題がある。（課題３−２）。前記問題を解消し、第１部材と第２部材とによって封止した袋の口を解除するため、はずそうとして、第１部材の開口部側とは反対の方向へ第２部材を押動させた場合に、取り外しは比較的容易であり、動作がスムーズである係止具を提供することを目的とする。
【００２３】
また、特許文献１の３件目の実施例４６である、係止具（１ｂｂ）は、実施例４６の前身のひとつである４件目の実施例３２である、係止具（１ｚｋ）と同様に、「第２部材は、扁平なハウジングとしてあり、中空となっている。四角形状としてある。断面ロ字状としてある。前記第２部材を筒状としてある」。第１部材と第２部材とによって封止した袋の口を解除するため、はずそうとして、反対方向の、第１部材（９５ｂｂ）の先端側から第１部材（９５ｂｂ）の後端側へ前記第２部材（９４ｂｂ）が押動しようとする場合、「第２部材は、扁平なハウジングとしてあり、中空となっている。四角形状としてある。断面ロ字状としてある。前記第２部材を筒状としてある」ため、第２部材の上下面に袋の口は挟まれているので、取り外し動作は簡単ではなく、比較的容易であるとは言い難くなる、という問題がある。（課題３−３）。前記問題を解消し、第１部材と第２部材とによって封止した袋の口を解除するため、はずそうとして、第１部材の開口部側とは反対の方向へ第２部材を押動させた場合に、取り外しは比較的容易であり、動作がスムーズである係止具を提供することを目的とする。
【００２４】
また、特許文献１の２件目の実施例４７の係止具も、「第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある」ものの、切り込んで（１２４）ある箇所を除けば、特許文献１の３件目の実施例４６である、係止具（１ｂｂ）と同様に、「第２部材は、扁平なハウジングとしてあり、中空となっている。四角形状としてある。断面ロ字状としてある。前記第２部材を筒状としてある」。よって、第２部材の上下面に袋の口は挟まれているので、取り外し動作は簡単ではなく、比較的容易であるとは言い難くなる、という問題もある。（課題３−１−２）。前記問題を解消し、第１部材と第２部材とによって封止した袋の口を解除するため、はずそうとして、第１部材の開口部側とは反対の方向へ第２部材を押動させた場合に、取り外しは比較的容易であり、動作がスムーズである係止具を提供することを目的とする。
【００２５】
次に、第４の課題を記す。袋の口が入り込んでいる、その入り込み状態を把握する場合等、目で確認しづらいという問題がある。以下に説明する。先に、第３の課題で記したように、特許文献１の２件目の実施例４７の係止具は、「第２部材（９４ｃｃ）」の「切り込んで（１２４）ある箇所に袋の口が入り込」み、取り外し動作時、「切り込んで（１２４）ある箇所に入り込んで」いた袋の口の一部が裂けたりする恐れがあったり、場合によっては指等で調整したのち取り外さなければならなくなる。よって、「第２部材（９４ｃｃ）」の「切り込んで（１２４）ある箇所に袋の口が入り込」んでいる、その入り込み状態を把握する必要がある。しかし、「前記寸法の市販の袋に対して対応するように設けてある」「切り込んだ幅（Ｙ１）が３ｍｍ」、あるいは、「０．５ｍｍ」等の場合、切り込んだ幅（Ｙ１）が目で確認するには充分な大きさとはいえず、確認しづらいという問題がある。（課題４−１−１）。前記問題を解消し、「切り込んで（１２４）ある箇所に袋の口が入り込」んでいる、その入り込み状態を把握する場合等、目で確認する時に確認しやすい係止具を提供することを目的とする。
【００２６】
次に、途中ではあるが、第２〜第４の課題について追記する。特許文献１の２件目の実施例４７の係止具にて、「また、特に図示しないが、他の実施例についても、同様に切り込んでもよい」と記載がある。特許文献１の３件目の実施例４６である、係止具（１ｂｂ）に適用して、前記第２部材（９４ｂｂ）の挿通孔（１０９ｂｂ）内に挿入した前記第１部材（９５ｂｂ）の容積部（４ｂｂ）上方に位置する該第２部材（９４ｂｂ）の挿通孔（１０９ｂｂ）の一端を切り込んだ場合を検討する。この場合、同様に、各々、以下の課題が想定される。先に記した、第２の課題の特許文献１の２件目の実施例４７の係止具と同様に、第１部材の開口部側へ第２部材を押動した場合、切り込んである箇所に袋の口が入り込んでも、入り込みは比較的容易であり、動作はスムーズではあるが、前記寸法の市販の袋に対して、切り込んだ幅を対応するように設けてあるので、袋のサイズ、大きさが限定されてしまうという問題がある。（課題２−４）。
【００２７】
また、同じように、「切り込んでもよい」を、特許文献１の３件目の実施例４６である、係止具（１ｂｂ）に適用すると、第３の課題の特許文献１の２件目の実施例４７の係止具と同様に、第１部材と第２部材とによって封止した袋の口を解除するため、はずそうとして、第１部材の開口部側とは反対の方向へ第２部材を押動させた場合には、切り込んである箇所に袋の口が入り込んでいたため、取り外し動作は簡単ではなく、比較的容易であるとは言い難くなる、という問題がある。（課題３−４）。
【００２８】
また、同じように、「切り込んでもよい」を、特許文献１の３件目の実施例４６である、係止具（１ｂｂ）に適用すると、第４の課題の特許文献１の２件目の実施例４７の係止具と同様に、前記寸法の市販の袋に対して対応するように設けてある切り込んだ幅（Ｙ１）が３ｍｍ、あるいは、０．５ｍｍ等の場合、袋の口を目で確認するには切り込んだ幅が充分な大きさとはいえず、確認しづらいという問題がある。（課題４−２）。
【００２９】
次に、引き続き、第４の課題について戻して記していく。特許文献１の３件目の実施例４６である、係止具（１ｂｂ）は、実施例４６の前身のひとつである４件目の実施例３２である、係止具（１ｚｋ）と同様に、「第１部材（９５ｂｂ）の後端側から第１部材（９５ｂｂ）の先端側へ前記第２部材（９４ｂｂ）が押動され」「ると、容積部（４ｂｂ）内に挿入後の口径を拡げた袋の口が該押動された第２部材（９４ｂｂ）によって開口部（６ｂｂ）側へ押動される。前記開口したままの開口部（６ｂｂ）が該押動された袋の口（２ｂｂ）によって覆われて塞がれる。実施例３５と同様に、第２部材（９４ｂｂ）と第１部材（９５ｂｂ）とに、第２部材（９４ｂｂ）の外で袋の口（２ｂｂ）が挟まれた状態となる。さらに、移動させると、第２部材（９４ｂｂ）内に袋の口（２ｂｂ）が入ってその隙間（１０２Ａｂｂ）（１０２Ｂｂｂ）に袋の口（２ｂｂ）が挟まれた状態が構成される。つまり、第２部材（９４ｂｂ）の挿通孔（１０９ｂｂ）と、該第２部材（９４ｂｂ）の挿通孔（１０９ｂｂ）内に挿入した第１部材（９５ｂｂ）の容積部（４ｂｂ）との間に、前記開口部（６ｂｂ）から挿入した袋の口（２ｂｂ）が挟まれることによって該第１部材（９５ｂｂ）と第２部材（９４ｂｂ）とが係止する、係止する状態が構成される。具体的には、開口部（６ｂｂ）の周辺である該容積部（４ｂｂ）の先端側と、挿通孔（１０９ｂｂ）内の端部との間に、袋の口（２ｂｂ）は挟まれる。開口したままの開口部（６ｂｂ）が押動された袋の口（２ｂｂ）によって覆われて塞がれ、該押動された袋の口（２ｂｂ）が挟まれることによって該第１部材（９５ｂｂ）と第２部材（９４ｂｂ）とが係止する。また、実施例３５と同様に、挟まれるので封止される」しかし、「第２部材は、扁平なハウジングとしてあり、中空となっている。四角形状としてある。断面ロ字状としてある。前記第２部材を筒状としてある」ので、その「第２部材（９４ｂｂ）の挿通孔（１０９ｂｂ）と、該第２部材（９４ｂｂ）の挿通孔（１０９ｂｂ）内に挿入した第１部材（９５ｂｂ）の容積部（４ｂｂ）との間に、前記開口部（６ｂｂ）から挿入した袋の口（２ｂｂ）が挟まれ」て、袋の口が入り込んでいる、その入り込み状態を把握する場合等、目で確認しづらいという問題がある。（課題４−３）。前記問題を解消し、袋の口が入り込んでいる、その入り込み状態を把握する場合等、目で確認する時に確認しやすい係止具を提供することを目的とする。
【００３０】
また、特許文献１の２件目の実施例４７の係止具も、「第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある」ものの、切り込んで（１２４）ある箇所を除けば、特許文献１の３件目の実施例４６である、係止具（１ｂｂ）と同様に、「第２部材は、扁平なハウジングとしてあり、中空となっている。四角形状としてある。断面ロ字状としてある。前記第２部材を筒状としてある」。よって、その第２部材の挿通孔と、該第２部材の挿通孔内に挿入した第１部材の容積部との間に、前記開口部から挿入した袋の口が挟まれて、袋の口が入り込んでいる、その入り込み状態を把握する場合等、目で確認しづらいという問題もある。（課題４−１−２）。前記問題を解消し、袋の口が入り込んでいる、その入り込み状態を把握する場合等、目で確認する時に確認しやすい係止具を提供することを目的とする。
【００３１】
また、特許文献１の１件目の実施例３８の係止具は、先に、第３の課題で記したように、「前記第１部材（９５ｚｓ）の開口部（６ｚｓ）側へ前記第２部材（９４ｚｓ）」を押動させた場合、第２部材（９４ｚｓ）を「第１部材（９５ｚｓ）に沿って案内するように設けてある」挿通孔（１０９Ａ）（１０９Ｂ）に案内されて「第２部材（９４ｚｓ）を差し入れ口（１８ｚｓ）から挿入」するように設けてある。さらに、「前記第１部材（９５ｚｓ）の開口部（６ｚｓ）側へ前記第２部材（９４ｚｓ）」を押動すると、案内されて第２部材（９４ｚｓ）が差し入れ第２開口（２９ｚｒ）へ挿入されるように設けてある。よって、袋の口を「開口部（６ｚｓ）より挿入する」場合、「拡がっている袋の口を寄せて指等で縮小させて、口径を絞って」挿入し、「通常、合成樹脂、紙など、軽微な弾力性を有する袋を使用するので、挿入した後の袋の口は、袋の弾性復帰する力により、元の大きさに近い状態などに戻ろうとして、再度、拡がる」が、次に、「前記第１部材（９５ｚｓ）の開口部（６ｚｓ）側へ前記第２部材（９４ｚｓ）」を押動した場合、その拡がった袋の口は、第２部材（９４ｚｓ）に押動されて、差し入れ第２開口（２９ｚｒ）に袋の口が入り込む。その差し入れ第２開口（２９ｚｒ）に入り込んだ袋の口の入り込み状態、あるいは、差し入れ第２開口（２９ｚｒ）と第２部材（９４ｚｓ）の間に袋の口の一部が挟まれている状態を把握する場合等、目で確認しづらいという問題がある。（課題４−４）。前記問題を解消し、袋の口が入り込んでいる、その入り込み状態を把握する場合等、目で確認する時に確認しやすい係止具を提供することを目的とする。
【００３２】
次に、第５の課題を記す。押動する場合の安定性が良いとは必ずしもいえない、という問題がある。以下に説明する。特許文献１の２件目の実施例４７である、係止具（１ｃｃ）は、第１部材（９５ｃｃ）の容積部（４ｃｃ）の大きさと同程度の大きさの第２部材（９４ｃｃ）としてあるため、第２部材（９４ｃｃ）の挿通孔（１０９ｃｃ）内にある第１部材（９５ｃｃ）が動作できる最大長さと比較して、第２部材（９４ｃｃ）の挿通孔（１０９ｃｃ）の長さ（Ｚ２）は短く設けられている。よって、第１部材（９５ｃｃ）の後端側から第１部材（９５ｃｃ）の先端側へ、あるいは、第１部材（９５ｃｃ）の先端側から第１部材（９５ｃｃ）の後端側へ第２部材（９４ｃｃ）が押動する場合に、ガタツキ等が発生しやすい傾向があり、押動する場合の安定性が良いとは必ずしもいえない、という問題がある。（課題５−１）。
【００３３】
また、特に図示してないが、特許文献１の３件目の実施例４６である、係止具（１ｂｂ）は、特許文献１の実施例３５（特許文献１の図７４〜図７７）と同様に、第１部材（９５ｂｂ）の容積部（４ｂｂ）の大きさと同程度の大きさの第２部材（９４ｂｂ）としてあるため、第１部材（９５ｂｂ）の全長（Ｚ３）、あるいは、第２部材（９４ｂｂ）の挿通孔（１０９ｂｂ）内にある第１部材（９５ｂｂ）が動作できる最大長さと比較して、第２部材（９４ｂｂ）の長さ（Ｚ４）は短く設けられている。よって、第１部材（９５ｂｂ）の後端側から第１部材（９５ｂｂ）の先端側へ、あるいは、第１部材（９５ｂｂ）の先端側から第１部材（９５ｂｂ）の後端側へ第２部材（９４ｂｂ）を押動する場合に、ガタツキ等が発生しやすい傾向があり、押動する場合の安定性が良いとは必ずしもいえない、という問題がある。（課題５−２）。前記問題を解消し、第１部材の後端側から第１部材の先端側へ、あるいは、第１部材の先端側から第１部材の後端側へ第２部材が押動する場合に、ガタツキ等が発生しにくく、押動する場合の安定性が確保されやすい係止具を提供することを目的とする。なお、説明の都合上、図において、一部記号を削除して、図３７にて、（Ｚ２）第２部材の長さ、図３８  にて、（Ｚ３）第１部材の全長、（Ｚ４）第２部材の挿通孔の長さを新たに当方追記してある。
【００３４】
また、特許文献１の２件目の実施例４７の係止具にて、「また、特に図示しないが、他の実施例についても、同様に切り込んでもよい」を、特許文献１の３件目の実施例４６である、係止具（１ｂｂ）に適用すると、前述したのと同様に、第１部材の後端側から第１部材の先端側へ、あるいは、第１部材の先端側から第１部材の後端側へ第２部材を押動する場合に、ガタツキ等が発生しやすい傾向があり、押動する場合の安定性が良いとは必ずしもいえない、という問題がある。（課題５−３）。
【００３５】
次に、第６の課題を記す。押動する場合の操作性が比較的容易であるとは言い難くなる、という問題がある。特許文献１の３件目の実施例４６である、係止具（１ｂｂ）は、実施例４６の前身のひとつである４件目の実施例３２である、係止具（１ｚｋ）と同様に、「第２部材は、扁平なハウジングとしてあり、中空となっている。四角形状としてある。断面ロ字状としてある。前記第２部材を筒状としてある」が、「第１部材（９５ｂｂ）の後端側から第１部材（９５ｂｂ）の先端側へ前記第２部材（９４ｂｂ）が押動」する場合、一方の片側の手は使わずに残りの片側の手だけで押動しようとして、例えば、第１部材（９５ｂｂ）を手のひらで支えて第２部材（９４ｂｂ）を指先で動かそうとしても、第１部材（９５ｂｂ）を支えている手のひらに第２部材（９４ｂｂ）の動きが妨げられ簡単ではない。また、例えば、第１部材（９５ｂｂ）の第１突部（９７）、第２突部（９８）等を一部の指にて支えつつ、第２部材（９４ｂｂ）を残りの一部の指で押動しようとしても、容易でなく、操作しづらい。あるいは、その反対方向の、第１部材（９５ｂｂ）の先端側から第１部材（９５ｂｂ）の後端側へ前記第２部材（９４ｂｂ）が押動しようとする場合も同様である。片手で押動しようとしても、容易でなく、操作しづらいという問題がある。（課題６−１）。前記問題を解消し、片手で押動する場合の操作性が比較的容易である係止具を提供することを目的とする。
【００３６】
また、特許文献１の２件目の実施例４７の係止具も、「第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある」ものの、切り込んで（１２４）ある箇所の幅は、先に記したように、「前記寸法の市販の袋に対して対応するように設けてある」「切り込んだ幅（Ｙ１）が３ｍｍ」、あるいは、「０．５ｍｍ」等の場合、幅が広いとは言えないので、切り込んで（１２４）ある箇所に指等を接して押動させることは容易であるとは言い難い。切り込んで（１２４）ある箇所を除けば、特許文献１の３件目の実施例４６である、係止具（１ｂｂ）と同様に、「第２部材は、扁平なハウジングとしてあり、中空となっている。四角形状としてある。断面ロ字状としてある。前記第２部材を筒状としてある」。よって、「前記第１部材（９５ｃｃ）の開口部（６ｃｃ）側へ前記第２部材（９４ｃｃ）」を押動する場合、例えば、連接体（１０７ｃｃ）等を一部の指にて支えつつ、第２部材（９４ｃｃ）を残りの一部の指で押動しようとしても、容易でなく、操作しづらい。あるいは、例えば、第２部材（９４ｃｃ）を手のひらで支えて第１部材（９５ｃｃ）を指先で動かそうとしても、片手での操作は簡単ではない。また、「第１部材（９５ｃｃ）の開口部（６ｃｃ）側」とは反対の方向へ「第２部材（９４ｃｃ）」を押動しようとする場合も同様である。片手で押動しようとしても、容易でなく、操作しづらいという問題がある。（課題６−２−１）。前記問題を解消し、片手で押動する場合の操作性が比較的容易である係止具を提供することを目的とする。
【００３７】
また、特許文献１の２件目の実施例４７の係止具について、通常、前記開口部（６ｃｃ）から挿入した袋の口を挟んで該第１部材（９５ｃｃ）と第２部材（９４ｃｃ）とを係止させるために、「前記第１部材（９５ｃｃ）の開口部（６ｃｃ）側へ前記第２部材（９４ｃｃ）」を押動させるが、また、第２部材（９４ｃｃ）に対して第１部材（９５ｃｃ）を反対の方向へ押動させても同じ結果が得られる。前記開口部（６ｃｃ）から挿入した袋の口を挟んで該第１部材（９５ｃｃ）と第２部材（９４ｃｃ）とを係止させるために、第２部材（９４ｃｃ）に対して第１部材（９５ｃｃ）を反対の方向へ押動させる場合、例えば、第１部材（９５ｃｃ）の上側の適当な箇所に指等を接して押動させることを想定する。この時、第２部材（９４ｃｃ）の切り込んで（１２４）ある箇所に指等が入り込むが、「前記寸法の市販の袋に対して対応するように設けてある」「切り込んだ幅（Ｙ１）が３ｍｍ」、あるいは、「０．５ｍｍ」等の場合、幅が広いとは言えないので、指等を接して押動させることは容易であるとは言い難く、つまり、片手で押動しようとしても、容易でなく、操作しづらいという問題がある。（課題６−２−２）。前記問題を解消し、片手で押動する場合の操作性が比較的容易である係止具を提供することを目的とする。
【００３８】
また、第６の課題について、特許文献１の１件目の実施例３８の係止具は、第１部材（９５ｚｓ）の開口部（６ｚｓ）側である第１部材（９５ｚｓ）の先端（８９ｚｓ）側のレールのような挿通孔（１０９Ａ）（１０９Ｂ）は、第１部材（９５ｚｓ）の容積部（４ｚｓ）に沿って設けられているが、途中から先端側については、上面から見ると、環状、円形状になっている。第１部材（９５ｚｓ）の差し入れ第２開口（２９ｚｒ）を含む先端（８９ｚｓ）が曲線状になっており、「前記第１部材（９５ｚｓ）の開口部（６ｚｓ）側へ前記第２部材（９４ｚｓ）」を押動した場合、例えば、第２部材（９４ｚｓ）の上面の適当な箇所に指等を接して押動させることを想定する。押動し続けると、この時、第２部材（９４ｚｓ）の差し入れ第２開口（２９ｚｒ）を含む先端（８９ｚｓ）に指等が接触し、先端と指等が衝突などするため、指等を接して押動させることは容易であるとは言い難い。つまり、片手で押動しようとしても、容易でなく、操作しづらいという問題がある。（課題６−３）。前記問題を解消し、片手で押動する場合の操作性が比較的容易である係止具を提供することを目的とする。
【００３９】
次に、第７の課題を記す。加工コストが増えてしまうという問題がある。特許文献１の１件目の実施例３８の係止具は、「第２部材（９４ｚｓ）が挿通する挿通孔（１０９Ａ）（１０９Ｂ）を前記第１部材（９５ｚｓ）に設けてある」「挿通孔（１０９Ａ）は断面コ字状としてある」「一対の断面コ字状により、挿通孔（１０９Ａ）（１０９Ｂ）を構成してある」「挿通孔（１０９Ａ）（１０９Ｂ）は、レールのような役割を果たし、第２部材（９４ｚｓ）を差し入れ口（１８ｚｓ）から挿入し、第１部材（９５ｚｓ）に沿って案内するように設けてある」また、案内されて第２部材（９４ｚｓ）が差し入れ第２開口（２９ｚｒ）へ挿入されるように設けてある。第１部材（９５ｚｓ）の開口部（６ｚｓ）側である第１部材（９５ｚｓ）の先端（８９ｚｓ）側のレールのような挿通孔（１０９Ａ）（１０９Ｂ）は、第１部材（９５ｚｓ）の容積部（４ｚｓ）に沿って設けられていてるか、途中から先端側については、上面から見ると、環状、円形状になっている。直線状に形成されたレールと違って、環状、円形状のため、成形加工時の手間、コストが増えてしまう。さらに、差し入れ第２開口（２９ｚｒ）があるため、簡単ではない形状となっており、高い加工精度を要し、コストが大きくなってしまう。実施例３８の係止具は、成形加工時の手間、コストが増え、高い加工精度が要求される、という問題がある。（課題７−１）。前記問題を解消し、加工時の手間、コスト低減ができ、高い加工精度も特には必要とされない係止具を提供することを目的とする。
【００４０】
また、特許文献１の２件目の実施例４７の係止具は、「前記第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある。例えば、縦寸法１８０ｍｍ、横寸法１８０ｍｍ、厚み０．０２ｍｍの市販の袋を使用する場合」は「切り込んだ幅（Ｙ１）は３ｍｍとしてある。」あるいは、「また、特に図示しないが」「切り込んだ幅（Ｙ１）３ｍｍを、例えば、０．５ｍｍとしてもよい」とある。そのため、加工方法としては射出成形等を選択する必要があるので、金型費用等のコストが増える、という問題がある。（課題７−２）。前記問題を解消し、コスト低減ができる係止具を提供することを目的とする。
【課題を解決するための手段】
【００４１】
本発明によると上記課題は、次のようにして解決される。
袋の口を封止する係止具であって、断面略Ｃ字状のレール形状の雌部の第1部材と、断面略Ｉ字状のレール形状の雄部の第２部材とで構成され、または、断面略Ｃ字状のレール形状の雌部の第２部材と、断面略Ｉ字状のレール形状の雄部の第１部材とで構成され、該レール形状は長手方向に直線状に配置され、該レール形状の雌部と該レール形状の雄部とは係合して摺動し、該断面略Ｃ字状の間から露出した該断面略Ｉ字状上面に指を接して押動させると、レール形状の雌部とレール形状の雄部とが摺動し、該袋の口が収容可能な容積部を第１部材の長手方向の前半側に設け、該容積部は開口部を備え、第１部材の長手方向の先端に該開口部を設け、該開口部は、口径を絞った該袋の口を出入し、開口したままの該開口部を含めた容積部は、容積部内に挿入後の口径を拡げた該袋の口を掛止し、該レール形状の雄部の第1部材が、第１部材の長手方向の前半側から後半側の方向へ、または、該レール形状の雄部の第２部材が、第１部材の長手方向の後半側から前半側の方向へ押動されると、該容積部内に挿入後の口径を拡げた袋の口が第２部材の先端によって開口部側へ移動し、該開口したままの開口部が該移動した袋の口によって覆われて塞がれ、第１部材と第２部材との間に袋の口が挟まれ、挟まれることによって、袋の口が封止され、および、第１部材と第２部材とが係止されることを特徴とする係止具とする。
【００４２】
前記容積部内に挿入後の口径を拡げた前記袋の口の短手方向の長さより、前記断面略Ｃ字状の間から露出した断面略Ｉ字状上面の短手方向の長さが大きいことを特徴とする係止具とする。
【００４３】
前記袋の口が収容可能な中空部を前記容積部内に設け、開口したままの前記開口部を含めた容積部は、容積部内の該中空部に挿入後の口径を拡げた該袋の口を掛止し、該中空部の短手方向の最大長さより、前記断面略Ｃ字状の間から露出した断面略Ｉ字状上面の短手方向の長さが大きいことを特徴とする係止具とする。
【００４４】
前記断面略Ｃ字状の間から露出した断面略Ｉ字状上面の短手方向の長さが１０ｍｍ以上としてあることを特徴とする係止具とする。
【００４５】
前記レール形状の雌部の第1部材の長手方向の前半側、または、前記レール形状の雌部の第２部材の長手方向の前半側に前記レール形状の雌部を配したことを特徴とする係止具とする。
【００４６】
前記レール形状の雌部の第1部材の長手方向の中間側、または、前記レール形状の雌部の第２部材の長手方向の中間側に前記レール形状の雌部を配したことを特徴とする係止具とする。
【００４７】
前記レール形状の雌部の第1部材の長手方向の後半側、または、前記レール形状の雌部の第２部材の長手方向の後半側に前記レール形状の雌部を配したことを特徴とする係止具とする。
【００４８】
前記レール形状の雌部の第1部材の長手方向の全長、または、前記レール形状の雌部の第２部材の長手方向の全長に前記レール形状の雌部を配したことを特徴とする係止具とする。
【００４９】
前記レール形状の雄部の第1部材が、第１部材の長手方向の前半側から後半側の方向へ、または、前記レール形状の雄部の第２部材が、第１部材の長手方向の後半側から前半側の方向へ押動された場合に、第２部材の先端が開口部より突出していることを特徴とする係止具とする。
【発明の効果】
【００５０】
本発明によれば、次のような効果を奏する。
（１）断面略Ｃ字状の間から露出した断面略Ｉ字状上面の短手方向の長さは、指が接することができるように設けてあり、つまりは、接する指の幅程度に設けてあるので、断面略Ｉ字状上面と、その上面に接した指との間に影響する個々の複雑な要因が絡みあっているという背景があっても安全性が高くなり、押動させる場合に摺動しにくいということは回避されやすいという確実性があり、該断面略Ｃ字状の間から露出した該断面略Ｉ字状上面に指を接して押動させると、レール形状の雌部とレール形状の雄部とが確実に摺動に導かれる、という効果がある（効果他１−２）。
また、該断面略Ｃ字状の間から露出した該断面略Ｉ字状上面に指を接して押動させると、レール形状の雌部とレール形状の雄部とが摺動できるように、つまりは、断面略Ｃ字状の間から露出した断面略Ｉ字状上面の短手方向の長さが、押動させる場合に接する指の幅程度に設けてあるので、該長さに袋の口が入り込んでも、使用する袋のサイズ、大きさが限定されてしまうのを緩和することができる、という効果がある（効果１−２−１）。
また、該断面略Ｃ字状の間から露出した該断面略Ｉ字状上面に指を接して押動させると、レール形状の雌部とレール形状の雄部とが摺動できるように、つまりは、断面略Ｃ字状の間から露出した断面略Ｉ字状上面の短手方向の長さが、押動させる場合に接する指の幅程度に設けてあるので、第１部材と第２部材とによって封止した袋の口を解除するため、はずそうとして、第１部材を押動させた場合に、レール形状の雌部に袋の口が上面側で挟まれたりすることがなく、取り外しは比較的容易であり、動作がスムーズで、また、袋の口の一部が裂けたりする恐れも少ない、という効果がある（効果１−３−１）。
また、断面略Ｃ字状のレール形状の雌部の第２部材と、断面略Ｉ字状のレール形状の雄部の第１部材とで構成されているので、第２部材の下面にのみ袋の口は挟まれているので、上面は挟まれていないので、第１部材と第２部材とによって封止した袋の口を解除するため、はずそうとして、第１部材を押動させた場合に、取り外しは比較的容易であり、動作がスムーズで、また、袋の口の一部が裂けたりする恐れも少ない、という効果がある（効果１−３−５）。
また、該断面略Ｃ字状の間から露出した該断面略Ｉ字状上面に指を接して押動させると、レール形状の雌部とレール形状の雄部とが摺動できるように、つまりは、断面略Ｃ字状の間から露出した断面略Ｉ字状上面の短手方向の長さが、押動させる場合に接する指の幅程度に設けてあるので、該開口したままの開口部に移動して覆って塞がった袋の口、あるいは、第１部材と第２部材との間に挟まれた袋の口の入り込み状態を把握する場合等、目で確認する時に確認しやすい、という効果がある（効果１−４−１）。
また、該断面略Ｃ字状の間から露出した該断面略Ｉ字状上面に指を接して押動させると、レール形状の雌部とレール形状の雄部とが摺動できるように、つまりは、断面略Ｃ字状の間から露出した断面略Ｉ字状上面の短手方向の長さが、押動させる場合に接する指の幅程度に設けてあるので、幅が広く、指等を接して押動させることが比較的容易で、手のひらで第２部材を支えつつ、指先で第１部材を押動でき、片手で操作でき、つまり、片手で押動しようとする場合、操作が比較的容易である、という効果がある（効果１−６−１）。
また、該レール形状は長手方向に直線状に配置されているので、レール形状の雌部の断面略Ｃ字状の間から露出したレール形状の雄部の断面略Ｉ字状上面に指を接して押動させても、何も支障物等がなく、指等が衝突するということがなく、指等を接して押動させることが比較的容易であり、つまり、片手で押動しようとする場合、操作が比較的容易である、という効果がある（効果１−６−５）。
また、該レール形状は長手方向に直線状に配置されていて、全体の形状としても曲線部は有しておらず、直線状に形成してあるので、複雑な形状もなく、高い加工精度を必要としないので、基本的には、押出成形加工、抜き出し加工等で製造可能であり、射出成形等によって形成する必要がないため、比較的製造が容易で材料費の低減が可能である、という効果がある（効果１−７）。
断面略Ｃ字状のレール形状の雌部の第1部材と、断面略Ｉ字状のレール形状の雄部の第２部材とで構成されているので、袋の口を挿入する方向と、袋の口を封止するために第１部材を押圧する方向と、が相対するので、かち合うことがなく、連続的に操作する場合に、各々の方向に対して両手等で前準備しておけば、操作が効率的になり、迅速性が高まる、という効果がある（効果他２−１）（効果他６−１）。
（２）前記容積部内に挿入後の口径を拡げた前記袋の口の短手方向の長さより、前記断面略Ｃ字状の間から露出した断面略Ｉ字状上面の短手方向の長さが大きいことにより、使用する袋のサイズ、大きさが限定されてしまうのを緩和することができる、という効果がある（効果１−２−２）。
また、前記容積部内に挿入後の口径を拡げた前記袋の口の短手方向の長さより、前記断面略Ｃ字状の間から露出した断面略Ｉ字状上面の短手方向の長さが大きいことにより、第１部材と第２部材とによって封止した袋の口を解除するため、はずそうとして、第１部材を押動させた場合に、レール形状の雌部に袋の口が上面側で挟まれたりすることがなく、取り外しは比較的容易であり、動作がスムーズで、また、袋の口の一部が裂けたりする恐れも少ない、という効果がある（効果１−３−２）。
また、前記容積部内に挿入後の口径を拡げた前記袋の口の短手方向の長さより、前記断面略Ｃ字状の間から露出した断面略Ｉ字状上面の短手方向の長さが大きいことにより、該開口したままの開口部に移動して覆って塞がった袋の口、あるいは、第１部材と第２部材との間に挟まれた袋の口の入り込み状態を把握する場合等、目で確認する時に確認しやすい、という効果がある（効果１−４−２）。
また、前記容積部内に挿入後の口径を拡げた前記袋の口の短手方向の長さより、前記断面略Ｃ字状の間から露出した断面略Ｉ字状上面の短手方向の長さが大きいことにより、幅が広く、指等を接して押動させることが比較的容易で、手のひらで第２部材を支えつつ、指先で第１部材を押動でき、片手で操作でき、つまり、片手で押動しようとする場合、操作が比較的容易である、という効果がある（効果１−６−２）。
（３）前記袋の口が収容可能な中空部を前記容積部内に設け、開口したままの前記開口部を含めた容積部は、容積部内の該中空部に挿入後の口径を拡げた該袋の口を掛止し、該中空部の短手方向の最大長さより、前記断面略Ｃ字状の間から露出した断面略Ｉ字状上面の短手方向の長さが大きいことにより、使用する袋のサイズ、大きさが限定されてしまうのを緩和することができる、という効果がある（効果１−２−３）。
また、前記袋の口が収容可能な中空部を前記容積部内に設け、開口したままの前記開口部を含めた容積部は、容積部内の該中空部に挿入後の口径を拡げた該袋の口を掛止し、該中空部の短手方向の最大長さより、前記断面略Ｃ字状の間から露出した断面略Ｉ字状上面の短手方向の長さが大きいことにより、第１部材と第２部材とによって封止した袋の口を解除するため、はずそうとして、第１部材を押動させた場合に、レール形状の雌部に袋の口が上面側で挟まれたりすることがなく、取り外しは比較的容易であり、動作がスムーズで、また、袋の口の一部が裂けたりする恐れも少ない、という効果がある（効果１−３−３）。
また、前記袋の口が収容可能な中空部を前記容積部内に設け、開口したままの前記開口部を含めた容積部は、容積部内の該中空部に挿入後の口径を拡げた該袋の口を掛止し、該中空部の短手方向の最大長さより、前記断面略Ｃ字状の間から露出した断面略Ｉ字状上面の短手方向の長さが大きいことにより、該開口したままの開口部に移動して覆って塞がった袋の口、あるいは、第１部材と第２部材との間に挟まれた袋の口の入り込み状態を把握する場合等、目で確認する時に確認しやすい、という効果がある（効果１−４−３）。
また、前記袋の口が収容可能な中空部を前記容積部内に設け、開口したままの前記開口部を含めた容積部は、容積部内の該中空部に挿入後の口径を拡げた該袋の口を掛止し、該中空部の短手方向の最大長さより、前記断面略Ｃ字状の間から露出した断面略Ｉ字状上面の短手方向の長さが大きいことにより、幅が広く、指等を接して押動させることが比較的容易で、手のひらで第２部材を支えつつ、指先で第１部材を押動でき、片手で操作でき、つまり、片手で押動しようとする場合、操作が比較的容易である、という効果がある（効果１−６−３）。
（４）前記断面略Ｃ字状の間から露出した断面略Ｉ字状上面の短手方向の長さが１０ｍｍ以上としてあるので、断面略Ｉ字状上面と、その上面に接した指との間に影響する個々の複雑な要因が絡みあっているという背景があっても安全性が高くなり、押動させる場合に摺動しにくいということは回避されやすいという確実性があり、該断面略Ｃ字状の間から露出した該断面略Ｉ字状上面に指を接して押動させると、レール形状の雌部とレール形状の雄部とが確実に摺動に導かれる、という効果がある（効果他１−３）。
また、前記断面略Ｃ字状の間から露出した断面略Ｉ字状上面の短手方向の長さが１０ｍｍ以上としてあるので、該長さに袋の口が入り込んでも、使用する袋のサイズ、大きさが限定されてしまうのを緩和することができる、という効果がある（効果１−２−４）。
また、前記断面略Ｃ字状の間から露出した断面略Ｉ字状上面の短手方向の長さが１０ｍｍ以上としてあるので、第１部材と第２部材とによって封止した袋の口を解除するため、はずそうとして、第１部材を押動させた場合に、レール形状の雌部に袋の口が上面側で挟まれたりすることがなく、取り外しは比較的容易であり、動作がスムーズで、また、袋の口の一部が裂けたりする恐れも少ない、という効果がある（効果１−３−４）。
また、前記断面略Ｃ字状の間から露出した断面略Ｉ字状上面の短手方向の長さが１０ｍｍ以上としてあるので、該開口したままの開口部に移動して覆って塞がった袋の口、あるいは、第１部材と第２部材との間に挟まれた袋の口の入り込み状態を把握する場合等、目で確認する時に確認しやすい、という効果がある（効果１−４−４）。
また、前記断面略Ｃ字状の間から露出した断面略Ｉ字状上面の短手方向の長さが１０ｍｍ以上としてあるので、幅が広く、指等を接して押動させることが比較的容易で、手のひらで第２部材を支えつつ、指先で第１部材を押動でき、片手で操作でき、つまり、片手で押動しようとする場合、操作が比較的容易である、という効果がある（効果１−６−４）。
（５）前記レール形状の雌部の第1部材の長手方向の前半側、または、前記レール形状の雌部の第２部材の長手方向の前半側に前記レール形状の雌部を配してあるので、レール形状の雄部の第２部材またはレール形状の雄部の第１部材が押動され、袋の口が封止され、および、第１部材と第２部材とが係止される場合に、レール形状の雌部とレール形状の雄部との係合する力が、第１部材の前半側または第２部材の前半側に加わり、さらに強固な力となり、封止および係止される力が高まる、という効果がある（効果２−１−１）（効果５−１）。
また、前記レール形状の雌部の第1部材の長手方向の前半側、または、前記レール形状の雌部の第２部材の長手方向の前半側に前記レール形状の雌部を配してあるので、レール形状の雄部の第２部材またはレール形状の雄部の第１部材が、第１部材の長手方向の後半側から前半側の方向へ、あるいは、第１部材の長手方向の前半側から後半側の方向へ押動される場合に、第１部材の前半側または第２部材の前半側については、ガタツキ等が発生しにくく、押動する場合の安定性が比較的良い、という効果がある（効果２−５）（効果５−５）。
（６）前記レール形状の雌部の第1部材の長手方向の中間側、または、前記レール形状の雌部の第２部材の長手方向の中間側に前記レール形状の雌部を配してあるので、レール形状の雄部の第２部材またはレール形状の雄部の第１部材が押動され、袋の口が封止され、および、第１部材と第２部材とが係止される場合に、レール形状の雌部とレール形状の雄部との係合する力が、第１部材の中間側または第２部材の中間側に加わり、容積部の後半寄りにて、さらに強固な力となり、封止および係止される力が高まる、という効果がある（効果８−１）（効果４−１）。
また、前記レール形状の雌部の第1部材の長手方向の中間側、または、前記レール形状の雌部の第２部材の長手方向の中間側に前記レール形状の雌部を配してあるので、レール形状の雄部の第２部材またはレール形状の雄部の第１部材が、第１部材の長手方向の後半側から前半側の方向へ、あるいは、第１部材の長手方向の前半側から後半側の方向へ押動される場合に、第１部材の中間側または第２部材の中間側については、ガタツキ等が発生しにくく、押動する場合の安定性が比較的良い、という効果がある（効果８−５）（効果４−５）。
（７）前記レール形状の雌部の第1部材の長手方向の後半側、または、前記レール形状の雌部の第２部材の長手方向の後半側に前記レール形状の雌部を配してあるので、レール形状の雄部の第２部材、または、レール形状の雄部の第１部材が、第１部材の長手方向の後半側から前半側の方向へ、あるいは、第１部材の長手方向の前半側から後半側の方向へ押動される場合に、第２部材の後半側、または、第１部材の後半側については、ガタツキ等が発生しにくく、押動する場合の安定性が比較的良い、という効果がある（効果７−５）（効果３−５）。
（８）前記レール形状の雌部の第1部材の長手方向の全長、または、前記レール形状の雌部の第２部材の長手方向の全長に前記レール形状の雌部を配してあるので、第１部材または第２部材が押動され、袋の口が封止され、および、第１部材と第２部材とが係止される場合に、レール形状の雌部とレール形状の雄部との係合する力が、第２部材の前半側または第１部材の前半側に加わり、さらに強固な力となり、封止および係止される力が高まる、という効果がある（効果６−１）（効果１−１−２）。
また、前記レール形状の雌部の第1部材の長手方向の全長、または、前記レール形状の雌部の第２部材の長手方向の全長に前記レール形状の雌部を配してあるので、レール形状の雄部の第２部材またはレール形状の雄部の第1部材が、第１部材の長手方向の前半側から後半側の方向へ、あるいは、第１部材の長手方向の後半側から前半側の方向へ押動される場合に、第１部材の全長または第２部材の全長にわたって、ガタツキ等が発生しにくく、押動する場合の安定性が比較的良い、という効果がある（効果６−５）（効果１−５）。
（９）前記レール形状の雄部の第1部材が、第１部材の長手方向の前半側から後半側の方向へ押動された場合、または、前記レール形状の雄部の第２部材が、第１部材の長手方向の後半側から前半側の方向へ押動された場合に、第２部材の先端が開口部より突出しているので、開口部が袋の口によって覆われて塞がれ、第１部材と第２部材との間に袋の口が挟まれ、封止される場合に、第１部材を押動させる位置、または、第２部材を押動させる位置が限定されるのを緩和でき、袋の口を封止する力が向上する、という効果がある（効果１−１−１）（効果２−１−２）。
また、前記レール形状の雄部の第1部材が、第１部材の長手方向の前半側から後半側の方向へ押動された場合、または、前記レール形状の雄部の第２部材が、第１部材の長手方向の後半側から前半側の方向へ押動された場合に、第２部材の先端が開口部より突出しているので、開口部が袋の口によって覆われて塞がれ、第１部材と第２部材との間に袋の口が挟まれ、封止される場合に、第１部材を押動させる位置、または、第２部材を押動させる位置が限定されるのを緩和でき、使用する袋のサイズ、大きさが限定されてしまうのを緩和することができる、という効果がある（効果１−２−５）（効果２−２−１）。
また、前記レール形状の雄部の第1部材が、第１部材の長手方向の前半側から後半側の方向へ押動された場合、または、前記レール形状の雄部の第２部材が、第１部材の長手方向の後半側から前半側の方向へ押動された場合に、第２部材の先端が開口部より突出しているので、押動された場合の第１部材の位置が限定されることが少なく任意に調整しやすい、任意に調整できる範囲が拡がるという効果がある（効果他１−１４）（効果他２−２）。
また、前記レール形状の雄部の第1部材が、第１部材の長手方向の前半側から後半側の方向へ押動された場合、または、前記レール形状の雄部の第２部材が、第１部材の長手方向の後半側から前半側の方向へ押動された場合に、第２部材の先端が開口部より突出しているので、第１部材と第２部材との間に袋の口が挟まれ、封止される場合に、封止された後、係止および封止の状態を解除する意思が特になく、不可抗力等によって不意に、該レール形状の雄部の第1部材または雄部の第２部材が、押動された時でも、第２部材の先端が開口部より突出している分だけ、すぐには、係止および封止の状態が解除されることがなく、安全である、という効果がある（効果他１−１５）（効果他２−３）。
【発明を実施するための最良の形態】
【００５１】
以下に、添付図面に基づいて本発明の実施の形態について詳細に説明するが、本発明の範囲は、以下に説明される実施の形態に限定されるものではない。また、前記（発明が解決しようとする課題）の項で記載した各課題に付した番号については、例えば、（課題１−１−１）の初めの数字「１」は実施例１を、２番目の数字は課題の番号を、３番目の数字はその連番を表現している。また、前記（発明の効果）の項で記載した各効果に付した番号については、各課題に付した番号に対応するかたちで記載してある。例えば、（課題１−１−１）に対応する効果に付した番号は（効果１−１−１）というようにしてある。なお、当該明細書に記載してある各効果であって、前記（発明が解決しようとする課題）の項または当該明細書にて、対応する課題を特に記載していないものについては、当該明細書に記載してある各効果に付してある番号については、この限りではない。
【００５２】
本発明の一実施形態である、各実施例について記す。図について、一部、説明する。なお、図８〜９にて、次のようにしてある。図８、９は、図６にて、図中の線Ｘ１Ｘ２をＸ３方向から見た部分断面図に袋の口を付け加えて動作を説明した図で、２５０％に拡大してある。また、図８、１３〜１６の作用の順番は、１３、１４、８、１５、９となっている。また、各図について、各実施例にて、袋の口を一部省略して描いてある。
【００５３】
次に、当該明細書にて、記載の用語の意味等について補完する。「係合」「係止」について記す。「係合」「係止」という用語は広辞苑には記載されていない。特許技術用語集第２版（日刊工業新聞社）には記載がある。「係合」は、係わり合うこと。（例）左右の歯車が係合し、回転が伝達される。受け具と可動突起が係合してドアが閉鎖される。「係止」は、係わり合って止まること。（例）移動板をストッパで係止する。歯車と係止爪が係合し回転が係止される。と記載されている。以上から、どちらかといえば、「係合」は過程、手段、「係止」は過程、手段および結果を表現するものであって、大きな差異はない。当該出願の文言にて、係止を係合と代えて記してもよい。係合具としてもよい。また、「係合」する「方向」、「係止」する「方向」の各々の「方向」について、「係合」「係止」の用語自体の中に含まれているという記載は特に見当たらない。よって、当該明細書では、「係合」「係止」の用語自体の中には、方向性は含まれないと認識する。先に記したが、「係止」については、特許技術用語集第２版（日刊工業新聞社）によると、係わり合って止まること、と記載がある。この「係わり合う」については、広辞苑によると、関係を持つ、と記載がある。つまり、関係を持って止まることが「係止」であると理解される。各実施例にて、「係止」の状態は、関係を持って止まる、ことを意味している。関係については、各々の実施例に記載してある。次に、「封止」について記す。「封止」という用語は広辞苑には記載されていない。特許技術用語集第２版（日刊工業新聞社）には記載がある。開口を閉鎖すること。閉（封）じ込めること。と記載されている。開口を閉鎖する量的なものについて、「封止」の用語自体の中に含まれているという記載は特に見当たらない。よって、当該明細書では、「封止」の用語自体の中には、閉鎖する量的なものは含まれないと認識する。次に、「掛止」について記す。「掛止」という用語は広辞苑には記載されていない。特許技術用語集第２版（日刊工業新聞社）には記載がある。引っ掛けて止めること。と記載されている。次に、「収容」について記す。「収容」という用語は広辞苑に記載がある。人や物品を一定の場所におさめ入れること。と記載されている。次に、「押動」について記す。「押動」という用語も広辞苑には記載されていない。特許技術用語集には記載がある。「押動」は、押して動かすこと、と記載されている。また、「押圧」という用語も広辞苑には記載されていない。特許技術用語集には記載があり、「押圧」は、圧して押えつけること、と記載されている。当該明細書に記載の「押動」については、特許技術用語集には記載があったように、押して動かすこと、つまり、圧して押えつけて（その結果）動かすことであり、用語の使用としては、「押圧」と同様の使い方をしてある。「押止」と「押圧」を置き換えた文を一部に記載してある。
【００５４】
次に、実施例１である、係止具（１）について記す。実施例１である、係止具（１）は、図１〜１６にて、次のようにしてある。図１〜９、３３にて、袋の口（２）を封止する係止具であって、断面略Ｃ字状（８）のレール形状の雌部（５）の第２部材（６）と、断面略Ｉ字状（９）のレール形状の雄部（３）の第１部材（４）とで構成されている。該レール形状（７）（１６）は長手方向（方向Ｎ）に直線状に配置されている。該レール形状の雌部（５）と該レール形状の雄部（３）とは係合して摺動する。
【００５５】
次に、上記について一部補足説明する。断面とは、短手方向から見た断面をさしている。断面略Ｃ字状（８）のレール形状の雌部（５）の第２部材（６）という文言は、断面から見た場合に、左側に断面略Ｃ字状（８）のレール形状の雌部（５）、右側に断面略Ｃ字状（８）のレール形状の雌部（５）が各々設けてある、ということを述べている訳ではない。左側の部分と、右側の部分と、その左側の部分と右側の部分との間にある母材とを一体的にした形状の全てをさしたものであり、その全体を断面から見た場合にＣ字状であり、そのことを述べている。断面略Ｉ字状（９）のレール形状の雄部（３）の第１部材（４）も同様としてある。断面略Ｉ字状（９）のレール形状の雄部（３）の第１部材（４）という文言は、断面から見た場合に、左側に断面略Ｉ字状（９）のレール形状の雄部（３）、右側に断面略Ｉ字状（９）のレール形状の雄部（３）が各々設けてある、ということを述べている訳ではない。左側の部分と、右側の部分と、その左側の部分と右側の部分との間にある母材とを一体的にした形状の全てをさしたものであり、その全体を断面から見た場合にＩ字状であり、そのことを述べている。つまり、全体のかたちとしてレール形状となっている断面略Ｃ字状（８）のレール形状の雌部（５）に、全体のかたちとしてレール形状となっている断面略Ｉ字状（９）のレール形状の雄部（３）がはまり込むようにしてある。また、断面略Ｉ字状（９）のレール形状の雄部（３）は、平板状で、全体として、薄手の平たい板で構成してある。また、該レール形状の雌部（５）は、断面略Ｃ字状（８）に代えて、例えば、断面略Ｕ字状、断面略コ字状、断面略凹字状という表現でもよい。なお、該レール形状の雌部（５）は断面略Ｃ字状（８）であり、レール形状の雄部（３）の断面略Ｉ字状（９）を係合させた場合に上下方向にて抜け落ちない構成としてある。実施例１の断面略Ｃ字状（８）のレール形状の雌部（５）は、断面から見て、「Ｃ」の字そのものの形状にて、Ｃの両端が角ばっていて曲がっている形状ではないので、厳密に述べれば、「Ｃ」そのものではない。しかし、実施例１は、断面から見て、「Ｃ」の字そのものの形状にて、Ｃの両端が角ばっているだけであり、「Ｃ」に近い形状であることから、「略Ｃ字」と表現した。この「略」には、断面から見て、「Ｃ」の字そのものの形状にて、両端が曲がっている「Ｃ」の形状に近く、両端が角ばっているものを含めるということで表現して記載してある。「Ｃ」の曲線部を角型にした、言い換えると、「Ｃ字状」の角型とも記すことができる。「略Ｃ字状」の「略」の部分が「角型」に相当し、角型「Ｃ字状」、つまり、「略Ｃ字状」を表現している、ともいえる。なお、「Ｃ」は、両端が曲がっているので、係合させた状態で上下逆さにしても、レール形状の雌部（５）の両端にレール形状の雄部（３）は引っ掛かり、脱落することはない。また、「断面略Ｃ字状」については、例えば次のようなものも含んでいる。コ字状にて、「コ」の字そのものの形状にて、コの両端を内側へ折り込んだ形状も含んでいる。例えば、ホッチキスの針をとめた時の断面の形状なども含んでいる。折り込む角度は直角に近い角度であるが、特に限定しない。なお、以上については、一部、具体例として、実施例１０、１１に記載してある。また、第1部材（４）の容積部（１１）近傍にレール（２６）（２７）が沿うように第２部材（６）のレール形状の雌部（５）を設けてある。容積部（１１）のやや外側に配してある。なお、第２部材（６）に対応して移動可能に第１部材（４）を配して、第２部材（６）に第１部材（４）を摺動可能に設けてあり、第２部材（６）のレール形状の雌部（５）によって第１部材（４）が案内されるので操作が容易である、という効果がある（効果他１−１）。特に図示しないが、断面略Ｉ字状（９）のレール形状の雄部（３）は、断面略凸字状でもよい。
【００５６】
該断面略Ｃ字状（８）の間から露出した該断面略Ｉ字状（９）上面（１０）に指を接して押動させると、レール形状の雌部（５）とレール形状の雄部（３）とが摺動する。
【００５７】
次に、上記について一部補足説明する。該断面略Ｃ字状（８）の間から露出した、というのは、具体的には、図６にて、該断面略Ｃ字状（８）の間の長さ（Ａ）部分から露出しているという意味である。該断面略Ｃ字状（８）の間から露出した該断面略Ｉ字状（９）上面（１０）の上方には、障害物等は何もないので、その上面（１０）に指をのせたりして接することが可能である。レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動する、については、該断面略Ｃ字状（８）の間から露出した該断面略Ｉ字状（９）上面（１０）に指を接して「押動させることによって、」レール形状の雌部（５）とレール形状の雄部（３）とが摺動する、とも言える。
【００５８】
前記断面略Ｃ字状（８）の間から露出した断面略Ｉ字状（９）上面（１０）の短手方向（矢印Ｔ）の長さ（Ａ）が１０ｍｍ以上としてある。
【００５９】
次に、上記について一部補足説明する。レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動するようにするには、図６にて、レール形状の雌部（５）の断面略Ｃ字状（８）の間から露出したレール形状の雄部（３）の断面略Ｉ字状（９）上面（１０）の短手方向（矢印Ｔ）の長さ（Ａ）がある一定以上必要になる。しかし、断面略Ｉ字状（９）上面（１０）と、その上面（１０）に接した指との間に発生する各要因に左右されるので、長さ（Ａ）を求めるのは容易ではない。断面略Ｉ字状（９）を押動させる場合に、断面略Ｉ字状（９）上面（１０）と、その上面（１０）に接した指との間に影響する各要因としては、工学的な見地からは、材料の強度、材質、レール形状の雌部（５）とレール形状の雄部（３）との摺動面の表面粗さなどの加工精度および摺動面の状態、レール形状の雌部（５）の断面略Ｃ字状（８）の両端の高さと、その断面略Ｃ字状（８）の間から露出したレール形状の雄部（３）の断面略Ｉ字状（９）上面（１０）の高さとの差等、また、皮膚科学的な見地からは、人間の皮膚特性にて、指の保湿性、皮表脂質量、不感蒸泄、皮膚温等の影響が考慮される。なお、指を接して押動させようとする場合の押圧する力については、指先を制御するための動きは年齢が低いと過剰気味になる傾向も一部あるので、押圧する力も大きくなりやすいという要素がある。また、より厳密に考えると、断面略Ｉ字状（９）を押動させた場合、物理学的に見て、レール形状の雄部（３）の断面略Ｉ字状（９）が静止摩擦力をたとえ超えて動いたとしても、生物学的に見ると、指先の接触面における感覚受容器からの入力信号により、押動したという感覚を本当に脳で認識したかの有無という要素も残る。以上のように、断面略Ｉ字状（９）上面（１０）と、その上面（１０）に接した指との間に影響する個々の複雑な要因が絡みあっているという背景がある。しかし、指のサイズから長さ（Ａ）を求めれば、これらの要因があったとしても安全性が高くなり、押動させる場合に摺動しにくいということは回避されやすいという確実性がある。よって、指のサイズから長さ（Ａ）を求める。指の爪のはえぎわから指先端までの中間の位置のおける指の幅にて、親指、人さし指、中指の３本についての平均値は１４．７ｍｍ、最小値は１０．４ｍｍ（出典。河内まき子、２０１２、国立研究開発法人産業技術総合研究所、日本人の手の寸法データ、ｈｔｔｐｓ：／／ｗｗｗ．ｄｈ．ａｉｓｔ．ｇｏ．ｊｐ／ｄａｔａｂａｓｅ／ｈａｎｄ／ｉｎｄｅｘ．ｈｔｍｌ）であることから、長さ（Ａ）は１０ｍｍ程度以上は必要と推測される。つまり、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動するようにするには、長さ（Ａ）は１０ｍｍ以上が必要ということになる。なお、「該断面略Ｃ字状の間から露出した該断面略Ｉ字状上面に指を接して押動させると、レール形状の雌部とレール形状の雄部とが摺動する」の「指を接して」という文言は、断面略Ｃ字状の間から露出した該断面略Ｉ字状上面の短手方向（矢印Ｔ）の長さ（Ａ）、指を接するための長さが、指の幅である１０ｍｍ程度はある、ということをここでは示している。この１０ｍｍ程度というのは、例えば、前後１ｍｍ程度を含む、およそ９〜１１ｍｍぐらいを述べているが、厳密性はない。このように、指を接するための長さが、指の幅である１０ｍｍ程度はあるので、前述した、断面略Ｉ字状（９）上面（１０）と、その上面（１０）に接した指との間に影響する個々の複雑な要因が絡みあっているという背景があっても安全性が高くなり、押動させる場合に摺動しにくいということは回避されやすいという確実性があり、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが確実に摺動に導かれる、という効果がある（効果他１−２）。なお、別の言い方として、該断面略Ｃ字状（８）の間から露出した該断面略Ｉ字状（９）上面（１０）に「指先のおよそ全面」を接して押動させると、レール形状の雌部（５）とレール形状の雄部（３）とが摺動する、と記してもよい。
【００６０】
あるいは、前記断面略Ｃ字状（８）の間から露出した断面略Ｉ字状（９）上面（１０）の短手方向（矢印Ｔ）の長さ（Ａ）が１０ｍｍ以上としてあるので、前述した、断面略Ｉ字状（９）上面（１０）と、その上面（１０）に接した指との間に影響する個々の複雑な要因が絡みあっているという背景があっても安全性が高くなり、押動させる場合に摺動しにくいということは回避されやすいという確実性があり、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが確実に摺動に導かれる、という効果がある（効果他１−３）。
【００６１】
各実施例の材料としては、合成樹脂、あるいは、弾性のあるものなどを主とするが、例えば、塩化ビニル、ポリ塩化ビニル、ＡＢＳ、スチロール、ポリオレフィン、ポリエチレンを用いてもよい。ＰＡ（ポリアミド）、ＰＢＴ（ポリブチレンテレフタレート）、ＰＯＭ（ポリアセタール）（ポリオキシメチレン）、ポリプロピレンなどの熱可塑性樹脂を用いてもよい。軟質系の合成樹脂、硬質系の合成樹脂等、あるいは、この限りではなく、適宜、他の材料を選択してもよい。また、基本的には、押出成形加工、抜き出し加工等によって製造する。
【００６２】
また、特に図示しないが、実施例１の係止具にて、次のようにしてもよい。「該断面略Ｃ字状（８）の間から露出した該断面略Ｉ字状（９）上面（１０）に指を接して押動させると、レール形状の雌部（５）とレール形状の雄部（３）とが摺動する」にて、次のようにしてもよい。「該断面略Ｃ字状（８）の間から露出した該断面略Ｉ字状（９）上面（１０）に指を接して押動させると」に代えて、「該断面略Ｃ字状（８）の間から露出した該断面略Ｉ字状（９）上面（１０）に取っ手を設け、取っ手を押動させると」してもよい。実施例１である、係止具（１）は、先に記したように、指を接して摺動させるには、図６にて、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、ある一定以上必要になる。長さ（Ａ）は一概に断定は難しいが、長さ（Ａ）は１０ｍｍ程度以上が必要と推測される。しかし、該断面略Ｃ字状（８）の間から露出した該断面略Ｉ字状（９）上面（１０）に取っ手を設ける場合は、この限りではない。なお、例えば、取っ手を設ける場合は、「該断面略Ｃ字状（８）の間から露出した該断面略Ｉ字状（９）上面（１０）側に指を接して押動させると、レール形状の雌部（５）とレール形状の雄部（３）とが摺動する」という表現になり、「上面（１０）側」となる。しかし、実施例１である、係止具（１）は、取っ手を設けていないので、上面（１０）に直接、指を接するので「該断面略Ｃ字状（８）の間から露出した該断面略Ｉ字状（９）上面（１０）に指を接して押動させると、レール形状の雌部（５）とレール形状の雄部（３）とが摺動する」という表現になり、「上面（１０）」という文言になる。つまり、「上面（１０）側」ではなく、「上面（１０）」という文言は、取っ手を設けていないということを述べ、上面（１０）に直接、指を接するということを述べている。
【００６３】
該袋の口（２）が収容可能な容積部（１１）を第１部材（４）の長手方向（方向Ｎ）の前半側（１２）に設けてある。
【００６４】
前記袋の口（２）が収容可能な中空部（２９）を前記容積部（１１）内に設けてある。
【００６５】
次に、上記について一部補足説明する。第１部材（４）は、袋の口（２）を収容可能な容積部（１１）を有している。容積部（１１）は、袋の口（２）を収容可能な空間である中空部（２９）を有する。中空部（２９）、に代えて、空間部と称してもよい。中空部（２９）は、環状、円形状に設けてある。なお、中空部（２９）の形状は、四角形状、六角形状、多角形状、半円状、楕円状に設けてもよい。また、他の形状に設けてもよい。第１部材（４）の長手方向（方向Ｎ）の前半側（１２）について、前半というのは、第１部材（４）の長手方向、第１部材（４）のレール方向にて、二分した場合の前半分という意味であるが、前半側なので、正確に二分した場合の正確な前半分だけを述べている訳ではなく、その前後も含む範囲ということを記載してある。
【００６６】
該容積部（１１）は開口部（１３）を備えてある。第１部材（４）の長手方向（方向Ｎ）の先端（１４）に該開口部（１３）を設けてある。
【００６７】
次に、上記について一部補足説明する。図３にて、開口部（１３）は、端部（２１Ａ）と、端部（２１Ｂ）とによって構成され、端部（２１Ａ）（２１Ｂ）間に配置してある。開口部（１３）は、容積部（１１）の外縁の一側の近傍に設けてある。図示してあるように、開口部（１３）は容積部（１１）に一体的に設けてある。可動するようなものではない。常時、開口したままで固定されたものである。該容積部（１１）の外端から該容積部（１１）の内側に向かって先窄まりしていく該開口部（１３）を設けてある。開口部（１３）を５００％に拡大した図１６にて、開口部（１３）は、辺ＶＡＲＡ、辺ＶＢＲＣ間、および、辺ＲＡＲＢ、辺ＲＣＲＤ間にて構成してある。開口部（１３）の辺ＶＡＲＡ、辺ＶＢＲＣは、容積部（１１）の端部または一端から、容積部（１１）の中心部に向かってＶ字状に先窄まりしてある。つまり、開口部（１３）の辺ＶＡＲＡ、辺ＶＢＲＣは、容積部（１１）の中心部から容積部（１１）の端部（２１Ａ）（２１Ｂ）に向かって拡がるように設けてある。テーパー状にしてある。開口部（１３）の辺ＲＡＲＢ、辺ＲＣＲＤは、容積部（１１）の中心部に向かって真っ直ぐ、直線的に切り欠いてある。スリット状にしてある。辺ＲＡＲＢ、辺ＲＣＲＤに対して、辺ＶＡＲＡ、辺ＶＢＲＣは、４０度程度外側へ傾斜させて、拡がるように各々設けてある。容積部（１１）の中心から点ＶＡまでの長さ、より、容積部（１１）の中心から点ＲＢまでの長さ、を差し引いた長さ、と、容積部（１１）の中心から点ＲＡまでの長さ、より、容積部（１１）の中心から点ＲＢまでの長さ、を差し引いた長さ、との比率は、２対１程度としてある。容積部（１１）の中心部寄りにある開口部（１３）内側の辺ＲＡＲＢ、辺ＲＣＲＤ間の長さ（Ｒ）は、開口部（１３）外側のＶＡＶＢ間の長さ（Ｖ）より小さくしてある。つまり、負荷が加わっていない開口部（１３）にて、最小長さを長さ（Ｒ）に、最大長さを長さ（Ｖ）に設けてある。また、図１１、１２、１６にて、開口部（１３）の最小長さ（Ｒ）は、指等で寄せて縮小させた袋の口（２Ａ）の最小長さより大きく、指等で寄せて縮小させた後、袋の弾性復帰する力等により戻って拡がった袋の口（２Ｂ）の長さより小さくしてある。なお、開口部（１３）の各々の長さ、大きさは、袋の口（２）の長さ、大きさ、形状、袋の厚さ、袋の材質、弾力性等により相違し、また、容積部（１１）等の材質により相違する。また、特に図示しないが、次のようにしてもよい。実施例１にて、容積部（１１）の中心部寄りにある開口部（１３）内側の辺ＲＡＲＢ、辺ＲＣＲＤ間の長さ（Ｒ）、つまり、前記開口部（１３）の最小長さ（Ｒ）を、辺ＲＡＲＢと辺ＲＣＲＤとがくっつくぐらい短く設けてもよい。また、容積部（１１）の端部（２１Ａ）（２１Ｂ）から容積部（１１）の内側に向かって先窄まりしていくように開口部（１３）を設けてあるので、口径を絞った該袋の口（２Ａ）を容積部（１１）内に挿入する場合、比較的容易に挿入できる、という効果がある（効果他１−４）。
【００６８】
次に、開口部（１３）と、袋の口（２）との作用について、一部、説明する。図１１にて、該開口部（１３）は、口径（２２）を絞った該袋の口（２Ａ）を出入する。また、図１２にて、開口したままの該開口部（１３）を含めた容積部（１１）は、容積部（１１）内に挿入後の口径を拡げた該袋の口（２Ｂ）を掛止する。
【００６９】
より具体的に記すと次のようになる。開口したままの前記開口部（１３）を含めた容積部（１１）は、容積部（１１）内の該中空部（２９）に挿入後の口径を拡げた該袋の口（２）を掛止する。
【００７０】
次に、上記について一部補足説明する。図１０、１１にて、拡がっている袋の口（２）を寄せて指等で縮小させて、開口部（１３）に挿入する。なお、開口部（１３）は、口径（２２）を絞った該袋の口（２Ａ）を出入する、については、口径（２２）を絞った該袋の口（２Ａ）は、開口部（１３）にて、出し入れの両方が可能であるということを表現している。通常、合成樹脂、紙など、軽微な弾力性を有する袋を使用するので、挿入した後の袋の口（２Ａ）は、図１２にて、袋の弾性復帰する力により、元の大きさに近い状態などに戻ろうとして、再度、拡がる（２Ｂ）。なお、該開口部（１３）は、該容積部（１１）内に挿入後の口径を拡げた該袋の口（２Ｂ）、については、開口部（１３）へ向かって挿入して、容積部（１１）内にある挿入後の該袋の口（２）の口径を拡げたもの、を表現する。挿入できたのは、開口部（１３）は、口径を絞った該袋の口（２Ａ）を出入する、と前段で記したように、口径を絞ったからで、口径を拡げたままのものは挿入が容易ではない。該容積部（１１）内に挿入後、開口部（１３）の最小長さ（Ｒ）より拡がった袋の口（２Ｂ）は、前記開口部（１３）から容積部（１１）の外へ出ることはない。容積部（１１）内に挿入後の口径を拡げた該袋の口（２Ｂ）を掛止するのは、開口部（１３）だけではなく、開口部（１３）を含めた容積部（１１）である。また、掛止については、袋の口（２Ｂ）が口径を拡げることにより、合成樹脂、紙など、軽微な弾力性を有する通常の袋の弾性復帰する力により発生した押圧する力が、容積部（１１）内に加わり、ストッパーして働き、引っ掛かって止まり、開口部（１３）を含めた容積部（１１）内から、抜け出したり、落下したりせず、開口部（１３）を含めた容積部（１１）全体が袋の口（２Ｂ）を支えている、ということを述べている。開口部（１３）に掛止され、開口部（１３）から袋の口（２Ｂ）が脱落して抜き出たり、はみ出したりすることはない。つまり、開口部（１３）を備えた容積部（１１）を設けることにより、容積部（１１）に袋の口（２Ａ）が挿入した後、容積部（１１）から袋の口（２Ｂ）が脱落して抜き出たり、はみ出したりすることが少なくなる、という効果がある（効果他１−５）。また、容積部（１１）の端部（２１Ａ）（２１Ｂ）から容積部（１１）の内側に向かって先窄まりしていくように開口部（１３）を設けてあるので、容積部（１１）に袋の口（２Ｂ）が挿入した後、容積部（１１）から袋の口（２Ｂ）が脱落して抜き出たり、はみ出したりしづらい、という効果がある（効果他１−６）。
【００７１】
次に、開口部（１３）と袋の口（２）との作用、第１部材（４）、第２部材（６）の作用等について説明する。該レール形状の雄部（３）の第1部材（４）が、第１部材（４）の長手方向（方向Ｎ）の前半側（１２）から後半側（１５）の方向（矢印Ｈ）へ押動されると、該容積部（１１）内に挿入後の口径を拡げた袋の口（２）が第２部材（６）の先端（２３）によって開口部（１３）側へ移動する。該開口したままの開口部（１３）が該移動した袋の口（２Ｆ）によって覆われて塞がれる。第１部材（４）と第２部材（６）との間に袋の口（２）が挟まれる。
【００７２】
上記について、一部補足説明する。該レール形状の雄部（３）の第1部材（４）が、第１部材（４）の長手方向（方向Ｎ）の前半側（１２）から後半側（１５）の方向（矢印Ｈ）へ押動される、とは、つまり、該レール形状の雄部（３）の第1部材（４）が、第１部材（４）の先端（１４）側から後端側の方向（矢印Ｈ）へ押動される、であり、あるいは、第１部材（４）の開口部（１３）側から後端側の方向（矢印Ｈ）へ押動される、ということを記載してある。長手方向に少し押圧させて、レール形状の雌部（５）の内面とレール形状の雄部（３）の外面とを摺接させて移動させる。図８、９、１３〜１５にて図示してあるが、図の順番としては、図１３、１４、８、１５、９の順にしてある。第1部材（４）が押動されると、該容積部（１１）内に挿入後の口径を拡げた袋の口（２）が第２部材（６）の長手方向にある先端（２３）に押されて開口部（１３）側へ移動する。該押動された袋の口は、（２Ｃ）（２Ｄ）（２Ｅ）（２Ｆ）のように面積を縮小していく。結果、開口したままの開口部（１３）の内側は、押動された袋の口（２Ｆ）によって覆われる。つまり、実質的には、押圧された袋の口（２Ｆ）によって、開口部（１３）は閉じた状態になる。開口部（１３）は、そのままの開口した形であるのにもかかわらず、閉口した状態と同等となる。また、袋の口（２Ｆ）は押圧されて圧縮されているので、ストッパーとして作用し、開口したままの開口部（１３）から抜け出すことはない。該開口したままの開口部（１３）が該移動した袋の口（２Ｆ）によって覆われて塞がれる。第１部材（４）の容積部（１１）内と、第２部材（６）の先端とに袋の口（２Ｆ）が挟まれ、第２部材（６）の外側で袋の口（２Ｆ）が挟まれた状態となる。開口部（６）は、そのままの開口した形であるのにもかかわらず、開口したままの開口部（６）を含めた容積部（４）に挿入した袋の口（２）が封止される。そのため、開口部（６）を閉じるための機能を別に有する必要がなく、材料費を含めた加工コストが低減できる、という効果がある（効果他１−７）。
【００７３】
また、別の言い方をすると次のようにも記すことができる。第２部材（６）が第1部材（４）に差し入れられることにより、容積部（４）が閉塞される。あるいは、言い方をかえると次のようにも記すことができる。第２部材（６）が第1部材（４）に差し入れられることにより、容積部（４）が壅寒される。開口部（１３）から挿入した袋の口（２）が挟扼される中空部（２９）を容積部（４）に設けてある。
【００７４】
なお、「該レール形状の雄部（３）の第1部材（４）が、第１部材（４）の長手方向（方向Ｎ）の前半側（１２）から後半側（１５）の方向（矢印Ｈ）へ押動されると、該容積部（１１）内に挿入後の口径を拡げた袋の口（２）が第２部材（６）の先端（２３）によって開口部（１３）側へ移動する」は、別の言い方をすると、「レール形状の雌部（５）の第２部材（６）が、第１部材（４）の長手方向（方向Ｎ）の後半側（１５）から前半側（１２）の方向（矢印Ｈ）へ押動されると、該容積部（１１）内に挿入後の口径を拡げた袋の口（２）が第２部材（６）の先端（２３）によって開口部（１３）側へ移動する」とも記すことができる。
【００７５】
引き続き、開口部（１３）と袋の口（２）との作用、第１部材（４）、第２部材（６）の作用等について説明する。第１部材（４）と第２部材（６）との間に該開口部（１３）から挿入した袋の口（２）が挟まれることによって、袋の口（２）が封止される。および、第１部材（４）と第２部材（６）とが係止される。係止される係止具（１）としてある。
【００７６】
上記について、一部補足説明する。なお、図８、９にて、第２部材（６）内に挿入した第１部材（４）と、該第２部材（６）と、の間に袋の口（２）が挿入できるように隙間（１７）（１８）があらかじめ各々設けてある。設けてあるので、第２部材（６）内に挿入した第１部材（４）と、該第２部材（６）と、の隙間（１８）に袋の口（２）を挿入することは容易である。第１部材（４）の容積部（１１）内と、第２部材（６）の先端とに袋の口（２Ｆ）が挟まれた状態から、第１部材（４）の長手方向（方向Ｎ）の前半側（１２）から後半側（１５）の方向（矢印Ｈ）に、さらに、移動させる。さらに、移動させると、図９にて、第１部材（４）の下面側に袋の口（２Ｇ）が入ろうとして、隙間（１８）を拡げて、隙間（１７）を狭めて、第１部材（４）の下面側に袋の口（２Ｇ）が入ってその隙間（１８）に袋の口（２Ｇ）が挟まれた状態が構成される。つまり、第２部材（６）と、該第２部材（６）内に挿入した第１部材（４）との間に、前記開口部（１３）から挿入した袋の口（２Ｇ）が挟まれる。挟まれることによって該第１部材（４）と第２部材（６）とが係止する。係止する状態が構成される。断面から見ると、図９にて、第１部材（４）の該容積部（１１）の先端（１４）側である開口部（１３）の周辺下部と、第２部材（６）と、の間に、袋の口（２Ｇ）は挟まれ、該第１部材（４）と第２部材（６）とが係止する。開口したままの開口部（１３）が押動された袋の口（２Ｆ）によって覆われて塞がれ、該押動された袋の口（２Ｇ）が挟まれることによって該第１部材（４）と第２部材（６）とが係止する。挟まれるので封止される。つまり、係止と封止がほぼ同時に実施される。袋の口（２Ｆ）（２Ｇ）が挟まれて封止されるので、封止の確実性が向上する、という効果がある（効果他１−８）。また、開口したままの開口部（１３）を含めた容積部（１１）は、袋の口（２）を掛止して、かつ、袋の口（２）を封止する役目の一部を担うので、袋の口（２）の掛止と封止とを同一箇所で行うことができ、つまり、同一部材で兼用することが可能で、材料費の低減等ができる、という効果がある（効果他１−９）。また、長手方向（方向Ｎ）の、前半側（１２）から後半側（１５）の方向（矢印Ｈ）に第１部材（４）を軽く押圧させることにより少しずつ移動させることができるので、第１部材と第２部材との係止にて、係止する位置が任意に調整できる、という効果がある（効果他１−１０）。第１部材（４）と第２部材（６）との係止について、複雑な構造とする必要がなく、コンパクトにでき、材料費の低減が可能である、という効果がある（効果他１−１１）。基本的には、係止具（１）は、押出成形加工、抜き出し加工等によって製造可能であるので、比較的製造が容易で材料費の低減が可能である、という効果がある（効果他１−１２）。また、第１部材（４）と第２部材（６）とで構築される関係によっては、挟まれる袋の口（２）を押圧する力は適度な負荷を生じて、係止の確実性を向上させ、かつ、封止の確実性を向上させる場合もある。
【００７７】
前記レール形状の雌部（５）の第２部材（６）の長手方向（方向Ｎ）の前半側（１２Ａ）に前記レール形状の雌部（５）を配してある。また、前記レール形状の雌部（５）の第２部材（６）の長手方向（方向Ｎ）の中間側（２８Ａ）に前記レール形状の雌部（５）を配してある。また、前記レール形状の雌部（５）の第２部材（６）の長手方向（方向Ｎ）の後半側（１５Ａ）に前記レール形状の雌部（５）を配してある。つまり、前記レール形状の雌部（５）の第２部材（６）の長手方向（方向Ｎ）の全長（Ｃ）に前記レール形状の雌部（５）を配してある。
【００７８】
次に、上記について一部補足説明する。別の言い方をすると次のようにも記載できる。前記レール形状の雌部（５）の第２部材（６）の長手方向（方向Ｎ）の後端近傍から先端端近傍まで前記レール形状の雌部（５）を配してある。前記レール形状の雌部（５）の第２部材（６）の長手方向（方向Ｎ）の前半側（１２Ａ）、中間側（２８Ａ）、後半側（１５Ａ）に前記レール形状の雌部（５）を配してある。前記レール形状の雌部（５）の第２部材（６）の長手方向（方向Ｎ）の前半側（１２Ａ）から後半側（１５Ａ）に前記レール形状の雌部（５）を配してある、延設してある。また、例えば、「前記レール形状の雌部（５）の第２部材（６）の長手方向（方向Ｎ）の前半側（１２Ａ）に前記レール形状の雌部（５）を配してある」にて、前記レール形状の雌部（５）「の」第２部材（６）について、「の」は「のほうの」を意味していて、「前記レール形状の雌部（５）のほうの第２部材（６）の長手方向（方向Ｎ）の前半側（１２Ａ）に前記レール形状の雌部（５）を配してある」ことを述べている。あるいは、「の」は「を有する」を意味していて、「前記レール形状の雌部（５）を有する第２部材（６）の長手方向（方向Ｎ）の前半側（１２Ａ）に前記レール形状の雌部（５）を配してある」ことを述べている。以下、「前記レール形状の雌部（５）の第２部材（６）の長手方向（方向Ｎ）の中間側（２８Ａ）に前記レール形状の雌部（５）を配してある」、「前記レール形状の雌部（５）の第２部材（６）の長手方向（方向Ｎ）の後半側（１５Ａ）に前記レール形状の雌部（５）を配してある」、「前記レール形状の雌部（５）の第２部材（６）の長手方向（方向Ｎ）の全長（Ｃ）に前記レール形状の雌部（５）を配してある」についても同様になる。各実施例についても同様になる。
【００７９】
図６、１２にて、前記容積部（１１）内に挿入後の口径を拡げた前記袋の口（２Ｂ）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある。また、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある。
【００８０】
次に、上記について一部補足説明する。該中空部（２９）の短手方向（矢印Ｔ）の最大長さ（Ｂ）より、前記容積部（１１）内に挿入後の口径を拡げた前記袋の口（２Ｂ）は、内側にある。よって、厳密に言うと、該中空部（２９）の短手方向（矢印Ｔ）の最大長さ（Ｂ）は、前記容積部（１１）内に挿入後の口径を拡げた前記袋の口（２Ｂ）の短手方向（矢印Ｔ）の長さ（Ｄ）より大きい。しかし、その差は僅かであり、長さとしては、同等である。
【００８１】
また、次のようにしてもよい。「前記容積部（１１）内に挿入後の口径を拡げた前記袋の口（２Ｂ）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある」に代えて、「前記袋の口（２）が収容可能な中空部（２９）を前記容積部（１１）内に設け、開口したままの前記開口部（１３）を含めた容積部（１１）は、容積部（１１）内の該中空部（２９）に挿入後の口径を拡げた該袋の口（２）を掛止し、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある」としてもよい。あるいは、次のようにしてもよい。「前記容積部（１１）内に挿入後の口径を拡げた前記袋の口（２Ｂ）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある」に代えて、「前記断面略Ｃ字状（８）の間から露出した断面略Ｉ字状（９）上面（１０）の短手方向（矢印Ｔ）の長さ（Ａ）が１０ｍｍ以上としてある」としてもよい。あるいは、次のようにしてもよい。「前記袋の口（２）が収容可能な中空部（２９）を前記容積部（１１）内に設け、開口したままの前記開口部（１３）を含めた容積部（１１）は、容積部（１１）内の該中空部（２９）に挿入後の口径を拡げた該袋の口（２）を掛止し、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある」に代えて、「前記容積部（１１）内に挿入後の口径を拡げた前記袋の口（２Ｂ）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある」としてもよい。あるいは、次のようにしてもよい。「前記袋の口（２）が収容可能な中空部（２９）を前記容積部（１１）内に設け、開口したままの前記開口部（１３）を含めた容積部（１１）は、容積部（１１）内の該中空部（２９）に挿入後の口径を拡げた該袋の口（２）を掛止し、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある」に代えて、「前記断面略Ｃ字状（８）の間から露出した断面略Ｉ字状（９）上面（１０）の短手方向（矢印Ｔ）の長さ（Ａ）が１０ｍｍ以上としてある」としてもよい。あるいは、次のようにしてもよい。「前記断面略Ｃ字状（８）の間から露出した断面略Ｉ字状（９）上面（１０）の短手方向（矢印Ｔ）の長さ（Ａ）が１０ｍｍ以上としてある」に代えて、「前記容積部（１１）内に挿入後の口径を拡げた前記袋の口（２Ｂ）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある」としてもよい。あるいは、次のようにしてもよい。「前記断面略Ｃ字状（８）の間から露出した断面略Ｉ字状（９）上面（１０）の短手方向（矢印Ｔ）の長さ（Ａ）が１０ｍｍ以上としてある」に代えて、「前記袋の口（２）が収容可能な中空部（２９）を前記容積部（１１）内に設け、開口したままの前記開口部（１３）を含めた容積部（１１）は、容積部（１１）内の該中空部（２９）に挿入後の口径を拡げた該袋の口（２）を掛止し、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある」としてもよい。
【００８２】
また、係止および封止の状態を解除するには、該レール形状の雄部（３）の第1部材（４）が、第１部材（４）の長手方向（方向Ｎ）の後半側（１５）から前半側（１２）の方向（矢印Ｍ）へ押動されることにより解除される。そして、容積部（１１）内に挿入された袋の口（２）は封止の状態から解放される。次に、容積部（１１）内に挿入された袋の口（２）を取り出すには、袋の口（２）を寄せ集めて縮小させて、開口部（１３）より取り出す。あるいは、開口部（１３）近傍の第１部材（４）の端部（２１Ａ）（２１Ｂ）を互い違いに捻ることで、開口部（１３）の最小長さ（Ｒ）を一時的に大きくして取り出す。例えば、容積部（１１）の端部（２１Ａ）を下方向に、容積部（１１）の端部（２１Ｂ）を上方向に傾斜させ、つまりは、指などで捻って、開口部（１３）を拡げて、袋の口（２）を取り出す。
【００８３】
また、係止および封止の状態を解除する別の方法としては、袋の口（２Ｇ）の一部を手で掴んで引っ張ると、隙間（１８）に挟まれている部分の袋の口（２Ｇ）が引っ張られるので、第２部材（６）に対して第１部材（４）が（矢印Ｍ）方向に移動して、袋の口（２Ｇ）が封止状態から解除されて、同時に、第１部材（４）と第２部材（６）との係止が解除される。つまり、袋の口（２Ｇ）の一部を手で掴んで引っ張るだけで、袋の口（２Ｇ）が封止状態から解除されて、同時に、第１部材（４）と第２部材（６）との係止が解除される。という効果がある（効果他１−１３）。ただし、例えば、袋の厚さ、袋の口（２）の長さ、大きさ等に影響を受けやすいので、袋の口（２）を指等で掴んで引っ張っても、容積部（１１）内より袋の口（２）が抜き出ない場合もある。その時は、袋の口（２）を引っ張る力を強くすれば、容積部（１１）内より抜き出すことができる場合もある。
【００８４】
図６にて、前記レール形状の雄部（３）の第1部材（４）が、第１部材（４）の長手方向（方向Ｎ）の前半側（１２）から後半側（１５）の方向（矢印Ｍ）へ押動された場合に、第２部材（６）の先端（２３）が開口部（１３）より突出している。
【００８５】
次に、上記について一部補足説明する。前記レール形状の雄部（３）の第1部材（４）が、第１部材（４）の長手方向（方向Ｎ）の前半側（１２）から後半側（１５）の方向（矢印Ｍ）へ押動された場合に、第２部材（６）の先端（２３）が開口部（１３）より突出している。突出しているように設けているので、該レール形状の雄部（３）の第1部材（４）が、第１部材（４）の長手方向（方向Ｎ）の前半側（１２）から後半側（１５）の方向（矢印Ｍ）へ押動された場合の第１部材（４）の位置が限定されることが少なく「任意に調整」しやすい。任意に調整できる範囲が拡がるという効果がある（効果他１−１４）。第１部材（４）と第２部材（６）との間に袋の口（２）が挟まれ、封止される場合に、図６のように、第２部材（６）の先端（２３）が開口部（１３）より突出する位置にしておけば、封止された後、係止および封止の状態を解除する意思が特になく、不可抗力等によって不意に、該レール形状の雄部（３）の第1部材（４）が、第１部材（４）の長手方向（方向Ｎ）の前半側（１２）から後半側（１５）の方向（矢印Ｍ）へ押動された時でも、第２部材（６）の先端（２３）が開口部（１３）より突出している分だけ、すぐには、係止および封止の状態が解除されることがなく、安全である、という効果がある（効果他１−１５）。
【００８６】
また、係止具（１）を合成樹脂製とした場合、弾力性を有するので次のような効果がある。開口部（１３）にて、口径を絞った該袋の口（２Ａ）の出入が容易となり、また、容積部（１１）内に挿入後の口径を拡げた該袋の口（２Ｂ）を掛止しやすく、また、第１部材（４）と第２部材（６）との係止が容易となる、という効果がある（効果他１−１６）。また、第１部材（４）、第２部材（６）が合成樹脂等で加工されている場合、外的圧力等により、選択する材質によっては、隙間（１７）（１８）の形状が一時的に変形可能である。よって、第２部材（６）と、第２部材（６）内に挿入した第１部材（４）との間に、前記開口部（１３）から挿入した袋の口（２）が挟まれる場合、袋の口（２）の大きさ、材質、幅等により、第１部材（４）、第２部材（６）側等に、一時的に、たわみなどを発生させることも可能である。たわみなどが発生することによって、袋の口（２）の大きさ、材質、幅等を取扱える範囲が拡がる可能性がある、という効果がある（効果他１−１７）。
【００８７】
次に、先に記した「発明が解決しようとする課題」と、それに対応する実施例１の効果について記すため、重複するが「発明が解決しようとする課題」を以下に再掲する。
【００８８】
第１の課題を記す。封止性が限定されてしまうという問題がある。以下に説明する。特許文献１の１件目の実施例３８の係止具は、「該開口部（６ｚｓ）から挿入した袋の口」を「第１部材（９５ｚｓ）と第２部材（９４ｚｓ）とによって封止」しようとする場合、「前記第１部材（９５ｚｓ）の開口部（６ｚｓ）側へ前記第２部材（９４ｚｓ）」を押動させるが、第２部材（９４ｚｓ）の側面（１１０Ａｚｓ）（１１０Ｂｚｓ）間の外径寸法は、第１部材（９５ｚｓ）のレール状の内面（１１１Ａｚｓ）（１１１Ｂｚｓ）間の寸法より、僅かに長くしてあるので」その長くして「設けている範囲においては、第２部材（９４ｚｓ）を少しずつ移動させることができ」「位置が任意に調整できる」とある。確かに、その「設けている範囲においては」押動させた場合の第２部材の「位置が任意に調整できる」という長所を有するものの、「設けている範囲」に限定されるので、「任意に調整できる」「位置が」限定されてしまう。つまり、開口部から挿入した袋の口を第１部材と第２部材とによって封止するため、第１部材の開口部側へ第２部材を押動させた場合に、第２部材の押動できる位置が限定されてしまう。第２部材の押動できる位置が限定されてしまうと、袋の口が封止される確実性が限定されて、つまり、封止性が限定されてしまうという問題がある。（課題１−１）。前記問題を解消し、開口部から挿入した袋の口を第１部材と第２部材とによって封止するため、第１部材の開口部側へ第２部材を押動させた場合に、第２部材の押動できる位置が限定されてしまうことにより、封止性が限定されてしまうのを防ぐことができる係止具を提供することを目的とする。
【００８９】
先に記したように、実施例１である、係止具（１）は、該レール形状の雄部（３）の第1部材（４）が、第１部材（４）の長手方向（方向Ｎ）の前半側（１２）から後半側（１５）の方向（矢印Ｈ）へ押動されると、該容積部（１１）内に挿入後の口径を拡げた袋の口（２）が開口部（１３）側へ移動して、該開口したままの開口部（１３）が該移動した袋の口（２）によって覆われて塞がれ、第１部材（４）と第２部材（６）との間に袋の口（２）が挟まれ、挟まれることによって、袋の口（２）が封止され、および、第１部材（４）と第２部材（６）とが係止されるようにしてある。そして、図６にて、前記レール形状の雄部（３）の第1部材（４）が、第１部材（４）の長手方向（方向Ｎ）の前半側（１２）から後半側（１５）の方向（矢印Ｍ）へ押動された場合に、第２部材（６）の先端（２３）が開口部（１３）より突出するように設けてある。よって、前出の特許文献１の１件目の実施例３８の係止具のように「設けている範囲」に限定されることがない。該レール形状の雄部（３）の第1部材（４）が、第１部材（４）の長手方向（方向Ｎ）の前半側（１２）から後半側（１５）の方向（矢印Ｍ）へ押動された場合の第１部材（４）の位置が限定されることが少なく「任意に調整」しやすいという長所を有する。レール形状の雄部（３）の第1部材（４）が、第１部材（４）の長手方向（方向Ｎ）の前半側（１２）から後半側（１５）の方向（矢印Ｍ）へ押動され、開口部（１３）が袋の口（２）によって覆われて塞がれ、第１部材（４）と第２部材（６）との間に袋の口（２）が挟まれ、封止される場合に、第１部材（４）を押動させる位置が限定されるのを緩和でき、袋の口（２）を封止する力が向上する、という効果がある（効果１−１−１）。
【００９０】
また、実施例１である、係止具（１）は、前記レール形状の雌部（５）の第２部材（６）の長手方向（方向Ｎ）の全長（Ｃ）に前記レール形状の雌部（５）を配してある。配してあるので、レール形状の雄部（３）の第1部材（４）が、第１部材（４）の長手方向（方向Ｎ）の前半側（１２）から後半側（１５）の方向（矢印Ｍ）へ押動され、袋の口（２）が封止され、および、第１部材（４）と第２部材（６）とが係止される場合に、レール形状の雌部（５）とレール形状の雄部（３）との係合する力が第１部材（４）の前半側（１２）に加わり、さらに強固な力となり、封止および係止される力が高まる、という効果がある（効果１−１−２）。
【００９１】
次に、第２の課題を記す。袋のサイズ、大きさが限定されてしまうという問題がある。以下に説明する。特許文献１の２件目の実施例４７の係止具は、「前記第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある。例えば、縦寸法１８０ｍｍ、横寸法１８０ｍｍ、厚み０．０２ｍｍの市販の袋を使用する場合」は「切り込んだ幅（Ｙ１）は３ｍｍとしてある。」あるいは、「また、特に図示しないが」「切り込んだ幅（Ｙ１）３ｍｍを、例えば、０．５ｍｍとしてもよい」とある。また、「前記第１部材（９５ｃｃ）の開口部（６ｃｃ）側へ前記第２部材（９４ｃｃ）」を押動すると「第２部材（９４ｃｃ）の挿通孔（１０９ｃｃ）の一端（１２２）を切り込んで（１２４）ある箇所に袋の口が入り込んでいく。前記寸法の市販の袋に対して、切り込んだ幅（Ｙ１）を対応するように設けてあるので、入り込みは比較的容易であり、動作はスムーズである」と記載されている。確かに、第１部材の開口部側へ第２部材を押動した場合、切り込んである箇所に袋の口が入り込んでも、入り込みは比較的容易であり、動作はスムーズではあるが、「前記寸法の市販の袋に対して、切り込んだ幅（Ｙ１）を対応するように設けてあるので、」袋のサイズ、大きさが限定されてしまうという問題がある。（課題２−１）。前記問題を解消し、使用する袋のサイズ、大きさが限定されてしまうのを緩和することができる係止具を提供することを目的とする。
【００９２】
先に記したように、実施例１である、係止具（１）は、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動する。指を接して摺動させるには、図６にて、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、ある一定以上必要になる。長さ（Ａ）は一概に断定は難しいが、長さ（Ａ）は１０ｍｍ程度以上が必要と推測される。実施例１は、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動できるように、つまりは、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、押動させる場合に接する指の幅程度に設けてあり、「該断面略Ｃ字状の間から露出した該断面略Ｉ字状上面に指を接して押動させると、レール形状の雌部とレール形状の雄部とが摺動する」の「指を接して」という文言は、断面略Ｃ字状の間から露出した該断面略Ｉ字状上面の短手方向（矢印Ｔ）の長さ（Ａ）が、指を接するための長さ、つまり、指の幅である１０ｍｍ程度はある、ということをここでは述べてあり、該長さ（Ａ）に袋の口が入り込んでも、長さ（Ａ）が１０ｍｍ程度はあるので、使用する袋のサイズ、大きさが限定されてしまうのを緩和することができる、という効果がある（効果１−２−１）。また、前記断面略Ｃ字状（８）の間から露出した断面略Ｉ字状（９）上面（１０）の短手方向（矢印Ｔ）の長さ（Ａ）が１０ｍｍ以上としてあるので、該長さ（Ａ）に袋の口が入り込んでも、長さ（Ａ）が１０ｍｍ以上はあるので、使用する袋のサイズ、大きさが限定されてしまうのを緩和することができる、という効果がある（効果１−２−４）。また、前記容積部（１１）内に挿入後の口径を拡げた前記袋の口（２Ｂ）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある。大きくしてあるので、長さ（Ａ）に袋の口が入り込んでも、使用する袋のサイズ、大きさが限定されてしまうのを緩和することができる、という効果がある（効果１−２−２）。また、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある。大きくしてあるので、長さ（Ａ）に袋の口が入り込んでも、使用する袋のサイズ、大きさが限定されてしまうのを緩和することができる、という効果がある（効果１−２−３）。
【００９３】
また、第２の課題について、１件目の実施例３８の係止具についても、先に、第１の課題で記したように、第１部材の開口部側へ第２部材を押動させた場合に、第２部材の押動できる位置が限定されてしまうので、つまりは、同様に、使用する袋のサイズ、大きさが限定されてしまうという問題がある。（課題２−２）。
【００９４】
また、特に図示してないが、特許文献１の３件目の実施例４６である、係止具（１ｂｂ）は、特許文献１の４件目の実施例３２である、係止具（１ｚｋ）、および、特許文献１の実施例３５（特許文献１の図７４〜図７７）と同様に、第１部材（９５ｂｂ）の先端（８９ｂｂ）側の両端に第１突部（９７Ａｂｂ）（９７Ｂｂｂ）を設けてある。よって、第１部材（９５ｂｂ）の開口部（６ｂｂ）側へ第２部材（９４ｂｂ）を押動させても、第２部材（９４ｂｂ）が第１突部（９７Ａｂｂ）（９７Ｂｂｂ）に突き当たるので飛び越えることはなく、開口部（６ｂｂ）から挿入した袋の口を第１部材（９５ｂｂ）と第２部材（９４ｂｂ）とによって封止するため、第１部材（９５ｂｂ）の開口部（６ｂｂ）側へ第２部材（９４ｂｂ）を押動させた場合に、第２部材の押動できる位置が限定されてしまう。よって、該第２部材の押動できる位置が限定されてしまうので、同様に、使用する袋のサイズ、大きさが限定されてしまうという問題がある。（課題２−３）。
【００９５】
なお、実施例４６の係止具には、「第２部材（９４ｂｂ）は合成樹脂等で加工されているので、外的圧力等により、選択する材質によっては、隙間（１０２Ａｂｂ）（１０２Ｂｂｂ）の形状が一時的に変形可能である。よって、第２部材（９４ｂｂ）の挿通孔（１０９ｂｂ）と、第２部材（９４ｂｂ）の挿通孔（１０９ｂｂ）内に挿入した第１部材（９５ｂｂ）との間に、前記開口部（６ｂｂ）から挿入した袋の口（２ｂｂ）が挟まれる場合、袋の口（２ｂｂ）の大きさ、材質、幅等により、第２部材（９４ｂｂ）側等に、一時的に、たわみなどを発生させることも可能である。たわみなどが発生することによって、袋の口（２ｂｂ）の大きさ、材質、幅等を取扱える範囲が拡がる可能性がある」と記載されているが、選択する材質は合成樹脂等で加工されているので、第２部材（９４ｂｂ）側等に、一時的に、たわみなどを発生しても、限定的であり、袋の口（２ｂｂ）の大きさ、材質、幅等を取扱える範囲が拡がる可能性はあるものの、限定されてしまうと考えられる。
【００９６】
先の（効果１−１−１）に記したように、実施例１である、係止具（１）は、該レール形状の雄部（３）の第1部材（４）が、第１部材（４）の長手方向（矢印Ｎ）の前半側（１２）から後半側（１５）の方向（矢印Ｈ）へ押動されると、該容積部（１１）内に挿入後の口径を拡げた袋の口（２）が開口部（１３）側へ移動して、該開口したままの開口部（１３）が該移動した袋の口（２）によって覆われて塞がれ、第１部材（４）と第２部材（６）との間に袋の口（２）が挟まれ、挟まれることによって、袋の口（２）が封止され、および、第１部材（４）と第２部材（６）とが係止されるようにしてある。そして、図６にて、前記レール形状の雄部（３）の第1部材（４）が、第１部材（４）の長手方向（矢印Ｎ）の前半側（１２）から後半側（１５）の方向（矢印Ｍ）へ押動された場合に、第２部材（６）の先端（２３）が開口部（１３）より突出するように設けてある。よって、前出の特許文献１の３件目の実施例４６である、係止具（１ｂｂ）のように押動できる位置が限定されてしまうことがない。該レール形状の雄部（３）の第1部材（４）が、第１部材（４）の長手方向（矢印Ｎ）の前半側（１２）から後半側（１５）の方向（矢印Ｍ）へ押動された場合の第１部材（４）の位置が限定されることが少なく「任意に調整」しやすいという長所を有する。レール形状の雄部（３）の第1部材（４）が、第１部材（４）の長手方向（矢印Ｎ）の前半側（１２）から後半側（１５）の方向（矢印Ｍ）へ押動され、開口部（１３）が袋の口（２）によって覆われて塞がれ、第１部材（４）と第２部材（６）との間に袋の口（２）が挟まれ、封止される場合に、第１部材（４）を押動させる位置が限定されるのを緩和でき、使用する袋のサイズ、大きさが限定されてしまうのを緩和することができる、という効果がある（効果１−２−５）。
【００９７】
次に、第３の課題を記す。取り外し動作が簡単ではなく、比較的容易であるとは言い難くなる、という問題がある。以下に説明する。先に、第２の課題で記したように、特許文献１の２件目の実施例４７の係止具は、「前記第１部材（９５ｃｃ）の開口部（６ｃｃ）側へ前記第２部材（９４ｃｃ）」を押動した場合、「切り込んで（１２４）ある箇所に袋の口が入り込んで」も「入り込みは比較的容易であり、動作はスムーズである」。しかし、次に、「第１部材（９５ｃｃ）」と「第２部材（９４ｃｃ）」とによって封止した袋の口を解除するため、はずそうとして、「第１部材（９５ｃｃ）の開口部（６ｃｃ）側」とは反対の方向へ「第２部材（９４ｃｃ）」を押動させた場合には、「第２部材（９４ｃｃ）」の「切り込んで（１２４）ある箇所」について、「前記寸法の市販の袋に対して対応するように設けてある」「切り込んだ幅（Ｙ１）が３ｍｍ」、あるいは、「０．５ｍｍ」等の場合、「切り込んで（１２４）ある箇所に袋の口が入り込んで」いたため、取り外し動作は簡単ではなく、比較的容易であるとは言い難くなる。「切り込んで（１２４）ある箇所に入り込んで」いた袋の口を場合によっては指等で調整したのち取り外さなければならないという手間が発生する。合成樹脂製の薄手のビニル袋であったりすると、袋の口の一部が裂けたりする恐れもあり、充分な配慮が必要になる。また、入り込んでいる状態が軽度であっても取り外し動作は、入り込み時と比較すると容易であるとは言い難く、動作はスムーズであるとは必ずしもいえない。つまり、第１部材と第２部材とによって封止した袋の口を解除するため、はずそうとして、第１部材の開口部側とは反対の方向へ第２部材を押動させた場合には、切り込んで（１２４）ある箇所に袋の口が入り込んでいたため、取り外し動作は簡単ではなく、比較的容易であるとは言い難く、また、場合によっては、袋の口の一部が裂けたりする恐れもある、という問題がある。（課題３−１−１）。前記問題を解消し、第１部材と第２部材とによって封止した袋の口を解除するため、はずそうとして、第１部材の開口部側とは反対の方向へ第２部材を押動させた場合に、取り外しは比較的容易であり、動作がスムーズで、また、袋の口の一部が裂けたりする恐れも少ない係止具を提供することを目的とする。
【００９８】
また、特許文献１の１件目の実施例３８の係止具は、「前記第１部材（９５ｚｓ）の開口部（６ｚｓ）側へ前記第２部材（９４ｚｓ）」を押動させた場合、第２部材（９４ｚｓ）を「第１部材（９５ｚｓ）に沿って案内するように設けてある」挿通孔（１０９Ａ）（１０９Ｂ）に案内されて「第２部材（９４ｚｓ）を差し入れ口（１８ｚｓ）から挿入」するように設けてある。さらに、「前記第１部材（９５ｚｓ）の開口部（６ｚｓ）側へ前記第２部材（９４ｚｓ）」を押動すると、案内されて第２部材（９４ｚｓ）が差し入れ第２開口（２９ｚｒ）へ挿入されるように設けてある。よって、袋の口を「開口部（６ｚｓ）より挿入する」場合、「拡がっている袋の口を寄せて指等で縮小させて、口径を絞って」挿入し、「通常、合成樹脂、紙など、軽微な弾力性を有する袋を使用するので、挿入した後の袋の口は、袋の弾性復帰する力により、元の大きさに近い状態などに戻ろうとして、再度、拡がる」が、次に、「前記第１部材（９５ｚｓ）の開口部（６ｚｓ）側へ前記第２部材（９４ｚｓ）」を押動した場合、その拡がった袋の口は、第２部材（９４ｚｓ）に押動されて、差し入れ第２開口（２９ｚｒ）に袋の口が入り込む。なお、先に、第３の課題にて、特許文献１の２件目の実施例４７の係止具の切り込んで（１２４）ある箇所で記したのと同様に、袋の口が入り込んでも、入り込みは比較的容易であり、動作は比較的スムーズではある。しかし、次に、第１部材と第２部材とによって封止した袋の口を解除するため、はずそうとして、第１部材の開口部側とは反対の方向へ第２部材を押動させた場合には、差し入れ第２開口（２９ｚｒ）と第２部材（９４ｚｓ）の間に袋の口の一部が挟まれたりしているので、取り外し動作は簡単ではなく、比較的容易であるとは言い難くなる、という問題がある。（課題３−２）。前記問題を解消し、第１部材と第２部材とによって封止した袋の口を解除するため、はずそうとして、第１部材の開口部側とは反対の方向へ第２部材を押動させた場合に、取り外しは比較的容易であり、動作がスムーズである係止具を提供することを目的とする。
【００９９】
先の（効果１−２−１）等に記したように、実施例１である、係止具（１）は、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動する。指を接して摺動させるには、図６にて、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、ある一定以上必要になる。長さ（Ａ）は一概に断定は難しいが、長さ（Ａ）は１０ｍｍ程度以上が必要と推測される。実施例１は、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動できるように、つまりは、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、押動させる場合に接する指の幅程度に設けてあり、「該断面略Ｃ字状の間から露出した該断面略Ｉ字状上面に指を接して押動させると、レール形状の雌部とレール形状の雄部とが摺動する」の「指を接して」という文言は、断面略Ｃ字状の間から露出した該断面略Ｉ字状上面の短手方向（矢印Ｔ）の長さ（Ａ）が、指を接するための長さ、つまり、指の幅である１０ｍｍ程度はある、ということをここでは述べてあり、長さ（Ａ）が１０ｍｍ程度はあるので、第１部材（４）と第２部材（６）とによって封止した袋の口（２）を解除するため、はずそうとして、第１部材（４）を押動させた場合に、レール形状の雌部（５）に袋の口（２）が上面（１０）側で挟まれたりすることがなく、取り外しは比較的容易であり、動作がスムーズで、また、袋の口（２）の一部が裂けたりする恐れも少ない、という効果がある（効果１−３−１）。また、前記断面略Ｃ字状（８）の間から露出した断面略Ｉ字状（９）上面（１０）の短手方向（矢印Ｔ）の長さ（Ａ）が１０ｍｍ以上としてあるので、第１部材（４）と第２部材（６）とによって封止した袋の口（２）を解除するため、はずそうとして、第１部材（４）を押動させた場合に、レール形状の雌部（５）に袋の口（２）が上面（１０）側で挟まれたりすることがなく、取り外しは比較的容易であり、動作がスムーズで、また、袋の口（２）の一部が裂けたりする恐れも少ない、という効果がある（効果１−３−４）。また、前記容積部（１１）内に挿入後の口径を拡げた前記袋の口（２）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある。また、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある。大きくしてあるので、第１部材（４）と第２部材（６）とによって封止した袋の口（２）を解除するため、はずそうとして、第１部材（４）を押動させた場合に、レール形状の雌部（５）に袋の口（２）が上面（１０）側で挟まれたりすることがなく、取り外しは比較的容易であり、動作がスムーズで、また、袋の口（２）の一部が裂けたりする恐れも少ない、という効果がある（効果１−３−２）（効果１−３−３）。
【０１００】
また、第３の課題について、特許文献１の３件目の実施例４６である、係止具（１ｂｂ）は、実施例４６の前身のひとつである４件目の実施例３２である、係止具（１ｚｋ）と同様に、「第２部材は、扁平なハウジングとしてあり、中空となっている。四角形状としてある。断面ロ字状としてある。前記第２部材を筒状としてある」。第１部材と第２部材とによって封止した袋の口を解除するため、はずそうとして、反対方向の、第１部材（９５ｂｂ）の先端側から第１部材（９５ｂｂ）の後端側へ前記第２部材（９４ｂｂ）が押動しようとする場合、「第２部材は、扁平なハウジングとしてあり、中空となっている。四角形状としてある。断面ロ字状としてある。前記第２部材を筒状としてある」ため、第２部材の上下面に袋の口は挟まれているので、取り外し動作は簡単ではなく、比較的容易であるとは言い難くなる、という問題がある。（課題３−３）。前記問題を解消し、第１部材と第２部材とによって封止した袋の口を解除するため、はずそうとして、第１部材の開口部側とは反対の方向へ第２部材を押動させた場合に、取り外しは比較的容易であり、動作がスムーズである係止具を提供することを目的とする。また、特許文献１の２件目の実施例４７の係止具も、「第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある」ものの、切り込んで（１２４）ある箇所を除けば、特許文献１の３件目の実施例４６である、係止具（１ｂｂ）と同様に、「第２部材は、扁平なハウジングとしてあり、中空となっている。四角形状としてある。断面ロ字状としてある。前記第２部材を筒状としてある」。よって、第２部材の上下面に袋の口は挟まれているので、取り外し動作は簡単ではなく、比較的容易であるとは言い難くなる、という問題もある。（課題３−１−２）。前記問題を解消し、第１部材と第２部材とによって封止した袋の口を解除するため、はずそうとして、第１部材の開口部側とは反対の方向へ第２部材を押動させた場合に、取り外しは比較的容易であり、動作がスムーズである係止具を提供することを目的とする。
【０１０１】
実施例１である、係止具（１）は、袋の口（２）を封止する係止具であって、断面略Ｃ字状（８）のレール形状の雌部（５）の第２部材（６）と、断面略Ｉ字状（９）のレール形状の雄部（３）の第１部材（４）とで構成されている。よって、第２部材（６）の下面にのみ袋の口は挟まれているので、上面は挟まれていないので、第１部材と第２部材とによって封止した袋の口を解除するため、はずそうとして、第１部材を押動させた場合に、取り外しは比較的容易であり、動作がスムーズで、また、袋の口の一部が裂けたりする恐れも少ない、という効果がある（効果１−３−５）。
【０１０２】
次に、第４の課題を記す。袋の口が入り込んでいる、その入り込み状態を把握する場合等、目で確認しづらいという問題がある。以下に説明する。先に、第３の課題で記したように、特許文献１の２件目の実施例４７の係止具は、「第２部材（９４ｃｃ）」の「切り込んで（１２４）ある箇所に袋の口が入り込」み、取り外し動作時、「切り込んで（１２４）ある箇所に入り込んで」いた袋の口の一部が裂けたりする恐れがあったり、場合によっては指等で調整したのち取り外さなければならなくなる。よって、「第２部材（９４ｃｃ）」の「切り込んで（１２４）ある箇所に袋の口が入り込」んでいる、その入り込み状態を把握する必要がある。しかし、「前記寸法の市販の袋に対して対応するように設けてある」「切り込んだ幅（Ｙ１）が３ｍｍ」、あるいは、「０．５ｍｍ」等の場合、切り込んだ幅（Ｙ１）が目で確認するには充分な大きさとはいえず、確認しづらいという問題がある。（課題４−１−１）。前記問題を解消し、「切り込んで（１２４）ある箇所に袋の口が入り込」んでいる、その入り込み状態を把握する場合等、目で確認する時に確認しやすい係止具を提供することを目的とする。
【０１０３】
次に、途中ではあるが、第２〜第４の課題について追記する。特許文献１の２件目の実施例４７の係止具にて、「また、特に図示しないが、他の実施例についても、同様に切り込んでもよい」と記載がある。特許文献１の３件目の実施例４６である、係止具（１ｂｂ）に適用して、前記第２部材（９４ｂｂ）の挿通孔（１０９ｂｂ）内に挿入した前記第１部材（９５ｂｂ）の容積部上方に位置する該第２部材（９４ｂｂ）の挿通孔（１０９ｂｂ）の一端を切り込んだ場合を検討する。この場合、同様に、各々、以下の課題が想定される。先に記した、第２の課題の特許文献１の２件目の実施例４７の係止具と同様に、第１部材の開口部側へ第２部材を押動した場合、切り込んである箇所に袋の口が入り込んでも、入り込みは比較的容易であり、動作はスムーズではあるが、前記寸法の市販の袋に対して、切り込んだ幅を対応するように設けてあるので、袋のサイズ、大きさが限定されてしまうという問題がある。（課題２−４）。
【０１０４】
また、同じように、「切り込んでもよい」を、特許文献１の３件目の実施例４６である、係止具（１ｂｂ）に適用すると、第３の課題の特許文献１の２件目の実施例４７の係止具と同様に、第１部材と第２部材とによって封止した袋の口を解除するため、はずそうとして、第１部材の開口部側とは反対の方向へ第２部材を押動させた場合には、切り込んである箇所に袋の口が入り込んでいたため、取り外し動作は簡単ではなく、比較的容易であるとは言い難くなる、という問題がある。（課題３−４）。
【０１０５】
また、同じように、「切り込んでもよい」を、特許文献１の３件目の実施例４６である、係止具（１ｂｂ）に適用すると、第４の課題の特許文献１の２件目の実施例４７の係止具と同様に、前記寸法の市販の袋に対して対応するように設けてある切り込んだ幅（Ｙ１）が３ｍｍ、あるいは、０．５ｍｍ等の場合、袋の口を目で確認するには切り込んだ幅が充分な大きさとはいえず、確認しづらいという問題がある。（課題４−２）。
【０１０６】
次に、引き続き、第４の課題について戻して記していく。特許文献１の３件目の実施例４６である、係止具（１ｂｂ）は、実施例４６の前身のひとつである４件目の実施例３２である、係止具（１ｚｋ）と同様に、「第１部材（９５ｂｂ）の後端側から第１部材（９５ｂｂ）の先端側へ前記第２部材（９４ｂｂ）が押動され」「ると、容積部（４ｂｂ）内に挿入後の口径を拡げた袋の口が該押動された第２部材（９４ｂｂ）によって開口部（６ｂｂ）側へ押動される。前記開口したままの開口部（６ｂｂ）が該押動された袋の口（２ｂｂ）によって覆われて塞がれる。実施例３５と同様に、第２部材（９４ｂｂ）と第１部材（９５ｂｂ）とに、第２部材（９４ｂｂ）の外で袋の口（２ｂｂ）が挟まれた状態となる。さらに、移動させると、第２部材（９４ｂｂ）内に袋の口（２ｂｂ）が入ってその隙間（１０２Ａｂｂ）（１０２Ｂｂｂ）に袋の口（２ｂｂ）が挟まれた状態が構成される。つまり、第２部材（９４ｂｂ）の挿通孔（１０９ｂｂ）と、該第２部材（９４ｂｂ）の挿通孔（１０９ｂｂ）内に挿入した第１部材（９５ｂｂ）の容積部（４ｂｂ）との間に、前記開口部（６ｂｂ）から挿入した袋の口（２ｂｂ）が挟まれることによって該第１部材（９５ｂｂ）と第２部材（９４ｂｂ）とが係止する、係止する状態が構成される。具体的には、開口部（６ｂｂ）の周辺である該容積部（４ｂｂ）の先端側と、挿通孔（１０９ｂｂ）内の端部との間に、袋の口（２ｂｂ）は挟まれる。開口したままの開口部（６ｂｂ）が押動された袋の口（２ｂｂ）によって覆われて塞がれ、該押動された袋の口（２ｂｂ）が挟まれることによって該第１部材（９５ｂｂ）と第２部材（９４ｂｂ）とが係止する。また、実施例３５と同様に、挟まれるので封止される」しかし、「第２部材は、扁平なハウジングとしてあり、中空となっている。四角形状としてある。断面ロ字状としてある。前記第２部材を筒状としてある」ので、その「第２部材（９４ｂｂ）の挿通孔（１０９ｂｂ）と、該第２部材（９４ｂｂ）の挿通孔（１０９ｂｂ）内に挿入した第１部材（９５ｂｂ）の容積部（４ｂｂ）との間に、前記開口部（６ｂｂ）から挿入した袋の口（２ｂｂ）が挟まれ」て、袋の口が入り込んでいる、その入り込み状態を把握する場合等、目で確認しづらいという問題がある。（課題４−３）。前記問題を解消し、袋の口が入り込んでいる、その入り込み状態を把握する場合等、目で確認する時に確認しやすい係止具を提供することを目的とする。
【０１０７】
また、特許文献１の２件目の実施例４７の係止具も、「第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある」ものの、切り込んで（１２４）ある箇所を除けば、特許文献１の３件目の実施例４６である、係止具（１ｂｂ）と同様に、「第２部材は、扁平なハウジングとしてあり、中空となっている。四角形状としてある。断面ロ字状としてある。前記第２部材を筒状としてある」。よって、その第２部材の挿通孔と、該第２部材の挿通孔内に挿入した第１部材の容積部との間に、前記開口部から挿入した袋の口が挟まれて、袋の口が入り込んでいる、その入り込み状態を把握する場合等、目で確認しづらいという問題もある。（課題４−１−２）。前記問題を解消し、袋の口が入り込んでいる、その入り込み状態を把握する場合等、目で確認する時に確認しやすい係止具を提供することを目的とする。
【０１０８】
また、特許文献１の１件目の実施例３８の係止具は、先に、第３の課題で記したように、「前記第１部材（９５ｚｓ）の開口部（６ｚｓ）側へ前記第２部材（９４ｚｓ）」を押動させた場合、第２部材（９４ｚｓ）を「第１部材（９５ｚｓ）に沿って案内するように設けてある」挿通孔（１０９Ａ）（１０９Ｂ）に案内されて「第２部材（９４ｚｓ）を差し入れ口（１８ｚｓ）から挿入」するように設けてある。さらに、「前記第１部材（９５ｚｓ）の開口部（６ｚｓ）側へ前記第２部材（９４ｚｓ）」を押動すると、案内されて第２部材（９４ｚｓ）が差し入れ第２開口（２９ｚｒ）へ挿入されるように設けてある。よって、袋の口を「開口部（６ｚｓ）より挿入する」場合、「拡がっている袋の口を寄せて指等で縮小させて、口径を絞って」挿入し、「通常、合成樹脂、紙など、軽微な弾力性を有する袋を使用するので、挿入した後の袋の口は、袋の弾性復帰する力により、元の大きさに近い状態などに戻ろうとして、再度、拡がる」が、次に、「前記第１部材（９５ｚｓ）の開口部（６ｚｓ）側へ前記第２部材（９４ｚｓ）」を押動した場合、その拡がった袋の口は、第２部材（９４ｚｓ）に押動されて、差し入れ第２開口（２９ｚｒ）に袋の口が入り込む。その差し入れ第２開口（２９ｚｒ）に入り込んだ袋の口の入り込み状態、あるいは、差し入れ第２開口（２９ｚｒ）と第２部材（９４ｚｓ）の間に袋の口の一部が挟まれている状態を把握する場合等、目で確認しづらいという問題がある。（課題４−４）。前記問題を解消し、袋の口が入り込んでいる、その入り込み状態を把握する場合等、目で確認する時に確認しやすい係止具を提供することを目的とする。
【０１０９】
先の（効果１−２−１）等に記したように、実施例１である、係止具（１）は、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動する。指を接して摺動させるには、図６にて、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、ある一定以上必要になる。長さ（Ａ）は一概に断定は難しいが、長さ（Ａ）は１０ｍｍ程度以上が必要と推測される。実施例１は、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動できるように、つまりは、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、押動させる場合に接する指の幅程度に設けてあり、「該断面略Ｃ字状の間から露出した該断面略Ｉ字状上面に指を接して押動させると、レール形状の雌部とレール形状の雄部とが摺動する」の「指を接して」という文言は、断面略Ｃ字状の間から露出した該断面略Ｉ字状上面の短手方向（矢印Ｔ）の長さ（Ａ）が、指を接するための長さ、つまり、指の幅である１０ｍｍ程度はある、ということをここでは述べてあり、長さ（Ａ）が１０ｍｍ程度はあるので、該開口したままの開口部（１３）に移動して覆って塞がった袋の口（２）、あるいは、第１部材（４）と第２部材（６）との間に挟まれた袋の口（２）の入り込み状態を把握する場合等、目で確認する時に確認しやすい、という効果がある（効果１−４−１）。また、前記断面略Ｃ字状（８）の間から露出した断面略Ｉ字状（９）上面（１０）の短手方向（矢印Ｔ）の長さ（Ａ）が１０ｍｍ以上としてあるので、該開口したままの開口部（１３）に移動して覆って塞がった袋の口（２）、あるいは、第１部材（４）と第２部材（６）との間に挟まれた袋の口（２）の入り込み状態を把握する場合等、目で確認する時に確認しやすい、という効果がある（効果１−４−４）。また、前記容積部（１１）内に挿入後の口径を拡げた前記袋の口（２）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある。また、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある。大きくしてあるので、該開口したままの開口部（１３）に移動して覆って塞がった袋の口（２）、あるいは、第１部材（４）と第２部材（６）との間に挟まれた袋の口（２）の入り込み状態を把握する場合等、目で確認する時に確認しやすい、という効果がある（効果１−４−２）（効果１−４−３）。
【０１１０】
次に、第５の課題を記す。押動する場合の安定性が良いとは必ずしもいえない、という問題がある。以下に説明する。特許文献１の２件目の実施例４７である、係止具（１ｃｃ）は、第１部材（９５ｃｃ）の容積部（４ｃｃ）の大きさと同程度の大きさの第２部材（９４ｃｃ）としてあるため、第２部材（９４ｃｃ）の挿通孔（１０９ｃｃ）内にある第１部材（９５ｃｃ）が動作できる最大長さと比較して、第２部材（９４ｃｃ）の挿通孔（１０９ｃｃ）の長さ（Ｚ２）は短く設けられている。よって、第１部材（９５ｃｃ）の後端側から第１部材（９５ｃｃ）の先端側へ、あるいは、第１部材（９５ｃｃ）の先端側から第１部材（９５ｃｃ）の後端側へ第２部材（９４ｃｃ）が押動する場合に、ガタツキ等が発生しやすい傾向があり、押動する場合の安定性が良いとは必ずしもいえない、という問題がある。（課題５−１）。
【０１１１】
また、特に図示してないが、特許文献１の３件目の実施例４６である、係止具（１ｂｂ）は、特許文献１の実施例３５（特許文献１の図７４〜図７７）と同様に、第１部材（９５ｂｂ）の容積部（４ｂｂ）の大きさと同程度の大きさの第２部材（９４ｂｂ）としてあるため、第１部材（９５ｂｂ）の全長（Ｚ３）、あるいは、第２部材（９４ｂｂ）の挿通孔（１０９ｂｂ）内にある第１部材（９５ｂｂ）が動作できる最大長さと比較して、第２部材（９４ｂｂ）の長さ（Ｚ４）は短く設けられている。よって、第１部材（９５ｂｂ）の後端側から第１部材（９５ｂｂ）の先端側へ、あるいは、第１部材（９５ｂｂ）の先端側から第１部材（９５ｂｂ）の後端側へ第２部材（９４ｂｂ）を押動する場合に、ガタツキ等が発生しやすい傾向があり、押動する場合の安定性が良いとは必ずしもいえない、という問題がある。（課題５−２）。前記問題を解消し、第１部材の後端側から第１部材の先端側へ、あるいは、第１部材の先端側から第１部材の後端側へ第２部材が押動する場合に、ガタツキ等が発生しにくく、押動する場合の安定性が確保されやすい係止具を提供することを目的とする。なお、説明の都合上、図において、一部記号を削除して、図３７にて、（Ｚ２）第２部材の長さ、図３８  にて、（Ｚ３）第１部材の全長、（Ｚ４）第２部材の挿通孔の長さを新たに当方追記してある。
【０１１２】
また、特許文献１の２件目の実施例４７の係止具にて、「また、特に図示しないが、他の実施例についても、同様に切り込んでもよい」を、特許文献１の３件目の実施例４６である、係止具（１ｂｂ）に適用すると、前述したのと同様に、第１部材の後端側から第１部材の先端側へ、あるいは、第１部材の先端側から第１部材の後端側へ第２部材を押動する場合に、ガタツキ等が発生しやすい傾向があり、押動する場合の安定性が良いとは必ずしもいえない、という問題がある。（課題５−３）。
【０１１３】
先に述べたように、実施例１である、係止具（１）は、前記レール形状の雌部（５）の第２部材（６）の長手方向（方向Ｎ）の全長（Ｃ）に前記レール形状の雌部（５）を配しある。配してあるので、レール形状の雄部（３）の第1部材（４）が、第１部材（４）の長手方向（矢印Ｎ）の前半側（１２）から後半側（１５）の方向（矢印Ｈ）へ、あるいは、第１部材（４）の長手方向（矢印Ｎ）の後半側（１５）から前半側（１２）の方向（矢印Ｍ）へ押動される場合に、第２部材（６）の全長（Ｃ）にわたって、ガタツキ等が発生しにくく、押動する場合の安定性が比較的良い、という効果がある（効果１−５）。
【０１１４】
次に、第６の課題を記す。押動する場合の操作性が比較的容易であるとは言い難くなる、という問題がある。特許文献１の３件目の実施例４６である、係止具（１ｂｂ）は、実施例４６の前身のひとつである４件目の実施例３２である、係止具（１ｚｋ）と同様に、「第２部材は、扁平なハウジングとしてあり、中空となっている。四角形状としてある。断面ロ字状としてある。前記第２部材を筒状としてある」が、「第１部材（９５ｂｂ）の後端側から第１部材（９５ｂｂ）の先端側へ前記第２部材（９４ｂｂ）が押動」する場合、一方の片側の手は使わずに残りの片側の手だけで押動しようとして、例えば、第１部材（９５ｂｂ）を手のひらで支えて第２部材（９４ｂｂ）を指先で動かそうとしても、第１部材（９５ｂｂ）を支えている手のひらに第２部材（９４ｂｂ）の動きが妨げられ簡単ではない。また、例えば、第１部材（９５ｂｂ）の第１突部（９７）、第２突部（９８）等を一部の指にて支えつつ、第２部材（９４ｂｂ）を残りの一部の指で押動しようとしても、容易でなく、操作しづらい。あるいは、その反対方向の、第１部材（９５ｂｂ）の先端側から第１部材（９５ｂｂ）の後端側へ前記第２部材（９４ｂｂ）が押動しようとする場合も同様である。片手で押動しようとしても、容易でなく、操作しづらいという問題がある。（課題６−１）。前記問題を解消し、片手で押動する場合の操作性が比較的容易である係止具を提供することを目的とする。
【０１１５】
また、特許文献１の２件目の実施例４７の係止具も、「第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある」ものの、切り込んで（１２４）ある箇所の幅は、先に記したように、「前記寸法の市販の袋に対して対応するように設けてある」「切り込んだ幅（Ｙ１）が３ｍｍ」、あるいは、「０．５ｍｍ」等の場合、幅が広いとは言えないので、切り込んで（１２４）ある箇所に指等を接して押動させることは容易であるとは言い難い。切り込んで（１２４）ある箇所を除けば、特許文献１の３件目の実施例４６である、係止具（１ｂｂ）と同様に、「第２部材は、扁平なハウジングとしてあり、中空となっている。四角形状としてある。断面ロ字状としてある。前記第２部材を筒状としてある」。よって、「前記第１部材（９５ｃｃ）の開口部（６ｃｃ）側へ前記第２部材（９４ｃｃ）」を押動する場合、例えば、連接体（１０７ｃｃ）等を一部の指にて支えつつ、第２部材（９４ｃｃ）を残りの一部の指で押動しようとしても、容易でなく、操作しづらい。あるいは、例えば、第２部材（９４ｃｃ）を手のひらで支えて第１部材（９５ｃｃ）を指先で動かそうとしても、片手での操作は簡単ではない。また、「第１部材（９５ｃｃ）の開口部（６ｃｃ）側」とは反対の方向へ「第２部材（９４ｃｃ）」を押動しようとする場合も同様である。片手で押動しようとしても、容易でなく、操作しづらいという問題がある。（課題６−２−１）。前記問題を解消し、片手で押動する場合の操作性が比較的容易である係止具を提供することを目的とする。
【０１１６】
また、特許文献１の２件目の実施例４７の係止具について、通常、前記開口部（６ｃｃ）から挿入した袋の口を挟んで該第１部材（９５ｃｃ）と第２部材（９４ｃｃ）とを係止させるために、「前記第１部材（９５ｃｃ）の開口部（６ｃｃ）側へ前記第２部材（９４ｃｃ）」を押動させるが、また、第２部材（９４ｃｃ）に対して第１部材（９５ｃｃ）を反対の方向へ押動させても同じ結果が得られる。前記開口部（６ｃｃ）から挿入した袋の口を挟んで該第１部材（９５ｃｃ）と第２部材（９４ｃｃ）とを係止させるために、第２部材（９４ｃｃ）に対して第１部材（９５ｃｃ）を反対の方向へ押動させる場合、例えば、第１部材（９５ｃｃ）の上側の適当な箇所に指等を接して押動させることを想定する。この時、第２部材（９４ｃｃ）の切り込んで（１２４）ある箇所に指等が入り込むが、「前記寸法の市販の袋に対して対応するように設けてある」「切り込んだ幅（Ｙ１）が３ｍｍ」、あるいは、「０．５ｍｍ」等の場合、幅が広いとは言えないので、指等を接して押動させることは容易であるとは言い難く、つまり、片手で押動しようとしても、容易でなく、操作しづらいという問題がある。（課題６−２−２）。前記問題を解消し、片手で押動する場合の操作性が比較的容易である係止具を提供することを目的とする。
【０１１７】
先の（効果１−２−１）等に記したように、実施例１である、係止具（１）は、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動する。指を接して摺動させるには、図６にて、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、ある一定以上必要になる。長さ（Ａ）は一概に断定は難しいが、長さ（Ａ）は１０ｍｍ程度以上が必要と推測される。実施例１は、レール形状の雌部（５）の断面略Ｃ字状（８）の間から露出したレール形状の雄部（３）の断面略Ｉ字状（９）上面（１０）に指を接して押動させると、レール形状の雌部（５）とレール形状の雄部（３）とが摺動できるように、つまりは、レール形状の雌部（５）の断面略Ｃ字状（８）の間から露出したレール形状の雄部（３）の断面略Ｉ字状（９）上面（１０）の短手方向（矢印Ｔ）の長さ（Ａ）が、押動させる場合に接する指の幅程度に設けてあり、「該断面略Ｃ字状の間から露出した該断面略Ｉ字状上面に指を接して押動させると、レール形状の雌部とレール形状の雄部とが摺動する」の「指を接して」という文言は、断面略Ｃ字状の間から露出した該断面略Ｉ字状上面の短手方向（矢印Ｔ）の長さ（Ａ）が、指を接するための長さ、つまり、指の幅である１０ｍｍ程度はある、ということをここでは述べてあり、長さ（Ａ）が１０ｍｍ程度はあるので、幅が広く、指等を接して押動させることが比較的容易である。実施例１である、係止具（１）は、手のひらで第２部材（６）を支えつつ、指先で第１部材（４）を押動でき、片手で操作できる。つまり、片手で押動しようとする場合、操作が比較的容易である、という効果がある（効果１−６−１）。また、前記断面略Ｃ字状（８）の間から露出した断面略Ｉ字状（９）上面（１０）の短手方向（矢印Ｔ）の長さ（Ａ）が１０ｍｍ以上としてあるので、幅が広く、指等を接して押動させることが比較的容易である。実施例１である、係止具（１）は、手のひらで第２部材（６）を支えつつ、指先で第１部材（４）を押動でき、片手で操作できる。つまり、片手で押動しようとする場合、操作が比較的容易である、という効果がある（効果１−６−４）。また、前記容積部（１１）内に挿入後の口径を拡げた前記袋の口（２）の短手方向（矢印Ｔ）の長さ（Ｄ）より、前記断面略Ｃ字状（８）の間から露出した断面略Ｉ字状（９）上面（１０）の短手方向（矢印Ｔ）の長さ（Ａ）が大きくしてある。また、該中空部（２９）の短手方向（矢印Ｔ）の最大長さ（Ｂ）より、前記断面略Ｃ字状（８）の間から露出した断面略Ｉ字状（９）上面（１０）の短手方向（矢印Ｔ）の長さ（Ａ）が大きくしてある。大きくしてあるので、幅が広く、指等を接して押動させることが比較的容易であり、同様に、片手で押動しようとする場合、操作が比較的容易である、という効果がある（効果１−６−２）（効果１−６−３）。
【０１１８】
また、第６の課題について、特許文献１の１件目の実施例３８の係止具は、第１部材（９５ｚｓ）の開口部（６ｚｓ）側である第１部材（９５ｚｓ）の先端（８９ｚｓ）側のレールのような挿通孔（１０９Ａ）（１０９Ｂ）は、第１部材（９５ｚｓ）の容積部（４ｚｓ）に沿って設けられているが、途中から先端側については、上面から見ると、環状、円形状になっている。第１部材（９５ｚｓ）の差し入れ第２開口（２９ｚｒ）を含む先端（８９ｚｓ）が曲線状になっており、「前記第１部材（９５ｚｓ）の開口部（６ｚｓ）側へ前記第２部材（９４ｚｓ）」を押動した場合、例えば、第２部材（９４ｚｓ）の上面の適当な箇所に指等を接して押動させることを想定する。押動し続けると、この時、第２部材（９４ｚｓ）の差し入れ第２開口（２９ｚｒ）を含む先端（８９ｚｓ）に指等が接触し、先端と指等が衝突などするため、指等を接して押動させることは容易であるとは言い難い。つまり、片手で押動しようとしても、容易でなく、操作しづらいという問題がある。（課題６−３）。前記問題を解消し、片手で押動する場合の操作性が比較的容易である係止具を提供することを目的とする。
【０１１９】
実施例１である、係止具（１）は、該レール形状（７）（１６）は長手方向（方向Ｎ）に直線状に配置されているので、レール形状の雌部（５）の断面略Ｃ字状（８）の間から露出したレール形状の雄部（３）の断面略Ｉ字状（９）上面（１０）に指を接して押動させても、何も支障物等がなく、指等が衝突するということがなく、指等を接して押動させることが比較的容易であり、つまり、片手で押動しようとする場合、操作が比較的容易である、という効果がある（効果１−６−５）。
【０１２０】
次に、第７の課題を記す。加工コストが増えてしまうという問題がある。特許文献１の１件目の実施例３８の係止具は、「第２部材（９４ｚｓ）が挿通する挿通孔（１０９Ａ）（１０９Ｂ）を前記第１部材（９５ｚｓ）に設けてある」「挿通孔（１０９Ａ）は断面コ字状としてある」「一対の断面コ字状により、挿通孔（１０９Ａ）（１０９Ｂ）を構成してある」「挿通孔（１０９Ａ）（１０９Ｂ）は、レールのような役割を果たし、第２部材（９４ｚｓ）を差し入れ口（１８ｚｓ）から挿入し、第１部材（９５ｚｓ）に沿って案内するように設けてある」また、案内されて第２部材（９４ｚｓ）が差し入れ第２開口（２９ｚｒ）へ挿入されるように設けてある。第１部材（９５ｚｓ）の開口部（６ｚｓ）側である第１部材（９５ｚｓ）の先端（８９ｚｓ）側のレールのような挿通孔（１０９Ａ）（１０９Ｂ）は、第１部材（９５ｚｓ）の容積部（４ｚｓ）に沿って設けられてるが、途中から先端側については、上面から見ると、環状、円形状になっている。直線状に形成されたレールと違って、環状、円形状のため、成形加工時の手間、コストが増えてしまう。さらに、差し入れ第２開口（２９ｚｒ）があるため、簡単ではない形状となっており、高い加工精度を要し、コストが大きくなってしまう。実施例３８の係止具は、成形加工時の手間、コストが増え、高い加工精度が要求される、という問題がある。（課題７−１）。前記問題を解消し、加工時の手間、コスト低減ができ、高い加工精度も特には必要とされない係止具を提供することを目的とする。
【０１２１】
また、特許文献１の２件目の実施例４７の係止具は、「前記第２部材（９４ｃｃ）の挿通孔（１０９ｃｃ）内に挿入した前記第１部材（９５ｃｃ）の容積部（４ｃｃ）上方（１２１）に位置する該第２部材（９４ｃｃ）の挿通孔（１０９ｃｃ）の一端（１２２）を切り込んで（１２４）ある。例えば、縦寸法１８０ｍｍ、横寸法１８０ｍｍ、厚み０．０２ｍｍの市販の袋を使用する場合」は「切り込んだ幅（Ｙ１）は３ｍｍとしてある。」あるいは、「また、特に図示しないが」「切り込んだ幅（Ｙ１）３ｍｍを、例えば、０．５ｍｍとしてもよい」とある。そのため、加工方法としては射出成形等を選択する必要があるので、金型費用等のコストが増える、という問題がある。（課題７−２）。前記問題を解消し、コスト低減ができる係止具を提供することを目的とする。
【０１２２】
実施例１の係止具は、該レール形状（７）（１６）は長手方向（方向Ｎ）に直線状に配置されていて、全体の形状としても曲線部は有しておらず、直線状に形成してある。また、複雑な形状もなく、高い加工精度を必要としないので、基本的には、押出成形加工、抜き出し加工等で製造可能であり、射出成形等によって形成する必要がないため、比較的製造が容易で材料費の低減が可能である、という効果がある（効果１−７）。
【０１２３】
次に、実施例２である、係止具（１ａ）について記す。実施例２である、係止具（１ａ）は、図１７〜２０にて、次のようにしてある。図１７〜２０にて、袋の口（２）を封止する係止具であって、断面略Ｃ字状（８ａ）のレール形状の雌部（５ａ）の第１部材（４ａ）と、断面略Ｉ字状（９ａ）のレール形状の雄部（３ａ）の第２部材（６ａ）とで構成されている。該レール形状（７ａ）（１６ａ）は長手方向（方向Ｎ）に直線状に配置されている。該レール形状の雌部（５ａ）と該レール形状の雄部（３ａ）とは係合して摺動する。
【０１２４】
次に、上記について一部補足説明する。
実施例１の、断面略Ｃ字状（８）のレール形状の雌部（５）の第２部材（６）と、断面略Ｉ字状（９）のレール形状の雄部（３）の第１部材（４）とで構成されている、に代えて、実施例２は次のようにしてある。断面略Ｃ字状（８ａ）のレール形状の雌部（５ａ）の第１部材（４ａ）と、断面略Ｉ字状（９ａ）のレール形状の雄部（３ａ）の第２部材（６ａ）とで構成されている、としてある。
【０１２５】
また、実施例２は次のようにしてある。前記レール形状の雌部（５ａ）の第1部材（４ａ）の長手方向（矢印Ｎ）の前半側（１２ａ）に前記レール形状の雌部（５ａ）を配してある。
【０１２６】
次に、上記について一部補足説明する。第１部材（４ａ）の長手方向（矢印Ｎ）の前半側（１２ａ）について、前半というのは、第１部材（４ａ）の長手方向（矢印Ｎ）、第１部材（４ａ）のレール方向にて、第１部材（４ａ）の全長を二等分した場合の前半分という意味であるが、前半側なので、正確に二等分した場合の正確な前半分だけを述べている訳ではなく、その前後も含む範囲ということを記載してある。つまり、第１部材（４ａ）の全長を二等分した場合のおよそ前半側（１２ａ）に前記レール形状の雌部（５ａ）を配してある。レールの押動、摺動の容易性等に配慮してあり、レール形状の雌部（５ａ）を配してある区間が短いということない。また、レール形状の雌部（５ａ）の第１部材（４ａ）について、実施例１と相違して、実施例２は、第１部材（４ａ）の全長にレール形状の雌部（５ａ）を配してある訳ではなく、断面略Ｃ字状（８ａ）のレール形状が全長にある訳ではない。しかし、断面的に見れば、略Ｃ字状（８ａ）のレール形状が存在するので、断面略Ｃ字状（８ａ）のレール形状の雌部（５ａ）の第１部材（４ａ）、という文言で記してある。レール形状の雄部（３ａ）の第２部材（６ａ）について、第２部材（６ａ）の全長にレール形状の雄部（３ａ）を配してある。だだし、レール形状の雄部（３ａ）を第２部材（６ａ）の全長に設ける必要はなく、部分的、断片的に配してもよい。その場合も、断面的に見れば、断面略Ｉ字状（９ａ）のレール形状が存在するので、そういう場合も含めて、断面略Ｉ字状（９ａ）のレール形状の雄部（３ａ）の第２部材（６ａ）、という文言で記してある。
【０１２７】
該断面略Ｃ字状（８ａ）の間から露出した該断面略Ｉ字状（９ａ）上面（１０ａ）に指を接して押動させると、レール形状の雌部（５ａ）とレール形状の雄部（３ａ）とが摺動する。
【０１２８】
次に、上記について一部補足説明する。先に述べたように、レール形状の雌部（５ａ）の第1部材（４ａ）の長手方向（矢印Ｎ）の前半側（１２ａ）に前記レール形状の雌部（５ａ）を配してある。配してあるので、該断面略Ｃ字状（８ａ）の間から露出した該断面略Ｉ字状（９ａ）上面（１０ａ）の区間は、第1部材（４ａ）の前半側（１２ａ）となる。よって、上面（１０ａ）に指を接して押動させる区間は第1部材（４ａ）の前半側（１２ａ）となる。だからと言って、レール形状の雌部（５ａ）とレール形状の雄部（３ａ）とを摺動させるため、指を接して押動させる場合に、指を接する箇所を、断面略Ｃ字状（８ａ）の間から露出した該断面略Ｉ字状（９ａ）上面（１０ａ）に限定するものではなく、限定しなくてはならないことを記している訳でもない。レール形状の雌部（５ａ）を配していない、第1部材（４ａ）の長手方向（矢印Ｎ）の後半側（１５ａ）の上面に指を接して押動させて、レール形状の雌部（５ａ）とレール形状の雄部（３ａ）とを摺動させてもよい。
【０１２９】
また、実施例２についても、実施例１に記したのと同様になる。実施例２である、係止具（１ａ）は、レール形状の雌部（５ａ）の断面略Ｃ字状（８ａ）の間から露出したレール形状の雄部（３ａ）の断面略Ｉ字状（９ａ）上面（１０ａ）に指を接して押動させると、レール形状の雌部（５ａ）とレール形状の雄部（３ａ）とが摺動する。指を接して摺動させるには、図２０にて、レール形状の雌部（５ａ）の断面略Ｃ字状（８ａ）の間から露出したレール形状の雄部（３ａ）の断面略Ｉ字状（９ａ）上面（１０ａ）の短手方向（矢印Ｔ）の長さ（Ａａ）が、ある一定以上必要になる。実施例１と同様に、長さ（Ａａ）は１０ｍｍ以上が必要になる。係止具（１ａ）は、レール形状の雌部（５ａ）の断面略Ｃ字状（８ａ）の間から露出したレール形状の雄部（３ａ）の断面略Ｉ字状（９ａ）上面（１０ａ）に指を接して押動させると、レール形状の雌部（５ａ）とレール形状の雄部（３ａ）とが摺動できるようにするには、つまりは、レール形状の雌部（５ａ）の断面略Ｃ字状（８ａ）の間から露出したレール形状の雄部（３ａ）の断面略Ｉ字状（９ａ）上面（１０ａ）の短手方向（矢印Ｔ）の長さ（Ａａ）が、摺動させる場合に接する指の幅以上に設けてあるので、長さ（Ａａ）が１０ｍｍ以上となるので、実施例１と同様の各効果がある。
【０１３０】
前記断面略Ｃ字状（８ａ）の間から露出した断面略Ｉ字状（９ａ）上面（１０ａ）の短手方向（矢印Ｔ）の長さ（Ａａ）が１０ｍｍ以上としてある。
【０１３１】
次に、上記について一部補足説明する。また、実施例１にて記載したのと同様に、断面略Ｃ字状の間から露出した該断面略Ｉ字状上面の短手方向（矢印Ｔ）の長さ（Ａａ）が最低１０ｍｍ以上ある。よって、レール形状の雌部（５ａ）を配していない、第1部材（４ａ）の長手方向（矢印Ｎ）の後半側（１５ａ）の上面の短手方向（矢印Ｔ）の長さも１０ｍｍ以上より大きい。
【０１３２】
該袋の口（２）が収容可能な容積部（１１ａ）を第１部材（４ａ）の長手方向（方向Ｎ）の前半側（１２ａ）に設けてある。該容積部（１１ａ）は開口部（１３ａ）を備えてある。第１部材（４ａ）の長手方向（方向Ｎ）の先端（１４ａ）に該開口部（１３ａ）を設けてある。
【０１３３】
次に、開口部（１３ａ）と、袋の口（２）との作用について、一部、説明する。図１１、１２と同様になるが図は省略してある。該開口部（１３ａ）は、口径（２２）を絞った該袋の口（２Ａ）を出入する。また、開口したままの該開口部（１３ａ）を含めた容積部（１１ａ）は、容積部（１１ａ）内に挿入後の口径を拡げた該袋の口（２Ｂ）を掛止する。
【０１３４】
また、より具体的に記すと次のようになる。前記袋の口（２）が収容可能な中空部（２９ａ）を前記容積部（１１ａ）内に設けてある。開口したままの前記開口部（１３ａ）を含めた容積部（１１ａ）は、容積部（１１ａ）内の該中空部（２９ａ）に挿入後の口径を拡げた該袋の口（２）を掛止する。
【０１３５】
前記容積部（１１ａ）内に挿入後の口径を拡げた前記袋の口（２）の短手方向（矢印Ｔ）の長さ（Ｄ）より、前記断面略Ｃ字状（８ａ）の間から露出した断面略Ｉ字状（９ａ）上面（１０ａ）の短手方向（矢印Ｔ）の長さ（Ａａ）が大きくしてある。また、該中空部（２９ａ）の短手方向（矢印Ｔ）の最大長さ（Ｂａ）より、前記断面略Ｃ字状（８ａ）の間から露出した断面略Ｉ字状（９ａ）上面（１０ａ）の短手方向（矢印Ｔ）の長さ（Ａａ）が大きくしてある。
【０１３６】
次に、上記について一部補足説明する。該中空部（２９ａ）の短手方向（矢印Ｔ）の最大長さ（Ｂａ）より、前記容積部（１１ａ）内に挿入後の口径を拡げた前記袋の口（２）は、内側にある。よって、厳密に言うと、該中空部（２９ａ）の短手方向（矢印Ｔ）の最大長さ（Ｂａ）は、前記容積部（１１ａ）内に挿入後の口径を拡げた前記袋の口（２）の短手方向（矢印Ｔ）の長さ（Ｄ）より大きい。しかし、その差は僅かであり、長さとしては、同等である。また、前記容積部（１１ａ）内に挿入後の口径を拡げた前記袋の口（２）の短手方向（矢印Ｔ）の長さ（Ｄ）より、前記断面略Ｃ字状（８ａ）の間から露出した断面略Ｉ字状（９ａ）上面（１０ａ）の短手方向（矢印Ｔ）の長さ（Ａａ）が大きくしてある。該中空部（２９ａ）の短手方向（矢印Ｔ）の最大長さ（Ｂａ）より、前記断面略Ｃ字状（８ａ）の間から露出した断面略Ｉ字状（９ａ）上面（１０ａ）の短手方向（矢印Ｔ）の長さ（Ａａ）が大きくしてある。大きくしてあるので、実施例２については、実施例１と同様の各効果がある。
【０１３７】
次に、開口部（１３ａ）と袋の口（２）との作用、第１部材（４ａ）、第２部材（６ａ）の作用等について説明する。実施例１の図８，９、１３〜１５と同様になるが、図は省略してある。該レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動されると、該容積部（１１ａ）内に挿入後の口径を拡げた袋の口（２）が第２部材（６ａ）の先端（２３ａ）によって開口部（１３ａ）側へ移動する。該開口したままの開口部（１３ａ）が該移動した袋の口（２Ｆ）によって覆われて塞がれる。第１部材（４ａ）と第２部材（６ａ）との間に袋の口（２）が挟まれる。挟まれることによって、袋の口（２）が封止される。および、第１部材（４ａ）と第２部材（６ａ）とが係止される。係止される係止具（１ａ）としてある。
【０１３８】
次に、上記について一部補足説明する。実施例１である、係止具（１）にて、該レール形状の雄部（３）の第1部材（４）が、第１部材（４）の長手方向（矢印Ｎ）の前半側（１２）から後半側（１５）の方向（矢印Ｈ）へ押動されると、該容積部（１１）内に挿入後の口径を拡げた袋の口（２）が第２部材（６ａ）の先端（２３ａ）によって開口部（１３）側へ移動する、に代えて、実施例２は次のようにしてある。該レール形状の雄部（３ａ）の第２部材（６ａ）が、第１部材（４ａ）の長手方向（矢印Ｎ）の後半側（１５ａ）から前半側（１２ａ）の方向（矢印Ｍ）へ押動されると、該容積部（１１ａ）内に挿入後の口径を拡げた袋の口（２）が第２部材（６ａ）の先端（２３ａ）によって開口部（１３ａ）側へ移動する。
【０１３９】
該レール形状の雄部（３ａ）の第２部材（６ａ）が、第１部材（４ａ）の長手方向（矢印Ｎ）の後半側（１５ａ）から前半側（１２ａ）の方向（矢印Ｍ）へ押動されるとは、つまり、該レール形状の雄部（３ａ）の第２部材（６ａ）が、第１部材（４ａ）の長手方向（矢印Ｎ）の後端側から先端（１４ａ）側の方向（矢印Ｍ）へ押動される、であり、あるいは、第１部材（４ａ）の長手方向（矢印Ｎ）の後端側から開口部（１３ａ）側の方向（矢印Ｍ）へ押動される、ということを記載してある。なお、袋の口（２）を挿入する方向（矢印Ｈ）と、袋の口を封止するために第１部材（４ａ）を押圧する方向（矢印Ｍ）と、が相対するので、かち合うことがなく、連続的に操作する場合に、各々の方向に対して両手等で前準備しておけば（構えておけば）、操作が効率的になり、迅速性が高まる、という効果がある（効果他２−１）。
【０１４０】
先に述べたように、前記レール形状の雌部（５ａ）の第1部材（４ａ）の長手方向（矢印Ｎ）の前半側（１２ａ）に前記レール形状の雌部（５ａ）を配してある。配してあるので、レール形状の雄部（３ａ）の第２部材（６ａ）が、第１部材（４ａ）の長手方向（矢印Ｎ）の後半側（１５ａ）から前半側（１２ａ）の方向（矢印Ｍ）へ押動され、袋の口（２）が封止され、および、第１部材（４ａ）と第２部材（６ａ）とが係止される場合に、レール形状の雌部（５ａ）とレール形状の雄部（３ａ）との係合する力が第１部材（４ａ）の前半側（１２ａ）に加わり、さらに強固な力となり、封止および係止される力が高まる、という効果がある（効果２−１−１）。また、前記レール形状の雌部（５ａ）の第1部材（４ａ）の長手方向（矢印Ｎ）の前半側（１２ａ）に前記レール形状の雌部（５ａ）を配してある。配してあるので、レール形状の雄部（３ａ）の第２部材（６ａ）が、第１部材（４ａ）の長手方向（矢印Ｎ）の後半側（１５ａ）から前半側（１２ａ）の方向（矢印Ｍ）へ、あるいは、第１部材（４ａ）の長手方向（矢印Ｎ）の前半側（１２ａ）から後半側（１５ａ）の方向（矢印Ｈ）へ押動される場合に、第１部材（４ａ）の前半側（１２ａ）については、ガタツキ等が発生しにくく、押動する場合の安定性が比較的良い、という効果がある（効果２−５）。
【０１４１】
また、前記レール形状の雄部（３ａ）の第２部材（６ａ）が、第１部材（４ａ）の長手方向（矢印Ｎ）の後半側（１５ａ）から前半側（１２ａ）の方向（矢印Ｈ）へ押動された場合に、第２部材（６ａ）の先端（２３ａ）が開口部（１３ａ）より突出している。
【０１４２】
上記について、一部補足説明する。また、実施例２についても、実施例１の（効果１−１）に記したのと同様になる。実施例２である、係止具（１ａ）は、該レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動されると、該容積部（１１ａ）内に挿入後の口径を拡げた袋の口（２ａ）が開口部（１３ａ）側へ移動して、該開口したままの開口部（１３ａ）が該移動した袋の口（２）によって覆われて塞がれ、第１部材（４ａ）と第２部材（６ａ）との間に袋の口（２）が挟まれ、挟まれることによって、袋の口（２）が封止され、および、第１部材（４ａ）と第２部材（６ａ）とが係止されるようにしてある。そして、図２０にて、前記レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動された場合に、第２部材（６ａ）の先端（２３ａ）が開口部（１３ａ）より突出するように設けてある。よって、前出の特許文献１の１件目の実施例３８の係止具のように「設けている範囲」に限定されることがない。該レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動された場合の第２部材（６ａ）の位置が限定されることが少なく「任意に調整」しやすいという長所を有する。レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動され、開口部（１３ａ）が袋の口（２）によって覆われて塞がれ、第１部材（４ａ）と第２部材（６ａ）との間に袋の口（２）が挟まれ、封止される場合に、第２部材（６ａ）の押動される位置が限定されるのを緩和でき、袋の口（２）を封止する力が向上する、という効果がある（効果２−１−２）。また、同様に、前記レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動された場合に、第２部材（６ａ）の先端（２３ａ）が開口部（１３ａ）より突出するように設けてある。よって、前出の特許文献１の１件目の実施例３８の係止具のように「設けている範囲」に限定されることがない。該レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動された場合の第２部材（６ａ）の位置が限定されることが少なく「任意に調整」しやすいという長所を有する。レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動され、開口部（１３ａ）が袋の口（２）によって覆われて塞がれ、第１部材（４ａ）と第２部材（６ａ）との間に袋の口（２）が挟まれ、封止される場合に、第２部材（６ａ）を押動させる位置が限定されるのを緩和でき、使用する袋のサイズ、大きさが限定されてしまうのを緩和することができる、という効果がある（効果２−２−１）。また、前記レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動された場合に、第２部材（６ａ）の先端（２３ａ）が開口部（１３ａ）より突出している。突出しているように設けているので、該レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動された場合の第２部材（６ａ）の位置が限定されることが少なく「任意に調整」しやすい。任意に調整できる範囲が拡がるという効果がある（効果他２−２）。また、第１部材（４ａ）と第２部材（６ａ）との間に袋の口（２）が挟まれ、封止される場合に、第２部材（６ａ）の先端（２３ａ）が開口部（１３ａ）より突出する位置にしておけば、封止された後、係止および封止の状態を解除する意思が特になく、不可抗力等によって不意に、該レール形状の雄部（３ａ）の第２部材（６ａ）が、第１部材（４ａ）の長手方向（方向Ｎ）の後半側（１５ａ）から前半側（１２ａ）の方向（矢印Ｍ）へ押動された時でも、第２部材（６ａ）の先端（２３ａ）が開口部（１３ａ）より突出している分だけ、すぐには、係止および封止の状態が解除されることがなく、安全である、という効果がある（効果他２−３）。
【０１４３】
次に、実施例３である、係止具（１ｂ）について記す。実施例３である、係止具（１ｂ）は、実施例１である、係止具（１）の、前記レール形状の雌部（５）の第２部材（６）の長手方向（方向Ｎ）の全長（Ｃ）に前記レール形状の雌部（５）を配し、に代えて、次のようにしてある。図２１〜２３、３３にて、前記レール形状の雌部（５ｂ）の第２部材（６ｂ）の長手方向（矢印Ｎ）の後半側（１５ｂ）に前記レール形状の雌部（５ｂ）を配し、としてある。なお、実施例３の第１部材は、実施例１の第１部材（４）と同様、同一としてある。
【０１４４】
上記について、一部補足説明する。第２部材（６ｂ）の長手方向（矢印Ｎ）の後半側（１５ｂ）について、後半というのは、第２部材（６ｂ）の長手方向（矢印Ｎ）、第２部材（６ｂ）のレール方向にて、第２部材（６ｂ）の全長を二等分した場合の後半分という意味であるが、後半側なので、正確に二等分した場合の正確な後半部分だけを述べている訳ではなく、その前後も含む範囲ということを記載してある。つまり、第２部材（６ｂ）の全長を二等分した場合のおよそ後半側（１５ｂ）に前記レール形状の雌部（５ｂ）を配してある。レールの押動、摺動の容易性等に配慮してあり、レール形状の雌部（５ｂ）を配してある区間が短いということない。また、レール形状の雌部（５ｂ）の第２部材（６ｂ）について、実施例１と相違して、実施例３は、第２部材（６ｂ）の全長にレール形状の雌部（５ｂ）を配してある訳ではなく、断面略Ｃ字状（８ｂ）のレール形状が全長にある訳ではない。しかし、断面的に見れば、略Ｃ字状（８ｂ）のレール形状が存在するので、断面略Ｃ字状（８ｂ）のレール形状の雌部（５ｂ）の第２部材（６ｂ）、という文言で記してある。レール形状の雄部（３）の第１部材（４）について、実施例１と同様に、第１部材（４）の全長（Ｃ）にレール形状の雄部（３）を配してある。だだし、レール形状の雄部（３）を第１部材（４）の全長（Ｃ）に設ける必要はなく、部分的、断片的に配してもよい。その場合も、断面的に見れば、断面略Ｉ字状（９）のレール形状が存在するので、そういう場合も含めて、断面略Ｉ字状（９）のレール形状の雄部（３）の第１部材（４）、という文言で記してある。
【０１４５】
該断面略Ｃ字状（８ｂ）の間から露出した該断面略Ｉ字状（９）上面（１０）に指を接して押動させると、レール形状の雌部（５ｂ）とレール形状の雄部（３）とが摺動する。
【０１４６】
次に、上記について一部補足説明する。先に述べたように、レール形状の雌部（５ｂ）の第２部材（６ｂ）の長手方向（矢印Ｎ）の後半側（１５ｂ）に前記レール形状の雌部（５ｂ）を配してある。配してあるので、該断面略Ｃ字状（８ｂ）の間から露出した該断面略Ｉ字状（９）上面（１０）の区間は、第２部材（６ｂ）の後半側（１５ｂ）となる。よって、上面（１０）に指を接して押動させる区間は第２部材（６ｂ）の後半側（１５ｂ）となる。だからと言って、レール形状の雌部（５ｂ）とレール形状の雄部（３）とを摺動させるため、指を接して押動させる場合に、指を接する箇所を、該断面略Ｃ字状（８ｂ）の間から露出した該断面略Ｉ字状（９）上面（１０）に限定するものではなく、限定しなくてはならないことを記している訳でもない。レール形状の雌部（５ｂ）を配していない、第２部材（６ｂ）の長手方向（矢印Ｎ）の前半側（１２ｂ）の露出した該断面略Ｉ字状（９）上面に指を接して押動させて、レール形状の雌部（５ｂ）とレール形状の雄部（３）とを摺動させてもよい。また、実施例１にて記載したのと同様に、断面略Ｃ字状の間から露出した該断面略Ｉ字状上面の短手方向（矢印Ｔ）の長さ（Ａｂ）が最低１０ｍｍ程度以上ある。よって、レール形状の雌部（５ｂ）を配していない、第２部材（６ｂ）の長手方向（矢印Ｎ）の前半側（１２ｂ）の露出した該断面略Ｉ字状（９）上面の短手方向（矢印Ｔ）の長さも１０ｍｍ程度以上より大きい。
【０１４７】
以上のように、前記レール形状の雌部（５ｂ）の第２部材（６ｂ）の長手方向（矢印Ｎ）の後半側（１５ｂ）に前記レール形状の雌部（５ｂ）を配してあるので、レール形状の雄部（３）の第１部材（４）が、第１部材（４）の長手方向（矢印Ｎ）の後半側（１５）から前半側（１２）の方向（矢印Ｍ）へ、あるいは、第１部材（４）の長手方向（矢印Ｎ）の前半側（１２）から後半側（１５）の方向（矢印Ｈ）へ押動される場合に、第２部材（６ｂ）の後半側（１５ｂ）については、ガタツキ等が発生しにくく、押動する場合の安定性が比較的良い、という効果がある（効果３−５）。
【０１４８】
また、前記レール形状の雌部（５ｂ）の第２部材（６ｂ）の長手方向（矢印Ｎ）の後半側（１５ｂ）に前記レール形状の雌部（５ｂ）を配してあるので、つまりは、前半側（１２ｂ）には前記レール形状の雌部（５ｂ）を配していないので、次のような効果がある。第１部材（４）と第２部材（６ｂ）とによって封止した袋の口（２）を解除するため、はずそうとして、レール形状の雄部（３）の第１部材（４）が、第１部材（４）の長手方向（矢印Ｎ）の後半側（１５）から前半側（１２）の方向（矢印Ｍ）へ押動される場合に、レール形状の雌部（５ｂ）に袋の口（２）が上面（１０）側で挟まれたりすることがなく、取り外しは比較的容易であり、動作がスムーズで、また、袋の口（２）の一部が裂けたりする恐れも少ない、という効果がある（効果他３−１）。また、前半側（１２ｂ）には前記レール形状の雌部（５ｂ）を配していないので、１部材（４）と第２部材（６ｂ）とによって封止した袋の口（２）を解除するため、はずそうとして、レール形状の雄部（３）の第１部材（４）が、第１部材（４）の長手方向（矢印Ｎ）の後半側（１５）から前半側（１２）の方向（矢印Ｍ）へ押動されなくても、袋の口（２）の一端を引っ張ったりするだけで取り外しが可能であり、一時的に仮にとめる仮止め用としての利用もできる、という効果がある（効果他３−２）。また、前半側（１２ｂ）には前記レール形状の雌部（５ｂ）を配していないので、袋の口（２）を封止しょうとして、レール形状の雄部（３）の第１部材（４）が、第１部材（４）の長手方向（矢印Ｎ）の前半側（１２）から後半側（１５）の方向（矢印Ｈ）へ押動される場合に、レール形状の雌部（５ｂ）に袋の口（２）が上面（１０）側で挟まれたりすることがなく、袋の口（２）を封止しようと押動させる時の力も軽減でき、比較的容易であり、動作がスムーズで、また、袋の口（２）の一部が裂けたりする恐れも少ない、という効果がある（効果他３−３）。また、前半側（１２ｂ）には前記レール形状の雌部（５ｂ）を配していないので、該開口したままの開口部（１３）に移動して覆って塞がった袋の口（２）、あるいは、第１部材（４）と第２部材（６ｂ）との間に挟まれた袋の口（２）の入り込み状態を把握する場合等、目で確認する時に確認しやすい、という効果がある（効果３−４−１）。
【０１４９】
次に、実施例４である、係止具（１ｃ）について記す。実施例４である、係止具（１ｃ）は、実施例１である、係止具（１）の、前記レール形状の雌部（５）の第２部材（６）の長手方向（方向Ｎ）の全長（Ｃ）に前記レール形状の雌部（５）を配し、に代えて、次のようにしてある。図２４〜２６にて、前記レール形状の雌部（５ｃ）の第２部材（６ｃ）の長手方向（矢印Ｎ）の中間側（２８ｃ）に前記レール形状の雌部（５ｃ）を配してある。ただし、実施例１の全長（Ｃ）に比べて、実施例４の全長は少し短くしてある。また、実施例４の第１部材は、実施例１の第１部材（４）と同様、同一としてある。
【０１５０】
次に、上記について一部補足説明する。第２部材（６ｃ）の長手方向（矢印Ｎ）の中間側（２８ｃ）について、中間というのは、第２部材（６ｃ）の長手方向（矢印Ｎ）、第２部材（６ｃ）のレール方向にて、第２部材（６ｃ）の全長を二等分した場合の中間部分という意味、あるいは、第２部材（６ｃ）の全長を三等分した場合の真ん中の部分という意味であるが、中間側なので、正確に二等分、三等分した場合の正確な中間部分だけを述べている訳ではなく、その前後も含む範囲ということを記載してある。つまり、第２部材（６ｃ）の全長を二等分、あるいは、三等分した場合の中間側（２８ｃ）に前記レール形状の雌部（５ｃ）を配してある。レールの押動、摺動の容易性等に配慮してあり、レール形状の雌部（５ｃ）を配してある区間は短いということない。レール形状の雌部（５ｃ）を配してある区間の長さは、第２部材（６ｃ）の全長の半分の長さよりもやや長めにしてある。また、レール形状の雌部（５ｃ）の第２部材（６ｃ）について、実施例１と相違して、実施例３は、第２部材（６ｃ）の全長にレール形状の雌部（５ｃ）を配してある訳ではなく、断面略Ｃ字状（８ｃ）のレール形状が全長にある訳ではない。しかし、断面的に見れば、略Ｃ字状（８ｃ）のレール形状が存在するので、断面略Ｃ字状（８ｃ）のレール形状の雌部（５ｃ）の第２部材（６ｃ）、という文言で記してある。レール形状の雄部（３ｃ）の第１部材（４ｃ）については実施例３と同様にしてある。
【０１５１】
該断面略Ｃ字状（８ｃ）の間から露出した該断面略Ｉ字状（９）上面（１０）に指を接して押動させると、レール形状の雌部（５ｃ）とレール形状の雄部（３）とが摺動する。
【０１５２】
次に、上記について一部補足説明する。先に述べたように、レール形状の雌部（５ｃ）の第２部材（６ｃ）の長手方向（矢印Ｎ）の中間側（２８ｃ）に前記レール形状の雌部（５ｃ）を配してある。配してあるので、該断面略Ｃ字状（８ｃ）の間から露出した該断面略Ｉ字状（９）上面（１０）の区間は、第２部材（６ｃ）の中間側（２８ｃ）となる。よって、上面（１０）に指を接して押動させる区間は第２部材（６ｃ）の中間側（２８ｃ）となる。だからと言って、レール形状の雌部（５ｃ）とレール形状の雄部（３）とを摺動させるため、指を接して押動させる場合に、指を接する箇所を、該断面略Ｃ字状（８ｃ）の間から露出した該断面略Ｉ字状（９）上面（１０）に限定するものではなく、限定しなくてはならないことを記している訳でもない。中間側（２８ｃ）を除く、レール形状の雌部（５ｃ）を配していない、第２部材（６ｃ）の長手方向（矢印Ｎ）の前半側（１２ｃ）、後半側（１５ｃ）の露出した該断面略Ｉ字状（９）上面に指を接して押動させて、レール形状の雌部（５ｃ）とレール形状の雄部（３）とを摺動させてもよい。また、実施例１にて記載したのと同様に、断面略Ｃ字状の間から露出した該断面略Ｉ字状上面の短手方向（矢印Ｔ）の長さ（Ａｃ）が最低１０ｍｍ程度以上ある。よって、中間側（２８ｃ）を除く、レール形状の雌部（５ｃ）を配していない、第２部材（６ｃ）の長手方向（矢印Ｎ）の前半側（１２ｃ）、後半側（１５ｃ）の露出した該断面略Ｉ字状（９）上面の短手方向（矢印Ｔ）の長さも１０ｍｍ程度以上より大きい。
【０１５３】
以上のように、前記レール形状の雌部（５ｃ）の第２部材（６ｃ）の長手方向（矢印Ｎ）の中間側（２８ｃ）に前記レール形状の雌部（５ｃ）を配してあるので、レール形状の雄部（３）の第１部材（４）が、第１部材（４）の長手方向（矢印Ｎ）の後半側（１５）から前半側（１２）の方向（矢印Ｍ）へ、あるいは、第１部材（４）の長手方向（矢印Ｎ）の前半側（１２）から後半側（１５）の方向（矢印Ｈ）へ押動される場合に、第２部材（６ｃ）の中間側（２８ｃ）については、ガタツキ等が発生しにくく、押動する場合の安定性が比較的良い、という効果がある（効果４−５）。
【０１５４】
また、前記レール形状の雌部（５ｃ）の第２部材（６ｃ）の長手方向（矢印Ｎ）の中間側（２８ｃ）に前記レール形状の雌部（５ｃ）を配してあるので、レール形状の雄部（３）の第１部材（４）が、第１部材（４）の長手方向（矢印Ｎ）の前半側（１２）から後半側（１５）の方向（矢印Ｈ）へ押動され、袋の口（２）が封止され、および、第１部材（４）と第２部材（６ｃ）とが係止される場合に、レール形状の雌部（５ｃ）とレール形状の雄部（３）との係合する力が第２部材（６ｃ）の中間側（２８ｃ）に加わり、容積部（１１）の後半寄りにて、さらに強固な力となり、封止および係止される力が高まる、という効果がある（効果４−１）。
【０１５５】
また、前記レール形状の雌部（５ｃ）の第２部材（６ｃ）の長手方向（矢印Ｎ）の中間側（２８ｃ）に前記レール形状の雌部（５ｃ）を配してあり、つまりは、前記レール形状の雌部（５ｃ）の第２部材（６ｃ）の長手方向（矢印Ｎ）の中間側（２８ｃ）を除く前半側（１２ｃ）、後半側（１５ｃ）には前記レール形状の雌部（５ｃ）を配していない。第２部材（６ｃ）の中間側（２８ｃ）を除く第２部材（６ｃ）の前半側（１２ｃ）には、レール形状の雌部（５ｃ）を配していないので、次のような効果がある。第１部材（４）と第２部材（６ｃ）とによって封止した袋の口（２）を解除するため、はずそうとして、レール形状の雄部（３）の第１部材（４）が、第１部材（４）の長手方向（矢印Ｎ）の後半側（１５）から前半側（１２）の方向（矢印Ｍ）へ押動される場合に、第２部材（６ｃ）の中間側（２８ｃ）を除く第２部材（６ｃ）の前半側（１２ｃ）については、レール形状の雌部（５ｃ）を配していないので、レール形状の雌部（５ｃ）に袋の口（２）が上面（１０）側で挟まれたりすることがなく、取り外しは比較的容易であり、動作がスムーズで、また、袋の口（２）の一部が裂けたりする恐れも少ない、という効果がある（効果他４−１）。また、第２部材（６ｃ）の中間側（２８ｃ）を除く第２部材（６ｃ）の前半側（１２ｃ）については、レール形状の雌部（５ｃ）を配していないので、第１部材（４）と第２部材（６ｃ）とによって封止した袋の口（２）を解除するため、はずそうとして、レール形状の雄部（３）の第１部材（４）が、第１部材（４）の長手方向（矢印Ｎ）の後半側（１５）から前半側（１２）の方向（矢印Ｍ）へ押動されなくても、袋の口（２）の一端を引っ張ったりするだけで取り外しが可能であり、一時的に仮にとめる仮止め用としての利用もできる、という効果がある（効果他４−２）。また、同様に、袋の口（２）を封止しょうとして、レール形状の雄部（３）の第１部材（４）が、第１部材（４）の長手方向（矢印Ｎ）の前半側（１２）から後半側（１５）の方向（矢印Ｈ）へ押動される場合に、第２部材（６ｃ）の中間側（２８ｃ）を除く第２部材（６ｃ）の前半側（１２ｃ）については、レール形状の雌部（５ｃ）を配していないので、レール形状の雌部（５ｃ）に袋の口（２）が上面（１０）側で挟まれたりすることがなく、袋の口（２）を封止しようと押動させる時の力も軽減でき、比較的容易であり、動作がスムーズで、また、袋の口（２）の一部が裂けたりする恐れも少ない、という効果がある（効果他４−３）。また、該開口したままの開口部（１３）に移動して覆って塞がった袋の口（２）、あるいは、第１部材（４）と第２部材（６ｃ）との間に挟まれた袋の口（２）の入り込み状態を把握する場合等、第２部材（６ｃ）の中間側（２８ｃ）を除く第２部材（６ｃ）の前半側（１２ｃ）については、レール形状の雌部（５ｃ）を配していないので、目で確認する時に確認しやすい、という効果がある（効果４−４−１）。
【０１５６】
次に、実施例５である、係止具（１ｄ）について記す。実施例５である、係止具（１ｄ）は、実施例３である、係止具（１ｂ）の、前記レール形状の雌部（５ｂ）の第２部材（６ｂ）の長手方向（矢印Ｎ）の後半側（１５ｂ）に前記レール形状の雌部（５ｂ）を配し、に代えて、次のようにしてある。図２７にて、前記レール形状の雌部（５ｄ）の第２部材（６ｄ）の長手方向（矢印Ｎ）の前半側（１２ｄ）に前記レール形状の雌部（５ｄ）を配し、としてある。なお、実施例５の第１部材は、実施例１、実施例３の第１部材（４）と同様、同一としてある。
【０１５７】
以上のように、前記レール形状の雌部（５ｄ）の第２部材（６ｄ）の長手方向（矢印Ｎ）の前半側（１２ｄ）に前記レール形状の雌部（５ｄ）を配してある。配してあるので、レール形状の雄部（３）の第１部材（４）が、第１部材（４）の長手方向（矢印Ｎ）の後半側（１５）から前半側（１２）の方向（矢印Ｍ）へ、あるいは、第１部材（４）の長手方向（矢印Ｎ）の前半側（１２）から後半側（１５）の方向（矢印Ｈ）へ押動される場合に、第２部材（６ｄ）の前半側（１２ｄ）については、ガタツキ等が発生しにくく、押動する場合の安定性が比較的良い、という効果がある（効果５−５）。
【０１５８】
また、前記レール形状の雌部（５ｄ）の第２部材（６ｄ）の長手方向（矢印Ｎ）の前半側（１２ｄ）に前記レール形状の雌部（５ｄ）を配してあるので、レール形状の雄部（３）の第１部材（４）が、第１部材（４）の長手方向（矢印Ｎ）の前半側（１２）から後半側（１５）の方向（矢印Ｈ）へ押動され、袋の口（２）が封止され、および、第１部材（４）と第２部材（６ｄ）とが係止される場合に、レール形状の雌部（５ｄ）とレール形状の雄部（３）との係合する力が第２部材（６ｄ）の前半側（１２ｄ）に加わり、容積部（１１）にて、さらに強固な力となり、封止および係止される力が高まる、という効果がある（効果５−１）。
【０１５９】
また、実施例５の第２部材（６ｄ）は、実施例３の第２部材（６ｂ）と同一であり、実施例３の第２部材（６ｂ）の向きを変更してある。つまり、実施例３の前記レール形状の雌部（５ｂ）の第２部材（６ｂ）の長手方向（矢印Ｎ）の後半側（１５ｂ）に前記レール形状の雌部（５ｂ）を配した第２部材（６ｂ）と、実施例５の前記レール形状の雌部（５ｄ）の第２部材（６ｄ）の長手方向（矢印Ｎ）の前半側（１２ｄ）に前記レール形状の雌部（５ｄ）を配した第２部材（６ｄ）とは、同一のものであり、向きを変更したものである。よって、実施例３のようにも使用でき、実施例５のようにも使用でき、実施例３と実施例５とを兼用できる、という効果がある（効果他５−１）。よって、実施例５は、実施例３の効果もあわせ持つ。
【０１６０】
次に、実施例６である、係止具（１ｅ）について記す。実施例６である、係止具（１ｅ）は、実施例２である、係止具（１ａ）の、前記レール形状の雌部（５ａ）の第1部材（４ａ）の長手方向（矢印Ｎ）の前半側（１２ａ）に前記レール形状の雌部（５ａ）を配し、に代えて、次のようにしてある。図２８にて、前記レール形状の雌部（５ｅ）の第1部材（４ｅ）の長手方向（矢印Ｎ）の全長（Ｃｅ）に前記レール形状の雌部（５ｅ）を配し、としてある。なお、実施例６の第２部材は、実施例２の第２部材（６ａ）と同様、同一としてある。
【０１６１】
実施例６については、実施例２と、およそ同様の効果を有するが一部相違する。袋の口（２）を挿入する方向（矢印Ｈ）と、袋の口を封止するために第１部材（４ｅ）を押圧する方向（矢印Ｍ）と、が相対するので、かち合うことがなく、連続的に操作する場合に、各々の方向に対して両手等で前準備しておけば（構えておけば）、操作が効率的になり、迅速性が高まる、という効果がある（効果他６−１）。先に記したように、前記レール形状の雌部（５ｅ）の第1部材（４ｅ）の長手方向（矢印Ｎ）の全長（Ｃｅ）に前記レール形状の雌部（５ｅ）を配してあるので、レール形状の雄部（３ａ）の第２部材（６ａ）が、第１部材（４ｅ）の長手方向（矢印Ｎ）の後半側（１５ｅ）から前半側（１２ｅ）の方向（矢印Ｍ）へ押動され、袋の口（２）が封止され、および、第１部材（４ｅ）と第２部材（６ａ）とが係止される場合に、レール形状の雌部（５ｅ）とレール形状の雄部（３ａ）との係合する力が第１部材（４ｅ）の前半側（１２ｅ）に加わり、さらに強固な力となり、封止および係止される力が高まる、という効果がある（効果６−１）。また、前記レール形状の雌部（５ｅ）の第1部材（４ｅ）の長手方向（矢印Ｎ）の全長（Ｃｅ）に前記レール形状の雌部（５ｅ）を配してあるので、レール形状の雄部（３ａ）の第２部材（６ａ）が、第１部材（４ｅ）の長手方向（矢印Ｎ）の後半側（１５ｅ）から前半側（１２ｅ）の方向（矢印Ｍ）へ押動され、あるいは、第１部材（４ｅ）の長手方向（矢印Ｎ）の前半側（１２ｅ）から後半側（１５ｅ）の方向（矢印Ｈ）へ押動される場合に、第１部材（４ｅ）の全長にわたって、ガタツキ等が発生しにくく、押動する場合の安定性が比較的良い、という効果がある（効果６−５）。
【０１６２】
次に、実施例７である、係止具（１ｆ）について記す。実施例７である、係止具（１ｆ）は、実施例６である、係止具（１ｅ）の、前記レール形状の雌部（５ｅ）の第1部材（４ｅ）の長手方向（矢印Ｎ）の全長（Ｃｅ）に前記レール形状の雌部（５ｅ）を配し、に代えて、次のようにしてある。図２９にて、前記レール形状の雌部（５ｆ）の第１部材（４ｆ）の長手方向（矢印Ｎ）の後半側（１５ｆ）に前記レール形状の雌部（５ｆ）を配し、としてある。なお、実施例７の第２部材は、実施例２の第２部材（６ａ）と同様、同一としてある。
【０１６３】
実施例７については、実施例３と、およそ同様の効果を有する。前記レール形状の雌部（５ｆ）の第１部材（４ｆ）の長手方向（矢印Ｎ）の後半側（１５ｆ）に前記レール形状の雌部（５ｆ）を配してあるので、レール形状の雄部（３ａ）の第２部材（６ａ）が、第１部材（４ｆ）の長手方向（矢印Ｎ）の後半側（１５ｆ）から前半側（１２ｆ）の方向（矢印Ｍ）へ、あるいは、第１部材（４ｆ）の長手方向（矢印Ｎ）の前半側（１２ｆ）から後半側（１５ｆ）の方向（矢印Ｈ）へ押動される場合に、第１部材（４ｆ）の後半側（１５ｆ）については、ガタツキ等が発生しにくく、押動する場合の安定性が比較的良い、という効果がある（効果７−５）。
【０１６４】
また、前記レール形状の雌部（５ｆ）の第１部材（４ｆ）の長手方向（矢印Ｎ）の後半側（１５ｆ）に前記レール形状の雌部（５ｆ）を配してあるので、つまりは、前半側（１２ｆ）には前記レール形状の雌部（５ｆ）を配していないので、次のような効果がある。第１部材（４ｆ）と第２部材（６ａ）とによって封止した袋の口（２）を解除するため、はずそうとして、レール形状の雄部（３ａ）の第２部材（６ａ）が、第１部材（４ｆ）の長手方向（矢印Ｎ）の前半側（１２ｆ）から後半側（１５ｆ）の方向（矢印Ｈ）へ押動される場合に、レール形状の雌部（５ｆ）に袋の口（２）が上面（１０）側で挟まれたりすることがなく、取り外しは比較的容易であり、動作がスムーズで、また、袋の口（２）の一部が裂けたりする恐れも少ない、という効果がある（効果７−３−１）。また、前半側（１２ｆ）には前記レール形状の雌部（５ｆ）を配していないので、第１部材（４ｆ）と第２部材（６ａ）とによって封止した袋の口（２）を解除するため、はずそうとして、レール形状の雄部（３ａ）の第２部材（６ａ）が、第１部材（４ｆ）の長手方向（矢印Ｎ）の前半側（１２ｆ）から後半側（１５ｆ）の方向（矢印Ｈ）へ押動されなくても、袋の口（２）の一端を引っ張ったりするだけで取り外しが可能であり、一時的に仮にとめる仮止め用としての利用もできる、という効果がある（効果他７−１）。また、前半側（１２ｆ）には前記レール形状の雌部（５ｆ）を配していないので、袋の口（２）を封止しょうとして、レール形状の雄部（３ａ）の第２部材（６ａ）が、第１部材（４ｆ）の長手方向（矢印Ｎ）の後半側（１５ｆ）から前半側（１２ｆ）の方向（矢印Ｍ）へ押動される場合に、レール形状の雌部（５ｆ）に袋の口（２）が上面（１０）側で挟まれたりすることがなく、袋の口（２）を封止しようと押動させる時の力も軽減でき、比較的容易であり、動作がスムーズで、また、袋の口（２）の一部が裂けたりする恐れも少ない、という効果がある（効果他７−２）。また、前半側（１２ｆ）には前記レール形状の雌部（５ｆ）を配していないので、該開口したままの開口部（１３ｆ）に移動して覆って塞がった袋の口（２）、あるいは、第１部材（４ｆ）と第２部材（６ａ）との間に挟まれた袋の口（２）の入り込み状態を把握する場合等、目で確認する時に確認しやすい、という効果がある（効果７−４−１）。
【０１６５】
次に、実施例８である、係止具（１ｇ）について記す。実施例８である、係止具（１ｇ）は、実施例６である、係止具（１ｅ）の、前記レール形状の雌部（５ｅ）の第1部材（４ｅ）の長手方向（矢印Ｎ）の全長（Ｃｅ）に前記レール形状の雌部（５ａ）を配し、に代えて、次のようにしてある。図３０にて、前記レール形状の雌部（５ｇ）の第１部材（４ｇ）の長手方向（矢印Ｎ）の中間側（２８ｇ）に前記レール形状の雌部（５ｇ）を配し、としてある。なお、実施例８の第２部材は、実施例２の第２部材（６ａ）と同様、同一としてある。
【０１６６】
実施例８については、実施例４と、およそ同様の効果を有する。前記レール形状の雌部（５ｇ）の第１部材（４ｇ）の長手方向（矢印Ｎ）の中間側（２８ｇ）に前記レール形状の雌部（５ｇ）を配してあるので、レール形状の雄部（３ａ）の第２部材（６ａ）が、第１部材（４ｇ）の長手方向（矢印Ｎ）の後半側（１５ｇ）から前半側（１２ｇ）の方向（矢印Ｍ）へ、あるいは、第１部材（４ｇ）の長手方向（矢印Ｎ）の前半側（１２ｇ）から後半側（１５ｇ）の方向（矢印Ｈ）へ押動される場合に、第１部材（４ｇ）の中間側（２８ｇ）については、ガタツキ等が発生しにくく、押動する場合の安定性が比較的良い、という効果がある（効果８−５）。また、前記レール形状の雌部（５ｇ）の第１部材（４ｇ）の長手方向（矢印Ｎ）の中間側（２８ｇ）に前記レール形状の雌部（５ｇ）を配してあるので、レール形状の雄部（３ａ）の第２部材（６ａ）が、第１部材（４ｇ）の長手方向（矢印Ｎ）の後半側（１５ｇ）から前半側（１２ｇ）の方向（矢印Ｍ）へ押動され、袋の口（２）が封止され、および、第１部材（４ｇ）と第２部材（６ａ）とが係止される場合に、レール形状の雌部（５ｇ）とレール形状の雄部（３ａ）との係合する力が第１部材（４ｇ）の中間側（２８ｇ）に加わり、容積部（１１ｇ）の後半寄りにて、さらに強固な力となり、封止および係止される力が高まる、という効果がある（効果８−１）。また、前記レール形状の雌部（５ｇ）の第１部材（４ｇ）の長手方向（矢印Ｎ）の中間側（２８ｇ）に前記レール形状の雌部（５ｇ）を配してあり、つまりは、前記レール形状の雌部（５ｇ）の第１部材（４ｇ）の長手方向（矢印Ｎ）の中間側（２８ｇ）を除く前半側（１２ｇ）、後半側（１５ｇ）には前記レール形状の雌部（５ｇ）を配していない。第１部材（４ｇ）の中間側（２８ｇ）を除く第１部材（４ｇ）の前半側（１２ｇ）には，前記レール形状の雌部（５ｇ）を配していないので、次のような効果がある。第１部材（４ｇ）と第２部材（６ａ）とによって封止した袋の口（２）を解除するため、はずそうとして、レール形状の雄部（３ａ）の第２部材（６ａ）が、第１部材（４ｇ）の長手方向（矢印Ｎ）の前半側（１２ｇ）から後半側（１５ｇ）の方向（矢印Ｈ）へ押動される場合に、第１部材（４ｇ）の中間側（２８ｇ）を除く第１部材（４ｇ）の前半側（１２ｇ）については、レール形状の雌部（５ｇ）を配していないので、レール形状の雌部（５ｇ）に袋の口（２）が上面（１０ａ）側で挟まれたりすることがなく、取り外しは比較的容易であり、動作がスムーズで、また、袋の口（２）の一部が裂けたりする恐れも少ない、という効果がある（効果８−３−１）。また、第１部材（４ｇ）の中間側（２８ｇ）を除く第１部材（４ｇ）の前半側（１２ｇ）については、レール形状の雌部（５ｇ）を配していないので、第１部材（４ｇ）と第２部材（６ａ）とによって封止した袋の口（２）を解除するため、はずそうとして、レール形状の雄部（３ａ）の第２部材（６ａ）が、第１部材（４ｇ）の長手方向（矢印Ｎ）の前半側（１２ｇ）から後半側（１５ｇ）の方向（矢印Ｈ）へ押動されなくても、袋の口（２）の一端を引っ張ったりするだけで取り外しが可能であり、一時的に仮にとめる仮止め用としての利用もできる、という効果がある（効果他８−１）。また、同様に、袋の口（２）を封止しょうとして、レール形状の雄部（３ａ）の第２部材（６ａ）が、第１部材（４ｇ）の長手方向（矢印Ｎ）の後半側（１５ｇ）から前半側（１２ｇ）の方向（矢印Ｍ）へ押動される場合に、第１部材（４ｇ）の中間側（２８ｇ）を除く第１部材（４ｇ）の前半側（１２ｇ）については、レール形状の雌部（５ｇ）を配していないので、レール形状の雌部（５ｇ）に袋の口（２）が上面（１０ａ）側で挟まれたりすることがなく、袋の口（２）を封止しようと押動させる時の力も軽減でき、比較的容易であり、動作がスムーズで、また、袋の口（２）の一部が裂けたりする恐れも少ない、という効果がある（効果他８−２）。また、該開口したままの開口部（１３ｇ）に移動して覆って塞がった袋の口（２）、あるいは、第１部材（４ｇ）と第２部材（６ａ）との間に挟まれた袋の口（２）の入り込み状態を把握する場合等、第１部材（４ｇ）の中間側（２８ｇ）を除く第１部材（４ｇ）の前半側（１２ｇ）については、レール形状の雌部（５ｇ）を配していないので、目で確認する時に確認しやすい、という効果がある（効果８−４−１）。
【０１６７】
また、次のように、実施例３〜５については、実施例１の（効果１−４−１）（効果１−４−２）に記したのと同様の効果、実施例６〜８についても、実施例２の（効果２−４−１）（効果２−４−２）に記したのと同様の効果になる。実施例３〜８である、係止具（１ｂ）（１ｃ）（１ｄ）（１ｅ）（１ｆ）（１ｇ）は、レール形状の雌部（５ｂ）（５ｃ）（５ｄ）（５ｅ）（５ｆ）（５ｇ）の断面略Ｃ字状（８ｂ）（８ｃ）（８ｄ）（８ｅ）（８ｆ）（８ｇ）の間から露出したレール形状の雄部（３）（３ａ）の断面略Ｉ字状（９）（９ａ）上面（１０）（１０ａ）に指を接して押動させると、レール形状の雌部（５ｂ）（５ｃ）（５ｄ）（５ｅ）（５ｆ）（５ｇ）とレール形状の雄部（３）（３ａ）とが摺動する。指を接して摺動させるには、レール形状の雌部（５ｂ）（５ｃ）（５ｄ）（５ｅ）（５ｆ）（５ｇ）の断面略Ｃ字状（８ｂ）（８ｃ）（８ｄ）（８ｅ）（８ｆ）（８ｇ）の間から露出したレール形状の雄部（３）（３ａ）の断面略Ｉ字状（９）（９ａ）上面（１０）（１０ａ）の短手方向（矢印Ｔ）の長さ（Ａｂ）（Ａｃ）（実施例５〜８は図省略）が、ある一定以上必要になる。長さ（Ａｂ）（Ａｃ）（実施例５〜８は図省略）は１０ｍｍ以上が必要となる。係止具（１ｂ）（１ｃ）（１ｄ）（１ｅ）（１ｆ）（１ｇ）は、レール形状の雌部（５ｂ）（５ｃ）（５ｄ）（５ｅ）（５ｆ）（５ｇ）の断面略Ｃ字状（８ｂ）（８ｃ）（８ｄ）（８ｅ）（８ｆ）（８ｇ）の間から露出したレール形状の雄部（３）（３ａ）の断面略Ｉ字状（９）（９ａ）上面（１０）（１０ａ）に指を接して押動させると、レール形状の雌部（５ｂ）（５ｃ）（５ｄ）（５ｅ）（５ｆ）（５ｇ）とレール形状の雄部（３）（３ａ）とが摺動できるようにするには、つまりは、レール形状の雌部（５ｂ）（５ｃ）（５ｄ）（５ｅ）（５ｆ）（５ｇ）の断面略Ｃ字状（８ｂ）（８ｃ）（８ｄ）（８ｅ）（８ｆ）（８ｇ）の間から露出したレール形状の雄部（３）（３ａ）の断面略Ｉ字状（９）（９ａ）上面（１０）（１０ａ）の短手方向（矢印Ｔ）の長さ（Ａｂ）（Ａｃ）（実施例５〜８は図省略）が、押動させる場合に接する指の幅以上に設けてあるので、長さ（Ａｂ）（Ａｃ）（実施例５〜８は図省略）が１０ｍｍ以上となるので、実施例３〜５については、そのままの状態で、実施例６〜８については、上下を裏返せば、該開口したままの開口部（１３）（１３ｅ）（１３ｆ）（１３ｇ）に移動して覆って塞がった袋の口（２）、あるいは、第１部材（４）（４ｅ）（４ｆ）（４ｇ）と第２部材（６ａ）（６ｂ）（６ｃ）（６ｄ）との間に挟まれた袋の口（２）の入り込み状態を把握する場合等、目で確認する時に確認しやすい、という効果がある（効果３〜８−４−１）。また、前記容積部（１１）（１１ｅ）（１１ｆ）（１１ｇ）内に挿入後の口径を拡げた前記袋の口（２）の短手方向（矢印Ｔ）の長さ（Ｄ）より、断面略Ｃ字状（８ｂ）（８ｃ）（８ｄ）（８ｅ）（８ｆ）（８ｇ）の間から露出した断面略Ｉ字状（９）（９ａ）上面（１０）（１０ａ）の短手方向（矢印Ｔ）の長さ（Ａｂ）（Ａｃ）（実施例５〜８は図省略）が大きくしてある。該中空部（２９）（２９ｅ）（２９ｆ）（２９ｇ）の短手方向（矢印Ｔ）の最大長さ（Ｂ）（実施例６〜８は図省略）より、断面略Ｃ字状（８ｂ）（８ｃ）（８ｄ）（８ｅ）（８ｆ）（８ｇ）の間から露出した断面略Ｉ字状（９）（９ａ）上面（１０）（１０ａ）の短手方向（矢印Ｔ）の長さ（Ａｂ）（Ａｃ）（実施例５〜８は図省略）が大きくしてある。大きくしてあるので、実施例３〜５については、そのままの状態で、実施例６〜８については、上下を裏返せば、該開口したままの開口部（１３）（１３ｅ）（１３ｆ）（１３ｇ）に移動して覆って塞がった袋の口（２）、あるいは、第１部材（４）（４ｅ）（４ｆ）（４ｇ）と第２部材（６ａ）（６ｂ）（６ｃ）（６ｄ）との間に挟まれた袋の口（２）の入り込み状態を把握する場合等、目で確認する時に確認しやすい、という効果がある（効果３〜８−４−２）。
【０１６８】
また、前記レール形状の雌部（５）の第２部材（６）の長手方向（方向Ｎ）の全長（Ｃ）に前記レール形状の雌部（５）を配した実施例１に比べると、実施例３〜５については、レール形状の雌部の第２部材の長手方向（方向Ｎ）の全長に前記レール形状の雌部を配していないので、レール形状の雌部を設ける区間が少なくて済み、材料コスト等が低減する、という効果がある（効果他３〜５−１）。
また、
前記レール形状の雌部（５ｅ）の第1部材（４ｅ）の長手方向（矢印Ｎ）の全長（Ｃｅ）に前記レール形状の雌部（５ｅ）を配した実施例６に比べると、実施例２、７、８については、レール形状の雌部の第1部材の長手方向（矢印Ｎ）の全長に前記レール形状の雌部を配していないので、レール形状の雌部を設ける区間が少なくて済み、材料コスト等が低減する、という効果がある（効果他２、７、８−１）。
【０１６９】
次に、実施例９である、係止具（１ｈ）について記す。実施例９である、係止具（１ｈ）は、実施例１である、係止具（１）の、前記レール形状の雌部（５）の第２部材（６）の長手方向（方向Ｎ）の全長（Ｃ）に前記レール形状の雌部（５）を配し、に代えて、次のようにしてある。図３１、３３にて、前記レール形状の雌部（５ｈ）の第２部材（６ｈ）の長手方向（矢印Ｎ）の後半側（１５ｈ）に前記レール形状の雌部（５ｈ）を配し、前記レール形状の雌部（５ｈ）の第２部材（６ｈ）の長手方向（矢印Ｎ）の中間側（２８ｈ）に前記レール形状の雌部（５ｈ）を配してある。つまり、前記レール形状の雌部（５ｈ）の第２部材（６ｈ）の長手方向（矢印Ｎ）の後半側（１５ｈ）から中間側（２８ｈ）に前記レール形状の雌部（５ｈ）を配してある。実施例９である、係止具（１ｈ）は、実施例３である、係止具（１ｂ）と、実施例４である、係止具（１ｃ）とを合わせたものである。
【０１７０】
次に、実施例１０である、係止具（１ｊ）について記す。実施例１０である、係止具（１ｊ）は、図３３の実施例１である、係止具（１）の、断面略Ｃ字状（８）のレール形状の雌部（５）の第２部材（６）、と同様にしてある。実施例１０である、係止具（１ｊ）は、図３２、３４にて、断面略Ｃ字状（８ｊ）のレール形状の雌部（５ｊ）の第２部材（６ｊ）、としてある。
【０１７１】
次に、上記について一部補足説明する。実施例１０の断面略Ｃ字状（８ｊ）のレール形状の雌部（５ｊ）は、断面から見て、「Ｃ」の字そのものの形状で、Ｃの両端が曲がっていて角ばっている形状ではない。実施例１に比べて、Ｃの両端が曲がっているので、強度が高い、という効果がある（効果他１０−１）。
【０１７２】
次に、実施例１１である、係止具（１ｋ）について記す。実施例１１である、係止具（１ｋ）は、図３３の実施例１である、係止具（１）の、断面略Ｃ字状（８）のレール形状の雌部（５）の第２部材（６）、と同様にしてある。実施例１１である、係止具（１ｋ）は、図３５にて、断面略Ｃ字状（８ｋ）のレール形状の雌部（５ｋ）の第２部材（６ｋ）、としてある。
【０１７３】
次に、上記について一部補足説明する。実施例１１の断面略Ｃ字状（８ｋ）のレール形状の雌部（５ｋ）は、断面から見て、「Ｃ」の両端が角ばっている形状としてある。コ字状にて、「コ」の字そのものの形状にて、コの両端を内側へ折り込んだ形状としてある。例えば、ホッチキスの針をとめた時の断面の形状に近くしてある。折り込む角度は９０度未満の傾斜角度としてあるが、特に限定しない。「断面略Ｃ字状」という表現には、コ字状にて、「コ」の字そのものの形状にて、実施例１１のようなコの両端を内側へ折り込んだ形状も含んでいる。例えば、ホッチキスの針をとめた時の断面の形状なども含んでいる。また、レール形状の雌部（５ｋ）とレール形状の雄部とを係合させた状態で上下逆さにしても、レール形状の雌部（５ｋ）の両端にレール形状の雄部は引っ掛かり、脱落することはない。なお、「断面略Ｃ字状」の具体的形状については、実施例１〜１１に限定するものではない。
【０１７４】
また、基本的には、実施例１〜１１の係止具は、押出成形加工、抜き出し加工等によって製造可能である。よって、射出成形等で形成する場合と比較すると、比較的製造が容易で材料費の低減が可能である、という効果がある（効果他１〜１１−１）。また、実施例１〜１１の係止具は、第１部材と第２部材とがつながっておらず、連接していなくて各々独立しているので、束縛がなく自由性が高いため、操作性がよい、という効果がある（効果他１〜１１−２）。また、実施例１〜１１の係止具は、押出成形のため、第１部材、第２部材の短手方向（矢印Ｔ）の最大幅以内に雌部のレール（２６）（２７）等は設けてある。また、実施例１〜１１の係止具は、第１部材と第２部材と上下逆にして使用してもよい。また、特に図示しないが、次のようにしてもよい。例えば、実施例１にて、袋の口（２）を封止する係止具（１）として記載したが、袋の口ではなく、シート状、あるいは、棒状のものを束にするための係止具としてもよい。実施例１にて、拡がった袋の口（２）を指等で寄せ集めて縮小させて、口径（２２）を絞った袋の口（２）を開口部（１３）に挿入するが、袋の口（２）、に代えて、袋ではなく、シート状、あるいは、棒状のものでもよい。被封止物、被係止物、被結束物、を、封止する、係止する、結束する、係止具としてもよい。他の実施例でも同様にしてもよい。
【０１７５】
また、特に図示しないが、実施例１の係止具にて、次のようにしてもよい。例えば、前記レール形状の雄部（３）の第1部材（４）が、第１部材（４）の長手方向（方向Ｎ）の前半側（１２）から後半側（１５）の方向（矢印Ｍ）へ押動された場合に、第２部材（６）の先端（２３）が開口部（１３）より突出されて押動される位置にストッパーを配置してもよい。ストッパーは突状であってもよい。レール形状の雌部（５）、レール形状の雄部（３）はストッパーを端部に有してもよい。ストッパーとレールとが接する、あるいは、例えば、第1部材に設けたストッパーと、第２部材に設けたストッパーとが接することによって、摺動が停止されるようにしてもよい。
【図面の簡単な説明】
【０１７６】
【図１】実施例１の概要図。
【図２】実施例１の概要図。
【図３】実施例１の斜視図。
【図４】実施例１の斜視図。
【図５】実施例１の斜視図。
【図６】実施例１の斜視図。
【図７】実施例１の斜視図。
【図８】実施例１の部分拡大断面図。
【図９】実施例１の部分拡大断面図。
【図１０】実施例１の動作説明図。
【図１１】実施例１の動作説明図。
【図１２】実施例１の動作説明図。
【図１３】実施例１の動作説明図。
【図１４】実施例１の動作説明図。
【図１５】実施例１の動作説明図。
【図１６】実施例１の部分拡大図。
【図１７】実施例２の斜視図。
【図１８】実施例２の斜視図。
【図１９】実施例２の斜視図。
【図２０】実施例２の斜視図。
【図２１】実施例３の斜視図。
【図２２】実施例３の斜視図。
【図２３】実施例３の斜視図。
【図２４】実施例４の斜視図。
【図２５】実施例４の斜視図。
【図２６】実施例４の斜視図。
【図２７】実施例５の斜視図。
【図２８】実施例６の斜視図。
【図２９】実施例７の斜視図。
【図３０】実施例８の斜視図。
【図３１】実施例９の斜視図。
【図３２】実施例１０の斜視図。
【図３３】実施例１、３、９の断面図。
【図３４】実施例１０の断面図。
【図３５】実施例１１の断面図。
【図３６】特許文献１の１件目の図。
【図３７】特許文献１の２件目の図。
【図３８】特許文献１の３件目に準ずる図。
【図３９】特許文献１の３件目に準ずる図。
【図４０】特許文献１の４件目の図。
【図４１】特許文献１の４件目の図。
【０１７７】
（１）        実施例１の係止具
（１ａ）      実施例２の係止具
（１ｂ）      実施例３の係止具
（１ｃ）      実施例４の係止具
（１ｄ）      実施例５の係止具
（１ｅ）      実施例６の係止具
（１ｆ）      実施例７の係止具
（１ｇ）      実施例８の係止具
（１ｈ）      実施例９の係止具
（１ｊ）      実施例１０の係止具
（１ｋ）      実施例１１の係止具
（２）        袋の口
（３）        レール形状の雄部
（４）        第1部材
（５）        レール形状の雌部
（６）        第２部材
（７）        レール
（８）        断面略Ｃ字状
（９）        断面略Ｉ字状
（１０）      上面
（１１）      容積部
（１２）      前半側
（１３）      開口部
（１４）      先端
（１５）      後半側
（１６）      レール形状
（１７）      隙間
（１８）      隙間
（１９）      端部
（２０）      端部
（２１）      端部
（２２）      口径
（２３）      先端
（２４）      レール
（２５）      レール
（２６）      レール
（２７）      レール
（２８）      中間側
（２９）      中空部
（矢印Ｈ）    方向
（矢印Ｎ）    長手方向
（矢印Ｍ）    方向
（矢印Ｔ）    短手方向
（Ａ）        長さ
（Ｂ）        最大長さ
（Ｃ）        全長
（Ｄ）        長さ
（Ｒ）        最小長さ
（Ｖ）        最大長さ
（Ｚ２）      長さ
（Ｚ３）      全長
（Ｚ４）      長さ
【図１】
2019202818.tif 000003
【図２】
2019202818.tif 000004
【図３】
2019202818.tif 000005
【図４】
2019202818.tif 000006
【図５】
2019202818.tif 000007
【図６】
2019202818.tif 000008
【図７】
2019202818.tif 000009
【図８】
2019202818.tif 000010
【図９】
2019202818.tif 000011
【図１０】
2019202818.tif 000012
【図１１】
2019202818.tif 000013
【図１２】
2019202818.tif 000014
【図１３】
2019202818.tif 000015
【図１４】
2019202818.tif 000016
【図１５】
2019202818.tif 000017
【図１６】
2019202818.tif 000018
【図１７】
2019202818.tif 000019
【図１８】
2019202818.tif 000020
【図１９】
2019202818.tif 000021
【図２０】
2019202818.tif 000022
【図２１】
2019202818.tif 000023
【図２２】
2019202818.tif 000024
【図２３】
2019202818.tif 000025
【図２４】
2019202818.tif 000026
【図２５】
2019202818.tif 000027
【図２６】
2019202818.tif 000028
【図２７】
2019202818.tif 000029
【図２８】
2019202818.tif 000030
【図２９】
2019202818.tif 000031
【図３０】
2019202818.tif 000032
【図３１】
2019202818.tif 000033
【図３２】
2019202818.tif 000034
【図３３】
2019202818.tif 000035
【図３４】
2019202818.tif 000036
【図３５】
2019202818.tif 000037
【図３６】
2019202818.tif 000038
【図３７】
2019202818.tif 000039
【図３８】
2019202818.tif 000040
【図３９】
2019202818.tif 000041
【図４０】
2019202818.tif 000042
【図４１】
2019202818.tif 000043